(57)【要約】１つまたはそれを上回る伝送スケジュールに従ってアンカからタイムスタンプ可能な位置特定信号を伝送するための位置特定システムおよび方法。伝送スケジュールは、所望の測位性能を達成するために生成および更新され得る。例えば、１つまたはそれを上回るアンカが、他のアンカとは異なるレートにおいて位置特定信号を伝送し得、アンカ伝送順序は、変更されることができ、信号は、部分的に重複することができる。加えて、異なる伝送パラメータが、干渉を伴わずに同時に２つの位置特定信号を伝送するために使用され得る。自己位置特定装置が、位置特定信号を受信し、その位置を決定することが可能である。自己位置特定装置は、複数の利用可能な位置特定信号のうちの１つを受信するように選択し得る構成可能な受信機を有し得る。自己位置特定装置は、同時に２つの位置特定信号を受信することが可能な受信機の対を有し得る。
2018517139.tif 000002
【特許請求の範囲】
【請求項１】
位置特定システムであって、
位置情報を決定するために、ある領域内の自己位置特定装置によって使用されることが可能な位置特定信号を無線で伝送するように構成される、複数の測位アンカ
を含み、
前記複数の測位アンカの第１の測位アンカは、第１の位置特定信号を無線で伝送するように構成され、
前記複数の測位アンカの第２の測位アンカは、第２の位置特定信号を無線で伝送するように構成され、
前記複数の測位アンカの第３の測位アンカは、第３の位置特定信号を無線で伝送するように構成され、
前記複数の測位アンカはそれぞれ、少なくとも１つのスケジューリングユニットに通信可能に結合され、前記少なくとも１つのスケジューリングユニットは、
第１の伝送レートにおいて前記第１の位置特定信号を伝送するように前記第１の測位アンカをスケジューリングするステップと、
第２の伝送レートにおいて前記第２の位置特定信号を伝送するように前記第２の測位アンカをスケジューリングするステップと、
第３の伝送レートにおいて前記第３の位置特定信号を伝送するように前記第３の測位アンカをスケジューリングするステップであって、前記第１の伝送レートは、前記領域の一部内でさらなる測位性能を提供するために、前記第２の伝送レートを上回る、ステップと、
によって、前記位置特定信号の伝送をスケジューリングし、前記領域内の測位性能を制御するように構成される、
位置特定システム。
【請求項２】
前記少なくとも１つのスケジューリングユニットはさらに、前記位置特定信号の伝送レートを調節し、動作中に前記領域内の測位性能を変更するように構成される、請求項１に記載の位置特定システム。
【請求項３】
前記少なくとも１つのスケジューリングユニットは、前記自己位置特定装置の既知の場所に基づいて、前記位置特定信号の伝送レートを調節するように構成される、請求項１または２に記載の位置特定システム。
【請求項４】
前記少なくとも１つのスケジューリングユニットは、前記自己位置特定装置の既知の場所を受信するように構成される、前記請求項のうちのいずれか１項に記載の位置特定システム。
【請求項５】
前記少なくとも１つのスケジューリングユニットは、前記自己位置特定装置の既知の運動に基づいて、前記位置特定信号の伝送レートを調節するように構成される、請求項２に記載の位置特定システム。
【請求項６】
前記運動は、飛行パターンである、請求項５に記載の位置特定システム。
【請求項７】
前記位置特定信号は、超広帯域（ＵＷＢ）位置特定信号を含み、それぞれ、プリアンブルコードと、ペイロードとを含む、前記請求項のうちのいずれか１項に記載の位置特定システム。
【請求項８】
前記ＵＷＢ位置特定信号の少なくともいくつかのペイロードは、コマンドを含み、前記少なくとも１つのスケジューリングユニットは、前記ＵＷＢ位置特定信号の伝送をスケジューリングし、自己位置特定装置および前記複数のアンカのうちの少なくとも１つへの前記コマンドの伝搬を最適化するように構成される、請求項７に記載の位置特定システム。
【請求項９】
前記複数の測位アンカはそれぞれ、クロックを含み、前記ＵＷＢ位置特定信号の少なくともいくつかのペイロードは、同期データを含み、前記複数の測位アンカはそれぞれ、少なくとも１つの他の測位アンカから受信されたＵＷＢ位置特定信号から前記同期データを受信するように構成され、前記少なくとも１つのスケジューリングユニットは、前記ＵＷＢ位置特定信号の伝送をスケジューリングし、前記クロックの同期を最適化するように構成される、請求項７または８に記載の位置特定システム。
【請求項１０】
前記複数の測位アンカはそれぞれ、同期ユニットを含み、各同期ユニットは、受信された同期データに基づいて、その個別のクロックに関するクロックオフセットおよびクロックレートのうちの少なくとも１つに関する補正値を算出するように構成される、請求項９に記載の位置特定システム。
【請求項１１】
前記少なくとも１つのスケジューリングユニットは、前記位置特定信号の伝送をスケジューリングし、前記領域の１つまたはそれを上回る部分における精度、正確度、または更新レートのうちの少なくとも１つを増加させるように構成される、前記請求項のうちのいずれか１項に記載の位置特定システム。
【請求項１２】
前記少なくとも１つのスケジューリングユニットは、スケジュール内のタイムスロットに基づいて、前記位置特定信号の伝送をスケジューリングするように構成され、前記第１の測位アンカは、前記第２の測位アンカよりも前記スケジュール内で多くのタイムスロットを割り当てられる、前記請求項のうちのいずれか１項に記載の位置特定システム。
【請求項１３】
前記少なくとも１つのスケジューリングユニットは、第１のスケジューリングユニットと、第２のスケジューリングユニットと、第３のスケジューリングユニットとを含み、前記第１のスケジューリングユニットは、前記第１の測位アンカに物理的に結合され、前記第１の位置特定信号の伝送をスケジューリングするように構成され、前記第２のスケジューリングユニットは、前記第２の測位アンカに物理的に結合され、前記第２の位置特定信号の伝送をスケジューリングするように構成され、前記第３のスケジューリングユニットは、前記第３の測位アンカに物理的に結合され、前記第３の位置特定信号の伝送をスケジューリングするように構成される、前記請求項のうちのいずれか１項に記載の位置特定システム。
【請求項１４】
前記領域は、３次元領域を含む、前記請求項のうちのいずれか１項に記載の位置特定システム。
【請求項１５】
複数の測位アンカを含む位置特定システムにおいて位置特定信号を伝送するための方法であって、
前記複数の測位アンカの第１の測位アンカを使用して、伝送スケジュールの２つまたはそれを上回るタイムスロット中に第１の位置特定信号を無線で伝送するステップと、
前記複数の測位アンカの第２の測位アンカを使用して、前記伝送スケジュールの１つまたはそれを上回るタイムスロット中に第２の位置特定信号を無線で伝送するステップと、
前記複数の測位アンカの第３の測位アンカを使用して、前記伝送スケジュールの１つまたはそれを上回るタイムスロット中に第３の位置特定信号を無線で伝送するステップと、
を含み、
前記第１の位置特定信号、前記第２の位置特定信号、および前記第３の位置特定信号は、位置情報を決定するために、ある領域内の自己位置特定装置によって使用されることが可能であり、
前記第１の測位アンカは、前記領域の一部内でさらなる測位性能を提供するために、前記第２の測位アンカよりも前記伝送スケジュール内で多くのタイムスロットを割り当てられる、
方法。
【請求項１６】
１つまたはそれを上回るスケジューリングユニットを使用して、動作中に前記第１の測位アンカ、前記第２の測位アンカ、および前記第３の測位アンカが前記伝送スケジュール内で割り当てられるタイムスロットの数を調節するステップをさらに含む、請求項１５に記載の方法。
【請求項１７】
前記タイムスロットの数は、前記自己位置特定装置の既知の場所に基づいて調節される、請求項１５または１６に記載の方法。
【請求項１８】
前記自己位置特定装置の既知の場所を無線で受信するステップをさらに含む、請求項１５−１７のうちのいずれか１項に記載の方法。
【請求項１９】
前記伝送スケジュールのタイムスロットは、前記自己位置特定装置の既知の場所、前記第１、第２、および第３の位置特定信号の少なくともいくつかの一部として含まれるコマンドの伝搬の最適化、前記第１、第２、および第３の測位アンカと関連付けられるクロックの同期の最適化、ならびに前記領域の１つまたはそれを上回る部分における改良された精度、正確度、もしくは更新レートのうちの少なくとも１つのうちの１つもしくはそれを上回るものに基づいて割り当てられる、請求項１５−１８のうちのいずれか１項に記載の方法。
【請求項２０】
第１のクロックを使用して、前記第１の測位アンカが前記第１の位置特定信号を無線で伝送するときを決定するために使用される第１のタイミング信号を生成するステップと、
第２のクロックを使用して、前記第２の測位アンカが前記第２の位置特定信号を無線で伝送するときを決定するために使用される第２のタイミング信号を生成するステップと、
第３のクロックを使用して、前記第３の測位アンカが前記第３の位置特定信号を無線で伝送するときを決定するために使用される第３のタイミング信号を生成するステップであって、前記第１、第２、および第３のクロックは、同期される、ステップと、
をさらに含む、請求項１５−１９のうちのいずれか１項に記載の方法。
【請求項２１】
位置特定システムであって、
位置情報を決定するために、ある領域内の自己位置特定装置によって使用されることが可能な位置特定信号を無線で伝送するように構成される、複数の測位アンカと、
前記複数の測位アンカに通信可能に結合される、少なくとも１つのスケジューリングユニットであって、前記少なくとも１つのスケジューリングユニットは、
第１の伝送スケジュールに従って前記位置特定信号の伝送をスケジュールすることであって、前記第１の伝送スケジュールは、前記複数の測位アンカのそれぞれが前記位置特定信号を伝送する第１の時間順序を定義することと、
いつ前記第１の伝送スケジュールから第２の伝送スケジュールに変更するかを決定することであって、前記第２の伝送スケジュールは、前記複数の測位アンカのそれぞれが前記位置特定信号を伝送する第２の時間順序を定義し、前記第２の時間順序は、前記第１の時間順序とは異なる、ことと、
前記第１の伝送スケジュールから前記第２の伝送スケジュールに変更する決定に応答して、前記第２の伝送スケジュールに従って前記位置特定信号の伝送をスケジューリングし、それによって、前記領域内の測位性能を変更することと
を行うように構成される、少なくとも１つのスケジューリングユニットと、
を含む、位置特定システム。
【請求項２２】
前記少なくとも１つのスケジューリングユニットは、前記自己位置特定装置の既知の場所に基づいて、いつ前記第１の伝送スケジュールから第２の伝送スケジュールに変更するかを決定するように構成される、請求項２１に記載の位置特定システム。
【請求項２３】
前記少なくとも１つのスケジューリングユニットは、前記自己位置特定装置の既知の場所を受信するように構成される、請求項２１または２２に記載の位置特定システム。
【請求項２４】
前記少なくとも１つのスケジューリングユニットは、前記自己位置特定装置の既知の運動に基づいて、いつ前記第１の伝送スケジュールから第２の伝送スケジュールに変更するかを決定するように構成される、請求項２１−２３のうちのいずれか１項に記載の位置特定システム。
【請求項２５】
前記運動は、飛行パターンである、請求項２４に記載の位置特定システム。
【請求項２６】
前記位置特定信号は、超広帯域（ＵＷＢ）位置特定信号を含み、それぞれ、プリアンブルコードと、ペイロードとを含む、請求項２１−２５のうちのいずれか１項に記載の位置特定システム。
【請求項２７】
前記ＵＷＢ位置特定信号の少なくともいくつかのペイロードは、コマンドを含み、前記少なくとも１つのスケジューリングユニットは、前記第１の伝送スケジュールから前記第２の伝送スケジュールに変更し、自己位置特定装置および前記複数のアンカのうちの少なくとも１つへの前記コマンドの伝搬を最適化するように構成される、請求項２６に記載の位置特定システム。
【請求項２８】
前記複数の測位アンカはそれぞれ、クロックを含み、前記ＵＷＢ位置特定信号の少なくともいくつかのペイロードは、同期データを含み、前記複数の測位アンカはそれぞれ、少なくとも１つの他の測位アンカから受信されたＵＷＢ位置特定信号から前記同期データを受信するように構成され、前記少なくとも１つのスケジューリングユニットは、前記第１の伝送スケジュールから前記第２の伝送スケジュールに変更し、前記クロックの同期に関して最適化するように構成される、請求項２６または２７に記載の位置特定システム。
【請求項２９】
前記複数の測位アンカはそれぞれ、同期ユニットを含み、各同期ユニットは、前記受信された同期データに基づいて、その個別のクロックに関するクロックオフセットおよびクロックレートのうちの少なくとも１つに関する補正値を算出するように構成される、請求項２８に記載の位置特定システム。
【請求項３０】
前記第１の伝送スケジュールおよび前記第２の伝送スケジュールは、前記領域の異なる部分における増加された精度、正確度、および更新レートのうちの少なくとも１つを提供する、請求項２１−２９のうちのいずれか１項に記載の位置特定システム。
【請求項３１】
前記第１の伝送スケジュールおよび前記第２の伝送スケジュールは、それぞれ、複数のタイムスロットを含み、前記複数の測位アンカの少なくとも１つの測位アンカは、前記第１の伝送スケジュールおよび前記第２の伝送スケジュール内で異なる数のタイムスロットを割り当てられる、請求項２１−３０のうちのいずれか１項に記載の位置特定システム。
【請求項３２】
前記第１の伝送スケジュールおよび前記第２の伝送スケジュールは、それぞれ、複数のタイムスロットを含み、前記少なくとも１つのスケジューリングユニットは、複数のスケジューリングユニットを含み、前記複数のスケジュールユニットはそれぞれ、前記複数の測位アンカのうちの個別の１つに物理的に結合され、前記複数のスケジューリングユニットはそれぞれ、その個別の測位アンカに割り当てられたタイムスロットに従って、その個別の測位アンカに関する位置特定信号の伝送をスケジューリングするように構成される、請求項２１−３１のうちのいずれか１項に記載の位置特定システム。
【請求項３３】
前記領域は、３次元領域を含む、請求項２１−３２のうちのいずれか１項に記載の位置特定システム。
【請求項３４】
複数の測位アンカを含む位置特定システムにおいて位置特定信号を伝送するための方法であって、
前記複数の測位アンカを使用して、位置情報を決定するために、ある領域内の自己位置特定装置によって使用されることが可能な位置特定信号を無線で伝送するステップと、
前記複数の測位アンカに通信可能に結合される少なくとも１つのスケジューリングユニットを使用して、第１の伝送スケジュールに従って前記位置特定信号の伝送をスケジューリングするステップであって、前記第１の伝送スケジュールは、前記複数の測位アンカのそれぞれが前記位置特定信号を伝送する第１の時間順序を定義する、ステップと、
前記少なくとも１つのスケジューリングユニットを使用して、いつ前記第１の伝送スケジュールから第２の伝送スケジュールに変更するかを決定するステップであって、前記第２の伝送スケジュールは、前記複数の測位アンカのそれぞれが前記位置特定信号を伝送する第２の時間順序を定義し、前記第２の時間順序は、前記第１の時間順序とは異なる、ステップと、
前記少なくとも１つのスケジューリングユニットを使用して、前記第１の伝送スケジュールから前記第２の伝送スケジュールに変更する決定に応答して、前記第２の伝送スケジュールに従って前記位置特定信号の伝送をスケジューリングし、それによって、前記領域内の測位性能を変更するステップと、
を含む、方法。
【請求項３５】
前記位置特定信号は、超広帯域（ＵＷＢ）位置特定信号を含み、それぞれ、プリアンブルコードと、ペイロードとを含み、前記ＵＷＢ位置特定信号の少なくともいくつかのペイロードは、コマンドを含み、前記方法はさらに、自己位置特定装置および前記複数のアンカのうちの少なくとも１つへの前記コマンドの伝搬を最適化するために、前記少なくとも１つのスケジューリングユニットを前記第１の伝送スケジュールから前記第２の伝送スケジュールに変更するステップを含む、請求項３４に記載の方法。
【請求項３６】
前記複数の測位アンカはそれぞれ、クロックを含み、前記ＵＷＢ位置特定信号の少なくともいくつかのペイロードは、同期データを含み、前記方法はさらに、
前記複数の測位アンカのそれぞれを使用して、少なくとも１つの他の測位アンカから受信されたＵＷＢ位置特定信号から同期データを受信するステップと、
前記クロックの同期に関して最適化するために、前記少なくとも１つのスケジューリングユニットを前記第１の伝送スケジュールから前記第２の伝送スケジュールに変更するステップと、
を含む、請求項３４または３５に記載の方法。
【請求項３７】
前記複数の測位アンカはそれぞれ、同期ユニットを含み、前記方法はさらに、各同期ユニットを使用して、前記受信された同期データに基づいて、その個別のクロックに関するクロックオフセットおよびクロックレートのうちの少なくとも１つに関する補正値を算出するステップを含む、請求項３４−３６のうちのいずれか１項に記載の方法。
【請求項３８】
前記第１の伝送スケジュールおよび前記第２の伝送スケジュールは、前記領域の異なる部分における増加された精度、正確度、および更新レートのうちの少なくとも１つを提供する、請求項３４−３７のうちのいずれか１項に記載の方法。
【請求項３９】
前記第１の伝送スケジュールおよび前記第２の伝送スケジュールは、それぞれ、複数のタイムスロットを含み、前記方法はさらに、前記第１の伝送スケジュールおよび前記第２の伝送スケジュール内の異なる数のタイムスロットを前記複数の測位アンカの少なくとも１つの測位アンカに割り当てるステップを含む、請求項３４−３８のうちのいずれか１項に記載の方法。
【請求項４０】
前記第１の伝送スケジュールおよび前記第２の伝送スケジュールは、それぞれ、複数のタイムスロットを含み、前記少なくとも１つのスケジューリングユニットは、複数のスケジューリングユニットを含み、前記複数のスケジュールユニットはそれぞれ、前記複数の測位アンカのうちの個別の１つに物理的に結合され、前記方法はさらに、前記複数のスケジューリングユニットのそれぞれを使用して、その個別の測位アンカに割り当てられたタイムスロットに従って、その個別の測位アンカに関する位置特定信号の伝送をスケジューリングするステップを含む、請求項３４−３９のうちのいずれか１項に記載の方法。
【請求項４１】
ある領域内の位置情報を決定するために使用され得る、位置特定信号を無線で伝送するように構成される、複数の測位アンカを含む位置特定システムに関する伝送スケジュールを決定するためのシステムであって、
入力であって、
前記複数の測位アンカの場所と、
前記複数の測位アンカの少なくとも１つのアンカプロパティと、
前記領域内の少なくとも１つの区域内の所望の測位性能と、
を受信するように動作可能である、入力と、
（ａ）前記複数の測位アンカの場所、（ｂ）前記複数の測位アンカの少なくとも１つのアンカプロパティ、および（ｃ）前記少なくとも１つの区域内の所望の測位性能に基づいて、前記複数のアンカに関する伝送スケジュールを決定するように構成される少なくとも１つのプロセッサであって、前記複数の測位アンカは、前記伝送スケジュールに従って前記位置特定信号を無線で伝送するように構成される、少なくとも１つのプロセッサと、
前記伝送スケジュールを前記複数の測位アンカに通信するように動作可能である、出力と、
を含む、システム。
【請求項４２】
前記少なくとも１つの区域の第１のものの中の所望の測位性能は、前記少なくとも１つの区域の第２のものの中の所望の測位性能を上回り、前記決定された伝送スケジュールは、前記第１の区域内にさらなる測位性能を提供するように決定される、請求項４１に記載のシステム。
【請求項４３】
前記少なくとも１つのプロセッサは、
前記複数の測位アンカの場所および前記複数の測位アンカの少なくとも１つのアンカプロパティに基づいて、前記少なくとも１つの区域内の測位性能を予測するステップと、
前記予測された測位性能を前記少なくとも１つの区域内の所望の測位性能と比較するステップと、
によって、前記伝送スケジュールを決定するように構成される、請求項４１または４２に記載のシステム。
【請求項４４】
前記少なくとも１つのアンカプロパティは、伝送電力レベルを含み、前記少なくとも１つのプロセッサはさらに、前記伝送スケジュールに関する伝送電力レベルを決定するように構成され、前記伝送スケジュールは、各測位アンカがその位置特定信号を伝送するために使用するようにスケジューリングされる電力レベルを示す、請求項４１−４３のうちのいずれか１項に記載のシステム。
【請求項４５】
前記少なくとも１つのアンカプロパティは、伝送中心周波数を含み、前記少なくとも１つのプロセッサはさらに、前記伝送スケジュールに関する伝送中心周波数を決定するように構成され、前記伝送スケジュールは、各測位アンカがその位置特定信号を伝送するために使用するようにスケジューリングされる伝送中心周波数を示す、請求項４１−４４のうちのいずれか１項に記載のシステム。
【請求項４６】
前記少なくとも１つのアンカプロパティは、伝送周波数帯域幅を含み、前記少なくとも１つのプロセッサはさらに、前記伝送スケジュールに関する伝送周波数帯域幅を決定するように構成され、前記伝送スケジュールは、各測位アンカがその位置特定信号を伝送するために使用するようにスケジューリングされる伝送周波数帯域幅を示す、請求項４１−４５のうちのいずれか１項に記載のシステム。
【請求項４７】
前記少なくとも１つのアンカプロパティは、プリアンブルコードを含み、前記少なくとも１つのプロセッサはさらに、前記伝送スケジュールに関するプリアンブルコードを決定するように構成され、前記伝送スケジュールは、各位置特定信号と併用されるようにスケジューリングされるプリアンブルコードを示す、請求項４１−４６のうちのいずれか１項に記載のシステム。
【請求項４８】
前記少なくとも１つのアンカプロパティは、プリアンブル変調スキームを含み、前記少なくとも１つのプロセッサはさらに、前記伝送スケジュールに関するプリアンブル変調スキームを決定するように構成され、前記伝送スケジュールは、各位置特定信号と併用されるようにスケジューリングされるプリアンブル変調スキームを示す、請求項４１−４７のうちのいずれか１項に記載のシステム。
【請求項４９】
前記伝送スケジュールは、複数のタイムスロットを含み、前記少なくとも１つのプロセッサはさらに、１つまたはそれを上回る位置特定信号を前記複数のタイムスロットのそれぞれに割り当てるように構成される、請求項４１−４８のうちのいずれか１項に記載のシステム。
【請求項５０】
前記少なくとも１つのプロセッサはさらに、前記伝送スケジュールの複数のタイムスロットの重複量を決定するように構成される、請求項４９に記載のシステム。
【請求項５１】
前記少なくとも１つのプロセッサは、前記複数の測位アンカが前記位置特定信号を無線で伝送する時間順序を決定することによって、前記伝送スケジュールを決定するように構成される、請求項４１−５０のうちのいずれか１項に記載のシステム。
【請求項５２】
前記少なくとも１つのプロセッサは、前記複数の測位アンカが前記位置特定信号を無線で伝送する伝送レートを決定することによって、前記伝送スケジュールを決定するように構成される、請求項４１−５１のうちのいずれか１項に記載のシステム。
【請求項５３】
前記伝送スケジュールは、複数のタイムスロットを含み、前記少なくとも１つのプロセッサはさらに、より低い伝送レートを伴う測位アンカよりもより高い伝送レートを伴う測位アンカにより多くのタイムスロットを割り当てるように構成される、請求項５２に記載のシステム。
【請求項５４】
前記少なくとも１つのプロセッサは、最適化アルゴリズムを使用することによって、前記伝送スケジュールを決定するように構成される、請求項４１−５３のうちのいずれか１項に記載のシステム。
【請求項５５】
前記少なくとも１つのプロセッサは、コスト関数を最小限にすることによって、前記伝送スケジュールを決定するように構成される、請求項４１−５４のうちのいずれか１項に記載のシステム。
【請求項５６】
前記入力はさらに、前記領域内の自己位置特定装置のリアルタイム測位情報を受信するように動作可能であり、前記少なくとも１つのプロセッサはさらに、前記リアルタイム測位情報に基づいて、更新される伝送スケジュールを決定するように構成される、請求項４１−５５のうちのいずれか１項に記載のシステム。
【請求項５７】
前記所望の測位性能は、飛行パターンを含む、請求項４１−５６のうちのいずれか１項に記載のシステム。
【請求項５８】
ある領域内の位置情報を決定するために使用され得る、位置特定信号を無線で伝送するように構成される、複数の測位アンカを含む位置特定システムに関する伝送スケジュールを決定するための方法であって、
入力を使用して、前記複数の測位アンカの場所、前記複数の測位アンカの少なくとも１つのアンカプロパティ、および前記領域内の少なくとも１つの区域内の所望の測位性能を受信するステップと、
少なくとも１つのプロセッサを使用して、（ａ）前記複数の測位アンカの場所、（ｂ）前記複数の測位アンカの少なくとも１つのアンカプロパティ、および（ｃ）前記少なくとも１つの区域内の所望の測位性能に基づいて、前記複数のアンカに関する伝送スケジュールを決定するステップであって、前記複数の測位アンカは、前記伝送スケジュールに従って前記位置特定信号を無線で伝送するように構成される、ステップと、
出力を使用して、前記伝送スケジュールを前記複数の測位アンカに通信するステップと、
を含む、方法。
【請求項５９】
前記少なくとも１つのプロセッサを使用して、前記複数の測位アンカの場所および前記複数の測位アンカの少なくとも１つのアンカプロパティに基づいて、前記少なくとも１つの区域内の測位性能を予測するステップと、
前記少なくとも１つのプロセッサを使用して、前記予測された測位性能を前記少なくとも１つの区域内の所望の測位性能と比較するステップと、
をさらに含む、請求項５８に記載の方法。
【請求項６０】
前記少なくとも１つのアンカプロパティは、伝送電力レベルを含み、前記方法はさらに、前記少なくとも１つのプロセッサを使用して、前記伝送スケジュールに関する伝送電力レベルを決定するステップを含み、前記伝送スケジュールは、各測位アンカがその位置特定信号を伝送するために使用するようにスケジューリングされる電力レベルを示す、請求項５８または５９に記載の方法。
【請求項６１】
位置特定システムであって、
伝送スケジュールのタイムスロット中に位置特定信号を無線で伝送するように構成される、複数の測位アンカであって、
各位置特定信号は、ペイロードを含み、
前記位置特定信号毎のペイロードは、少なくとも１つの将来のタイムスロット中に位置特定信号を伝送するように構成される、前記複数の測位アンカの少なくとも１つの測位アンカを識別する、
複数の測位アンカと、
受信機を含む自己位置特定装置であって、前記自己位置特定装置は、
前記位置特定信号の少なくともいくつかを受信することと、
前記受信された位置特定信号のペイロードを抽出することと、
前記受信された位置特定信号の抽出されたペイロードに基づいて、前記自己位置特定装置の測位情報を決定するためにどの位置特定信号を受信するかを決定することと、
前記決定された位置特定信号に基づいて、前記受信機を構成することと、
前記構成された受信機を使用して、前記決定された位置特定信号を受信することと、
前記受信された決定された位置特定信号に基づいて、前記自己位置特定装置の測位情報を決定することと、
を行うように構成される、自己位置特定装置と、
を含む、位置特定システム。
【請求項６２】
前記位置特定信号は、第１の部分群と、第２の部分群とを含み、前記第１の部分群および前記第２の部分群は、少なくとも１つの異なる伝送特性を含む、請求項６１に記載の位置特定システム。
【請求項６３】
前記少なくとも１つの異なる伝送特性は、伝送中心周波数、伝送周波数帯域幅、プリアンブルコード、およびプリアンブル変調スキームのうちの少なくとも１つを含む、請求項６２に記載の位置特定システム。
【請求項６４】
前記第１の部分群からの位置特定信号および前記第２の部分群からの位置特定信号の両方は、前記伝送スケジュールの同一のタイムスロット中の伝送のためにスケジューリングされる、請求項６２または６３に記載の位置特定システム。
【請求項６５】
前記自己位置特定装置は、ステータス情報に基づいて、どの位置特定信号を受信するかを決定するように構成される、請求項６１−６４のうちのいずれか１項に記載の位置特定システム。
【請求項６６】
前記ステータス情報は、前記自己位置特定装置の現在の位置を含む、請求項６５に記載の位置特定システム。
【請求項６７】
前記ステータス情報は、前記自己位置特定装置の位置特定推定量と関連付けられる分散情報を含む、請求項６５または６６に記載の位置特定システム。
【請求項６８】
前記自己位置特定装置は、前記位置特定推定量と関連付けられる分散を最小限にするために、どの位置特定信号を受信するかを決定するように構成される、請求項６７に記載の位置特定システム。
【請求項６９】
前記位置特定信号毎のペイロードは、同一の将来のタイムスロット中に位置特定信号を伝送するように構成される、前記複数の測位アンカの２つの測位アンカを識別する、請求項６１−６８のうちのいずれか１項に記載の位置特定システム。
【請求項７０】
前記位置特定信号毎のペイロードは、少なくとも２つの将来のタイムスロットのそれぞれの間に位置特定信号を伝送するように構成される、前記複数の測位アンカの少なくとも１つの測位アンカを識別する、請求項６１−６９のうちのいずれか１項に記載の位置特定システム。
【請求項７１】
位置特定方法であって、
複数の測位アンカを使用して、伝送スケジュールのタイムスロット中に位置特定信号を無線で伝送するステップであって、
各位置特定信号は、ペイロードを含み、
前記位置特定信号毎のペイロードは、少なくとも１つの将来のタイムスロット中に位置特定信号を伝送するように構成される、前記複数の測位アンカの少なくとも１つの測位アンカを識別する、
ステップと、
自己位置特定装置を使用して、前記位置特定信号の少なくともいくつかを受信するステップと、
前記自己位置特定装置を使用して、前記受信された位置特定信号のペイロードを抽出するステップと、
前記自己位置特定装置を使用して、前記受信された位置特定信号の抽出されたペイロードに基づいて、前記自己位置特定装置の測位情報を決定するためにどの位置特定信号を受信するかを決定するステップと、
前記決定された位置特定信号に基づいて、前記自己位置特定装置の受信機を構成するステップと、
前記構成された受信機を使用して、前記決定された位置特定信号を受信するステップと、
前記自己位置特定装置を使用して、前記測位情報を決定するステップと、
を含む、方法。
【請求項７２】
前記位置特定信号は、第１の部分群と、第２の部分群とを含み、前記第１の部分群および前記第２の部分群は、少なくとも１つの異なる伝送特性を含む、請求項７１に記載の方法。
【請求項７３】
前記少なくとも１つの異なる伝送特性は、伝送中心周波数、伝送周波数帯域幅、プリアンブルコード、およびプリアンブル変調スキームのうちの少なくとも１つを含む、請求項７２に記載の方法。
【請求項７４】
前記第１の部分群からの位置特定信号および前記第２の部分群からの位置特定信号の両方は、前記伝送スケジュールの同一のタイムスロット中の伝送のためにスケジューリングされる、請求項７２または７３に記載の方法。
【請求項７５】
前記自己位置特定装置を使用して、ステータス情報に基づいて、どの位置特定信号を受信するかを決定するステップをさらに含む、請求項７１−７４のうちのいずれか１項に記載の方法。
【請求項７６】
前記ステータス情報は、前記自己位置特定装置の現在の位置を含む、請求項７５に記載の方法。
【請求項７７】
前記ステータス情報は、前記自己位置特定装置の位置特定推定量と関連付けられる分散情報を含む、請求項７５または７６に記載の方法。
【請求項７８】
前記自己位置特定装置を使用して、前記位置特定推定量と関連付けられる分散を最小限にするために、どの位置特定信号を受信するかを決定するステップをさらに含む、請求項７７に記載の方法。
【請求項７９】
前記位置特定信号毎のペイロードは、同一の将来のタイムスロット中に位置特定信号を伝送するように構成される、前記複数の測位アンカの２つの測位アンカを識別する、請求項７１−７８のうちのいずれか１項に記載の方法。
【請求項８０】
前記位置特定信号毎のペイロードは、少なくとも２つの将来のタイムスロットのそれぞれの間に位置特定信号を伝送するように構成される、前記複数の測位アンカの少なくとも１つの測位アンカを識別する、請求項７１−７９のうちのいずれか１項に記載の方法。
【請求項８１】
位置特定システムであって、
時間同期されたアンカの第１のセットを使用して、第１の位置特定信号を無線で伝送するように構成された第１の位置特定ネットワークであって、前記第１の位置特定信号は、第１の領域内の位置情報を決定するように使用可能である、第１の位置特定ネットワークと、
時間同期されたアンカの第２のセットを使用して、第２の位置特定信号を無線で伝送するように構成された第２の位置特定ネットワークであって、前記第２の位置特定信号は、第２の領域内の位置情報を決定するように使用可能である、第２の位置特定ネットワークと、
ブリッジアンカであって、
前記時間同期されたアンカの第１のセットに関連する第１の時間同期情報を受信することと、
前記時間同期されたアンカの第２のセットに関連する第２の時間同期情報を受信することｋと、
前記第１の時間同期情報に関連する時間同期情報を前記第２の位置特定ネットワークに伝送することと、
を行うように構成される、ブリッジアンカと、
を含む、位置特定システム。
【請求項８２】
前記時間同期情報は、前記第１の位置特定ネットワークのクロックオフセットおよびクロックレートのうちの少なくとも１つを含む、請求項８１に記載の位置特定システム。
【請求項８３】
前記第２の位置特定ネットワークは、前記受信された時間同期情報に基づいて、クロックオフセットおよびクロックレートのうちの少なくとも１つを調節し、前記第２の位置特定ネットワークを前記第１の位置特定ネットワークと時間同期するように構成される、請求項８２に記載の位置特定システム。
【請求項８４】
前記ブリッジアンカは、前記時間同期情報を無線で伝送するように構成され、前記第２の位置特定ネットワークの少なくとも１つのアンカは、前記時間同期情報を無線で受信するように構成される、請求項８１−８３のうちのいずれか１項に記載の位置特定システム。
【請求項８５】
前記ブリッジアンカはさらに、前記第２の時間同期情報に関連する時間同期情報を前記第１の位置特定ネットワークに伝送するように構成される、請求項８１−８４のうちのいずれか１項に記載の位置特定システム。
【請求項８６】
前記ブリッジアンカは、前記時間同期情報を前記第１の位置特定ネットワークの自己位置特定装置に無線で伝送し、前記自己位置特定装置が、前記第１の位置特定ネットワークおよび第２の位置特定ネットワークを使用してその位置を決定することを可能にするように構成される、請求項８１−８５のうちのいずれか１項に記載の位置特定システム。
【請求項８７】
前記自己位置特定装置は、前記受信された時間同期情報に基づいて、前記第１の位置特定ネットワークから位置特定信号を受信することと、前記第２の位置特定ネットワークから位置特定信号を受信することとの間で切り替えるように構成される、請求項８６に記載の位置特定システム。
【請求項８８】
前記ブリッジアンカはさらに、前記第２の位置特定信号のうちの１つまたはそれを上回るものを無線で伝送するように構成される、請求項８１−８７のうちのいずれか１項に記載の位置特定システム。
【請求項８９】
前記第２の位置特定信号のうちの１つまたはそれを上回るものは、それぞれ、プリアンブルと、ペイロードとを含み、前記第２の位置特定信号のうちの１つまたはそれを上回るもののペイロードは、前記時間同期情報を含む、請求項８８に記載の位置特定システム。
【請求項９０】
前記第２の位置特定信号を受信することと、
前記受信された第２の位置特定信号に基づいて、位置情報を決定することと、
前記第１の位置特定信号を受信するようにその受信機を構成することと、
前記受信された第１の位置特定信号に基づいて、位置情報を決定することと、
を行うように構成される、自己位置特定装置をさらに含む、請求項８１−８９のうちのいずれか１項に記載の位置特定システム。
【請求項９１】
前記自己位置特定装置はさらに、前記ブリッジアンカから時間同期情報を受信するように構成され、前記受信された第１の位置特定信号に基づいて位置情報を決定するステップはさらに、前記ブリッジアンカからの時間同期情報に依存して実行される、
請求項９０に記載の位置特定システム。
【請求項９２】
前記第１の位置特定ネットワークから前記第１の位置特定信号のうちの１つまたはそれを上回るものを受信することと、
前記ブリッジアンカから前記第２の位置特定信号のうちの１つまたはそれを上回るものを受信することと、
前記第２の位置特定ネットワークから前記第２の位置特定信号のうちの１つまたはそれを上回るものを受信することと、
前記第１の位置特定ネットワークから受信された１つまたはそれを上回る第１の位置特定信号、前記第２の位置特定ネットワークから受信された第２の位置特定信号のうちの１つまたはそれを上回るもの、および前記ブリッジアンカから受信された時間同期情報に基づいて、位置情報を決定することと、
を行うように構成される、自己位置特定装置をさらに含む、請求項８９に記載の位置特定システム。
【請求項９３】
前記ブリッジアンカは、前記第１の位置特定ネットワークおよび前記第２の位置特定ネットワークから位置特定信号を交互に受信するように構成される、請求項８１−９２のうちのいずれか１項に記載の位置特定システム。
【請求項９４】
前記第１の領域および前記第２の領域は、少なくとも部分的に重複する、請求項８１−９３のうちのいずれか１項に記載の位置特定システム。
【請求項９５】
前記ブリッジアンカは、前記受信された第１の時間同期情報および前記受信された第２の時間同期情報に基づいて、相対的時間情報を決定するように構成され、前記ブリッジアンカによって伝送される時間同期情報は、前記相対的時間情報を含む、請求項８１−９４のうちのいずれか１項に記載の位置特定システム。
【請求項９６】
位置特定システムであって、
時間同期されたアンカの第１のセットを使用して、第１の位置特定信号を伝送するように構成された第１の位置特定ネットワークであって、前記第１の位置特定信号は、第１の領域内の位置情報を決定するように使用可能である、第１の位置特定ネットワークと、
時間同期されたアンカの第２のセットを使用して、第２の位置特定信号を伝送するように構成された第２の位置特定ネットワークであって、前記第２の位置特定信号は、第２の領域内の位置情報を決定するように使用可能である、第２の位置特定ネットワークと、
ブリッジアンカであって、
前記時間同期されたアンカの第１のセットに関連する第１の時間同期情報を受信することと、
前記時間同期されたアンカの第２のセットに関連する第２の時間同期情報を受信することと、
前記受信された第１の時間同期情報に基づいて、第１の動作モードにおいて前記第１の位置特定ネットワークの一部として第１の位置特定信号を伝送することと、
前記受信された第２の時間同期情報に基づいて、第２の動作モードにおいて前記第２の位置特定ネットワークの一部として第２の位置特定信号を伝送することと、
を行うように構成される、ブリッジアンカと、
を含む、位置特定システム。
【請求項９７】
前記ブリッジアンカは、前記第１および第２の位置特定ネットワークのうちの少なくとも１つの所望の測位性能に基づいて、前記第１の動作モードと前記第２の動作モードとの間で切り替えるように構成される、請求項９６に記載の位置特定システム。
【請求項９８】
位置特定方法であって、
第１の位置特定ネットワークを使用し、時間同期されたアンカの第１のセットを使用して、第１の位置特定信号を無線で伝送するステップであって、前記第１の位置特定信号は、第１の領域内の位置情報を決定するように使用可能である、ステップと、
第２の位置特定ネットワークを使用し、時間同期されたアンカの第２のセットを使用して、第２の位置特定信号を無線で伝送するステップであって、前記第２の位置特定信号は、第２の領域内の位置情報を決定するように使用可能である、ステップと、
ブリッジアンカを使用して、前記時間同期されたアンカの第１のセットに関連する第１の時間同期情報を受信するステップと、
前記ブリッジアンカを使用して、前記時間同期されたアンカの第２のセットに関連する第２の時間同期情報を受信するステップと、
前記ブリッジアンカを使用して、前記第１の時間同期情報に関連する時間同期情報を前記第２の位置特定ネットワークに無線で伝送するステップと、
を含む、方法。
【請求項９９】
前記自己位置特定装置が、前記第１の位置特定ネットワークおよび第２の位置特定ネットワークを使用してその位置を決定することを可能にするために、前記ブリッジアンカを使用して、前記時間同期情報を前記第１の位置特定ネットワークの自己位置特定装置に無線で伝送するステップをさらに含む、請求項９８に記載の方法。
【請求項１００】
位置特定方法であって、
第１の位置特定ネットワークを使用し、時間同期されたアンカの第１のセットを使用して、第１の位置特定信号を伝送するステップであって、前記第１の位置特定信号は、第１の領域内の位置情報を決定するように使用可能である、ステップと、
第２の位置特定ネットワークを使用し、時間同期されたアンカの第２のセットを使用して、第２の位置特定信号を伝送するステップであって、前記第２の位置特定信号は、第２の領域内の位置情報を決定するように使用可能である、ステップと、
ブリッジアンカを使用して、前記時間同期されたアンカの第１のセットに関連する第１の時間同期情報を受信するステップと、
前記ブリッジアンカを使用して、前記時間同期されたアンカの第２のセットに関連する第２の時間同期情報を受信するステップと、
前記ブリッジアンカを使用して、前記受信された第１の時間同期情報に基づいて、第１の動作モードにおいて前記第１の位置特定ネットワークの一部として第１の位置特定信号を伝送するステップと、
前記ブリッジアンカを使用して、前記受信された第２の時間同期情報に基づいて、第２の動作モードにおいて前記第２の位置特定ネットワークの一部として第２の位置特定信号を伝送するステップと、
を含む、方法。
【請求項１０１】
位置特定システムであって、
第１のタイムスタンプ可能な位置特定信号を伝送するように構成された第１のアンカであって、前記第１のタイムスタンプ可能な位置特定信号は、ペイロードが続くプリアンブルを含む、第１のアンカと、
第２のタイムスタンプ可能な位置特定信号を伝送するように構成された第２のアンカであって、前記第２のタイムスタンプ可能な位置特定信号は、ペイロードが続くプリアンブルを含み、前記第２のタイムスタンプ可能な位置特定信号の伝送は、前記第２のタイムスタンプ可能な位置特定信号が前記第１のタイムスタンプ可能な位置特定信号のプリアンブルに重複しないように、前記第１のタイムスタンプ可能な位置特定信号の伝送と部分的に重複し、前記第１のタイムスタンプ可能な位置特定信号および前記第２のタイムスタンプ可能な位置特定信号は、共通領域内で受信されることができる、第２のアンカと、
を含む、位置特定システム。
【請求項１０２】
前記第１のタイムスタンプ可能な位置特定信号のプリアンブルは、第１のコード化されたプリアンブルを含み、前記第２のタイムスタンプ可能な位置特定信号のプリアンブルは、第２の同じようにコード化されたプリアンブルを含む、請求項１０１に記載の位置特定システム。
【請求項１０３】
前記第１のタイムスタンプ可能な位置特定信号全体および前記第２のタイムスタンプ可能な位置特定信号全体ではなく、前記第１のタイムスタンプ可能な位置特定信号全体または前記第２のタイムスタンプ可能な位置特定信号全体を受信するように構成される、自己位置特定装置をさらに含む、請求項１０１または１０２に記載の位置特定システム。
【請求項１０４】
前記第１のタイムスタンプ可能な位置特定信号のプリアンブルおよび前記第２のタイムスタンプ可能な位置特定信号全体を受信するように構成される、自己位置特定装置をさらに含む、請求項１０１−１０３のうちのいずれか１項に記載の位置特定システム。
【請求項１０５】
前記第２のタイムスタンプ可能な位置特定信号のプリアンブルは、前記第１のタイムスタンプ可能な位置特定信号のペイロードと重複する、請求項１０１−１０４のうちのいずれか１項に記載の位置特定システム。
【請求項１０６】
前記第１のタイムスタンプ可能な位置特定信号はさらに、前記プリアンブルと前記ペイロードとの間にフレーム開始デリミタ（ＳＦＤ）を含み、前記第２のタイムスタンプ可能な位置特定信号は、前記第１のタイムスタンプ可能な位置特定信号のＳＦＤに重複せず、前記タイムスタンプ可能な位置特定システムはさらに、前記第１のタイムスタンプ可能な位置特定信号のプリアンブルおよびＳＦＤならびに前記第２のタイムスタンプ可能な位置特定信号全体を受信するように構成される自己位置特定装置を含む、請求項１０１−１０５のうちのいずれか１項に記載の位置特定システム。
【請求項１０７】
前記自己位置特定装置はさらに、
前記第１の位置特定信号のプリアンブルまたはＳＦＤの受信に対応するタイムスタンプを決定することと、
前記第１のタイムスタンプ可能な位置特定信号の既知の伝送時間および前記タイムスタンプに基づいて、位置情報を決定することと、
を行うように構成される、請求項１０６に記載の位置特定システム。
【請求項１０８】
前記第１のタイムスタンプ可能な位置特定信号のペイロードは、第１および第２のペイロードを含み、前記第２のタイムスタンプ可能な位置特定信号は、前記第１のタイムスタンプ可能な位置特定信号の第１のペイロードではなく、第２のペイロードと重複する、請求項１０１−１０７のうちのいずれか１項に記載の位置特定システム。
【請求項１０９】
前記第１のタイムスタンプ可能な位置特定信号の第１のペイロードおよび前記第２のタイムスタンプ可能な位置特定信号全体を受信するように構成される、自己位置特定装置をさらに含む、請求項１０８に記載の位置特定システム。
【請求項１１０】
前記第１のアンカは、伝送中心周波数および伝送周波数帯域幅を使用して、前記第１のタイムスタンプ可能な位置特定信号を伝送するように構成され、前記第２のアンカは、前記伝送中心周波数および前記伝送周波数帯域幅を使用して、前記第２のタイムスタンプ可能な位置特定信号を伝送するように構成される、請求項１０１−１０９のうちのいずれか１項に記載の位置特定システム。
【請求項１１１】
前記第１のアンカは、複数の第１のタイムスタンプ可能な位置特定信号を伝送するように構成され、
前記第２のアンカは、複数の第２のタイムスタンプ可能な位置特定信号を伝送するように構成され、前記複数の第２のタイムスタンプ可能な位置特定信号はそれぞれ、前記複数の第１のタイムスタンプ可能な位置特定信号のうちの対応するものと部分的に重複する、
請求項１０１−１１０のうちのいずれか１項に記載の位置特定システム。
【請求項１１２】
４つまたはそれを上回るアンカをさらに含み、前記４つまたはそれを上回るアンカは、前記第１のアンカと、前記第２のアンカとを含み、前記４つまたはそれを上回るアンカは、前記タイムスタンプ可能な位置特定信号の伝送に部分的に重複する伝送スケジュールに従ってタイムスタンプ可能な位置特定信号を伝送するように構成され、それによって、前記タイムスタンプ可能な位置特定システムに、前記タイムスタンプ可能な位置特定信号が重複しない場合よりも多くの単位時間あたりタイムスタンプ可能な信号を伝送させる、請求項１０１−１１１のうちのいずれか１項に記載の位置特定システム。
【請求項１１３】
前記第１および第２のタイムスタンプ可能な位置特定信号のそれぞれのペイロードは、いつアンカが将来のタイムスロット中に位置特定信号を伝送するように構成されるかを識別する、請求項１０１−１１２のうちのいずれか１項に記載の位置特定システム。
【請求項１１４】
いつアンカが将来のタイムスロット中に位置特定信号を伝送するように構成されるかの識別を受信することと、
前記受信された識別に基づいて、その全体におけるどのタイムスタンプ可能な信号を受信するかを選択することと、
を行うように構成される、自己位置特定装置をさらに含む、請求項１１３に記載の位置特定システム。
【請求項１１５】
前記第１のタイムスタンプ可能な位置特定信号は、第１の超広帯域（ＵＷＢ）信号を含み、前記第２のタイムスタンプ可能な位置特定信号は、第２のＵＷＢ信号を含む、請求項１１１に記載の位置特定システム。
【請求項１１６】
位置特定のための方法であって、
第１のアンカを使用して、第１のタイムスタンプ可能な位置特定信号を伝送するステップであって、前記第１のタイムスタンプ可能な位置特定信号は、ペイロードが続くプリアンブルを含む、ステップと、
第２のアンカを使用して、第２のタイムスタンプ可能な位置特定信号を伝送するステップであって、前記第２のタイムスタンプ可能な位置特定信号は、ペイロードが続くプリアンブルを含み、前記第２のタイムスタンプ可能な位置特定信号の伝送は、前記第２のタイムスタンプ可能な位置特定信号が前記第１のタイムスタンプ可能な位置特定信号のプリアンブルに重複しないように、前記第１のタイムスタンプ可能な位置特定信号の伝送と部分的に重複し、前記第１のタイムスタンプ可能な位置特定信号および前記第２のタイムスタンプ可能な位置特定信号は、共通領域内で受信されることができる、ステップと、
を含む、方法。
【請求項１１７】
前記第１のタイムスタンプ可能な位置特定信号はさらに、前記プリアンブルと前記ペイロードとの間にフレーム開始デリミタ（ＳＦＤ）を含み、前記第２のタイムスタンプ可能な位置特定信号は、前記第１のタイムスタンプ可能な位置特定信号のＳＦＤに重複せず、前記方法はさらに、自己位置特定装置を使用して、前記第１のタイムスタンプ可能な位置特定信号のプリアンブルおよびＳＦＤならびに前記第２のタイムスタンプ可能な位置特定信号全体を受信するステップを含む、請求項１１６に記載の方法。
【請求項１１８】
前記自己位置特定装置を使用して、前記第１の位置特定信号のプリアンブルまたはＳＦＤの受信に対応するタイムスタンプを決定するステップと、
前記自己位置特定装置を使用して、前記第１のタイムスタンプ可能な位置特定信号の既知の伝送時間および前記タイムスタンプに基づいて、位置情報を決定するステップと、
をさらに含む、請求項１１６または１１７に記載の方法。
【請求項１１９】
前記第１のタイムスタンプ可能な位置特定信号のペイロードは、第１および第２のペイロードを含み、前記第２のタイムスタンプ可能な位置特定信号は、前記第１のタイムスタンプ可能な位置特定信号の第１のペイロードではなく、第２のペイロードと重複し、前記方法はさらに、自己位置特定装置を使用して、前記第１のタイムスタンプ可能な位置特定信号の第１のペイロードおよび前記第２のタイムスタンプ可能な位置特定信号全体を受信するステップを含む、請求項１１６−１１８のうちのいずれか１項に記載の方法。
【請求項１２０】
前記第１のタイムスタンプ可能な位置特定信号は、第１の超広帯域（ＵＷＢ）信号を含み、前記第２のタイムスタンプ可能な位置特定信号は、第２のＵＷＢ信号を含む、請求項１１６−１１９のうちのいずれか１項に記載の方法。
【請求項１２１】
複数の測位アンカを含む位置特定システムを動作させるための方法であって、
前記複数の測位アンカの第１のサブセットを第１のサブネットワークに分配するステップと、
第１の伝送スケジュールに従って、第１の位置特定信号を伝送するように前記測位アンカの第１のサブセットの第１のサブネットワークを動作させるステップであって、前記第１の位置特定信号は、自己位置特定装置によって、第１の地理的領域内の位置情報を決定するために使用されることができる、ステップと、
前記複数の測位アンカの第２のサブセットが前記第１のサブネットワークに分配されるように、前記第１のサブネットワークへの前記複数の測位アンカの分配を調節するステップであって、前記第１のサブセットの少なくとも１つの測位アンカは、前記第２のサブセット内に含まれず、前記第２のサブセットの少なくとも１つの測位アンカは、前記第１のサブセット内に含まれない、ステップと、
第２の伝送スケジュールに従って、第２の位置特定信号を伝送するように前記測位アンカの第２のサブセットの第１のサブネットワークを動作させるステップであって、前記第２の位置特定信号は、前記自己位置特定装置によって、第２の地理的領域内の位置情報を決定するために使用されることができる、ステップと、
を含む、方法。
【請求項１２２】
前記複数の測位アンカの第３のサブセットを第２のサブネットワークに分配するステップと、
第３の伝送スケジュールに従って、第３の位置特定信号を伝送するように前記測位アンカの第３のサブセットの第２のサブネットワークを動作させるステップであって、前記第３の位置特定信号は、前記自己位置特定装置によって、第３の地理的領域内の位置情報を決定するために使用されることができる、ステップと、
をさらに含む、請求項１２１に記載の方法。
【請求項１２３】
前記第１のサブネットワークおよび前記第２のサブネットワークを同時に動作させるステップをさらに含む、請求項１２２に記載の方法。
【請求項１２４】
前記複数の測位アンカの第３のサブセットは、前記複数の測位アンカの第１のサブセットの測位アンカのいずれも含まない、請求項１２２または１２３に記載の方法。
【請求項１２５】
前記複数の測位アンカの第１のサブセットの第１のサブネットワークおよび前記第２のサブネットワークを同時に動作させるステップをさらに含み、
前記複数の測位アンカの第３のサブセットは、前記複数の測位アンカの第１のサブセットの少なくとも１つの測位アンカを含み、
前記第１および第３の位置特定信号の伝送は、少なくとも１つの異なる伝送特性を使用する、
請求項１２２−１２４のうちのいずれか１項に記載の方法。
【請求項１２６】
前記少なくとも１つの異なる伝送特性は、伝送中心周波数、伝送周波数帯域幅、プリアンブルコード、およびプリアンブル変調スキームのうちの少なくとも１つを含む、請求項１２５に記載の方法。
【請求項１２７】
前記第１の地理的領域および前記第３の地理的領域は、重複しない、請求項１２２−１２６のうちのいずれか１項に記載の方法。
【請求項１２８】
前記複数の測位アンカの第１のサブセットの第１のサブネットワークおよび前記第２のサブネットワークを同時に動作させるステップをさらに含み、前記第１のサブネットワークのアンカのうちの少なくとも１つは、前記第１の地理的領域のサイズを縮小させるようにより低い伝送電力を使用して動作され、したがって、前記第１の地理的領域および前記第２の地理的領域は、重複しない、請求項１２２−１２７のうちのいずれか１項に記載の方法。
【請求項１２９】
前記第１のサブネットワークおよび前記第２のサブネットワークは、同一の伝送特性を使用して、第１および第２の位置特定信号を伝送し、前記第１および第２の位置特定信号は、時間において重複する、請求項１２８に記載の方法。
【請求項１３０】
前記複数の測位アンカの第４のサブセットが前記第２のサブネットワークに分配されるように、前記第２のサブネットワークへの前記複数の測位アンカの分配を調節するステップをさらに含み、前記第３のサブセットの少なくとも１つの測位アンカは、前記第４のサブセット内に含まれず、前記第４のサブセットの少なくとも１つの測位アンカは、前記第３のサブセット内に含まれない、請求項１２２−１２９のうちのいずれか１項に記載の方法。
【請求項１３１】
前記第１のサブネットワークによってサービス提供される地理的領域を動的に変更するために、前記第１のサブネットワークへの前記複数の測位アンカの分配を付加的に調節するステップをさらに含む、請求項１２１−１３０のうちのいずれか１項に記載の方法。
【請求項１３２】
前記第１のサブネットワークへの複数の測位アンカの分配は、前記第１のサブネットワークによってサービス提供される少なくとも１つの自己位置特定装置の既知の運動に基づいて調節される、請求項１２１−１３１のうちのいずれか１項に記載の方法。
【請求項１３３】
前記運動は、飛行パターンである、請求項１３２に記載の方法。
【請求項１３４】
前記少なくとも１つの自己位置特定装置の既知の場所を受信するステップをさらに含む、請求項１２１−１３３のうちのいずれか１項に記載の方法。
【請求項１３５】
前記位置特定システムにおける第１のサブネットワークの使用は、前記第１の地理的領域内の測位性能を増加させる、請求項１２１−１３４のうちのいずれか１項に記載の方法。
【請求項１３６】
前記第１の位置特定信号は、第１の超広帯域（ＵＷＢ）信号を含み、前記第２の位置特定信号は、第２のＵＷＢ信号を含む、請求項１２１−１３５のうちのいずれか１項に記載の方法。
【請求項１３７】
位置特定システムであって、
複数の測位アンカを含み、前記複数の測位アンカは、
前記複数の測位アンカの第１のサブセットを第１のサブネットワークに分配することと、
第１の伝送スケジュールに従って、第１の位置特定信号を伝送するように前記測位アンカの第１のサブセットの第１のサブネットワークを動作させることであって、前記第１の位置特定信号は、自己位置特定装置によって、第１の地理的領域内の位置情報を決定するために使用されることができる、ことと、
前記複数の測位アンカの第２のサブセットが前記第１のサブネットワークに分配されるように、前記第１のサブネットワークへの前記複数の測位アンカの分配を調節することであって、前記第１のサブセットの少なくとも１つの測位アンカは、前記第２のサブセット内に含まれず、前記第２のサブセットの少なくとも１つの測位アンカは、前記第１のサブセット内に含まれない、ことと、
第２の伝送スケジュールに従って、第２の位置特定信号を伝送するように前記測位アンカの第２のサブセットの第１のサブネットワークを動作させることであって、前記第２の位置特定信号は、前記自己位置特定装置によって、第２の地理的領域内の位置情報を決定するために使用されることができる、ことと、
を行うように構成される、位置特定システム。
【請求項１３８】
前記位置特定システムはさらに、
前記複数の測位アンカの第３のサブセットを第２のサブネットワークに分配することと、
第３の伝送スケジュールに従って、第３の位置特定信号を伝送するように前記測位アンカの第３のサブセットの第２のサブネットワークを動作させることであって、前記第３の位置特定信号は、前記自己位置特定装置によって、第３の地理的領域内の位置情報を決定するために使用されることができる、ことと、
を行うように構成される、請求項１３７に記載のシステム。
【請求項１３９】
前記第１の位置特定信号は、第１の超広帯域（ＵＷＢ）信号を含み、前記第２の位置特定信号は、第２のＵＷＢ信号を含む、請求項１３７または１３８に記載のシステム。
【請求項１４０】
位置特定システムであって、
少なくとも第１の測位アンカ、第２の測位アンカ、および第３の測位アンカを含む、複数の測位アンカと、
第１の伝送スケジュールに従って、第１の時間期間中に第１の位置特定信号を伝送するように構成される、測位アンカの第１のサブセットであって、前記第１の位置特定信号は、自己位置特定装置によって、第１の地理的領域内の位置情報を決定するために使用されることができ、前記測位アンカの第１のサブセットは、前記第１の測位アンカと、前記第２の測位アンカとを含み、前記第３の測位アンカは、前記第１の時間期間中に伝送しないように構成される、測位アンカの第１のサブセットと、
第２の伝送スケジュールに従って、第２の後続時間期間中に第２の位置特定信号を伝送するように構成される、測位アンカの第２のサブセットであって、前記第２の位置特定信号は、前記自己位置特定装置によって、第２の地理的領域内の位置情報を決定するために使用されることができ、前記測位アンカの第２のサブセットは、前記第１の測位アンカと、前記第３の測位アンカとを含み、前記第２の測位アンカは、前記第２の時間期間中に伝送しないように構成される、測位アンカの第２のサブセットと、
を含む、位置特定システム。
【請求項１４１】
複数の測位アンカを含む位置特定システムを動作させるための方法であって、
前記複数の測位アンカを使用して、第１の伝送スケジュールに従って、第１のタイムスタンプ可能な位置特定信号を伝送するステップであって、前記第１のタイムスタンプ可能な位置特定信号は、伝送特性の第１のセットを含み、前記第１のタイムスタンプ可能な位置特定信号は、自己位置特定装置によって、第１の地理的領域内の位置情報を決定するために使用されることができる、ステップと、
前記複数の測位アンカを使用して、第２の伝送スケジュールに従って、第２のタイムスタンプ可能な位置特定信号を伝送するステップであって、前記第２のタイムスタンプ可能な位置特定信号は、伝送特性の第２のセットを含み、前記第２のタイムスタンプ可能な位置特定信号は、前記自己位置特定装置によって、第２の地理的領域内の位置情報を決定するために使用されることができる、ステップと、
を含み、
前記第１の地理的領域および前記第２の地理的領域は、少なくとも部分的に重複し、
前記第１のタイムスタンプ可能な位置特定信号および前記第２のタイムスタンプ可能な位置特定信号の少なくともいくつかは、それらが時間において重複するように伝送され、
少なくとも１つのタイプの伝送特性が、前記伝送特性の第１のセットおよび前記伝送特性の第２のセットにおいて異なり、重複する前記第１のタイムスタンプ可能な位置特定信号および前記第２のタイムスタンプ可能な位置特定信号の少なくともいくつかの間の干渉を低減させる、
方法。
【請求項１４２】
前記少なくとも１つのタイプの伝送特性は、伝送中心周波数、伝送周波数帯域幅、プリアンブルコード、およびプリアンブル変調スキームのうちの少なくとも１つを含む、請求項１４１に記載の方法。
【請求項１４３】
前記複数の測位アンカのうちの１つは、第１および第２のアンテナを含み、前記第１のアンテナを使用して、前記第１のタイムスタンプ可能な位置特定信号のうちの１つを伝送し、前記第２のアンテナを使用して、前記第２のタイムスタンプ可能な位置特定信号のうちの１つを伝送するように構成される、請求項１４１または１４２に記載の方法。
【請求項１４４】
前記１つの測位アンカは、それらが時間において重複するように、前記１つの第１のタイムスタンプ可能な位置特定信号および前記１つの第２のタイムスタンプ可能な位置特定信号を伝送するように構成される、請求項１４３に記載の方法。
【請求項１４５】
前記自己位置特定装置は、少なくとも１つの受信設定を含み、前記方法はさらに、前記第１および第２のタイムスタンプ可能な位置特定信号のうちのどちらを受信するかを選択するように、前記自己位置特定装置の少なくとも１つの受信設定を構成するステップを含む、請求項１４１−１４４のうちのいずれか１項に記載の方法。
【請求項１４６】
前記自己位置特定装置を使用して、情報に基づいて、前記第１のタイムスタンプ可能な位置特定信号のうちの１つを受信するか、または前記第２のタイムスタンプ可能な位置特定信号のうちの１つを受信するかを決定するステップをさらに含む、請求項１４１−１４５のうちのいずれか１項に記載の方法。
【請求項１４７】
前記情報は、以前に受信されたタイムスタンプ可能な位置特定信号の一部として受信される構成情報を含む、請求項１４６に記載の方法。
【請求項１４８】
前記情報は、前記自己位置特定装置のメモリ上に記憶される情報を含む、請求項１４６または１４７に記載の方法。
【請求項１４９】
前記情報は、前記自己位置特定装置の内部メトリックおよび前記自己位置特定装置の内部状態のうちの１つを含む、請求項１４６−１４８のうちのいずれか１項に記載の方法。
【請求項１５０】
前記複数の測位アンカのうちの１つを使用して、前記複数の測位アンカのうちの少なくとも１つの他のものによって伝送される前記第１のタイムスタンプ可能な位置特定信号および前記第２のタイムスタンプ可能な位置特定信号のうちの少なくとも１つを受信するステップをさらに含む、請求項１４１−１４９のうちのいずれか１項に記載の方法。
【請求項１５１】
前記１つの測位アンカを使用して、情報に基づいて、前記第１のタイムスタンプ可能な位置特定信号のうちの１つを受信するか、または前記第２のタイムスタンプ可能な位置特定信号のうちの１つを受信するかを決定するステップをさらに含む、請求項１５０に記載の方法。
【請求項１５２】
前記情報は、以前に受信されたタイムスタンプ可能な位置特定信号の一部として受信される構成情報を含む、請求項１５１に記載の方法。
【請求項１５３】
前記情報は、前記１つの測位アンカのメモリ上に記憶される情報を含む、請求項１５１に記載の方法。
【請求項１５４】
前記伝送特性の第１のセットおよび前記伝送特性の第２のセットは、同一の中心周波数および伝送周波数帯域幅を含む、請求項１４１−１５３のうちのいずれか１項に記載の方法。
【請求項１５５】
前記第１のタイムスタンプ可能な位置特定信号は、第１の超広帯域（ＵＷＢ）信号を含み、前記第２のタイムスタンプ可能な位置特定信号は、第２のＵＷＢ信号を含む、請求項１４１−１５４のうちのいずれか１項に記載の方法。
【請求項１５６】
位置特定システムであって
複数の測位アンカであって、
第１の伝送スケジュールに従って、第１のタイムスタンプ可能な位置特定信号を伝送することであって、前記第１のタイムスタンプ可能な位置特定信号は、伝送特性の第１のセットを含み、前記第１のタイムスタンプ可能な位置特定信号は、自己位置特定装置によって、第１の地理的領域内の位置情報を決定するために使用されることができる、ことと、
第２の伝送スケジュールに従って、第２のタイムスタンプ可能な位置特定信号を伝送することであって、前記第２のタイムスタンプ可能な位置特定信号は、伝送特性の第２のセットを含み、前記第２のタイムスタンプ可能な位置特定信号は、前記自己位置特定装置によって、第２の地理的領域内の位置情報を決定するために使用されることができる、ことと、
を行うように構成される、複数の測位アンカを含み、
前記第１の地理的領域および前記第２の地理的領域は、少なくとも部分的に重複し、
前記第１のタイムスタンプ可能な位置特定信号および前記第２のタイムスタンプ可能な位置特定信号の少なくともいくつかは、それらが時間において重複するように伝送され、
少なくとも１つのタイプの伝送特性が、前記伝送特性の第１のセットおよび前記伝送特性の第２のセットにおいて異なり、重複する前記第１のタイムスタンプ可能な位置特定信号および前記第２のタイムスタンプ可能な位置特定信号の少なくともいくつかの間の干渉を低減させる、
位置特定システム。
【請求項１５７】
前記複数の測位アンカはさらに、３つの無線周波数アンカの第１および第２のセットを含み、前記無線周波数アンカはそれぞれ、無線周波数信号を放出するように構成され、前記無線周波数アンカはそれぞれ、
アンカアンテナと、
アンカクロック信号を受信するように動作可能である、アンカクロックインターフェースと、
アナログ伝送電子機器と、
前記アンカクロックインターフェースおよび前記アナログ伝送電子機器に動作上結合され、前記アンカクロック信号を基準にして、スケジューリングされた伝送時間において前記無線周波数信号を放出するように動作可能である、デジタル伝送電子機器と、
を含み、
前記システムはさらに、前記無線周波数信号を受信するように動作可能である、自己位置特定装置を含み、自己位置特定装置は、
装置アンテナと、
装置クロック信号を受信するように構成される、装置クロックインターフェースと、
装置アナログ受信電子機器と、
前記装置クロックインターフェースおよび前記装置アナログ受信電子機器に動作上結合され、前記装置クロック信号を基準にして、前記受信された無線周波数信号をタイムスタンピングするように構成される、装置デジタル受信電子機器と、
を含み、
前記無線周波数アンカの第１および第２のセットは、重複する領域と地理的に隣接するセル内で動作し、
前記自己位置特定装置は、前記重複する領域内に位置付けられると、前記無線周波数アンカの第１のセットから、または前記無線周波数アンカの第２のセットから前記無線周波数信号を受信するように構成され、
前記複数の測位アンカは、時間における信号の分離、空間における信号の分離、または周波数における信号の分離のうちの少なくとも１つを使用し、前記無線周波数アンカの第１および第２のセット間の信号干渉を軽減するように構成される、
請求項１５６に記載の位置特定システム。
【請求項１５８】
前記少なくとも１つのタイプの伝送特性は、伝送中心周波数、伝送周波数帯域幅、プリアンブルコード、およびプリアンブル変調スキームのうちの少なくとも１つを含む、請求項１５６または１５７に記載のシステム。
【請求項１５９】
前記複数の測位アンカのうちの１つはさらに、前記複数の測位アンカのうちの少なくとも１つの他のものによって伝送される前記第１のタイムスタンプ可能な位置特定信号および前記第２のタイムスタンプ可能な位置特定信号のうちの少なくとも１つを受信するように構成される、請求項１５６−１５８のうちのいずれか１項に記載のシステム。
【請求項１６０】
前記第１のタイムスタンプ可能な位置特定信号は、第１の超広帯域（ＵＷＢ）信号を含み、前記第２のタイムスタンプ可能な位置特定信号は、第２のＵＷＢ信号を含む、請求項１５６−１５９のうちのいずれか１項に記載のシステム。
【請求項１６１】
車両の位置を決定するための自己位置特定装置であって、
第１のサブセットであって、
第１の無線周波数信号を受信するように動作可能である、第１のアンテナと、
前記第１の無線周波数信号を増幅するように構成される、第１のアナログ受信電子機器と、
クロック信号を基準にして、前記増幅された第１の無線周波数信号をタイムスタンピングするように構成される、第１のデジタル受信電子機器と、
前記増幅された第１の無線周波数信号のタイムスタンプに基づいて、座標系における前記自己位置特定装置の位置の第１の推定値を算出するように構成される、第１の位置特定ユニットと、
を含む、第１のサブシステムと、
前記第１のサブシステムに動作可能に結合される、第２のサブシステムであって、
第２の無線周波数信号を受信するように動作可能である、第２のアンテナと、
前記第２の無線周波数信号を増幅するように構成される、第２のアナログ受信電子機器と、
クロック信号を基準にして、前記増幅された第２の無線周波数信号をタイムスタンピングするように構成される、第２のデジタル受信電子機器と、
前記増幅された第２の無線周波数信号のタイムスタンプに基づいて、座標系における前記自己位置特定装置の位置の第２の推定値を算出するように構成される、第２の位置特定ユニットと、
を含む、第２のサブシステムと、
を含み、
前記第１のサブシステムおよび前記第２のサブシステムはそれぞれ、選択的に使用され、他方のサブシステムに依拠することなく前記車両を制御するように構成される、自己位置特定装置。
【請求項１６２】
前記第１のサブシステムはさらに、第１のクロックを含み、前記第１のデジタル受信電子機器は、前記第１のクロックによって生成される第１のクロック信号を基準にして、前記増幅された第１の無線周波数信号をタイムスタンピングするように構成され、
前記第２のサブシステムはさらに、第２のクロックを含み、前記第２のデジタル受信電子機器は、前記第２のクロックによって生成される第２のクロック信号を基準にして、前記増幅された第２の無線周波数信号をタイムスタンピングするように構成される、
請求項１６１に記載の自己位置特定装置。
【請求項１６３】
前記第１のサブシステムはさらに、前記第１のクロックに関するクロック補正値を算出するように構成される、第１の同期ユニットを含み、
前記第２のサブシステムはさらに、前記第２のクロックに関するクロック補正値を算出するように構成される、第２の同期ユニットを含む、
請求項１６１または１６２に記載の自己位置特定装置。
【請求項１６４】
前記第１のサブシステムはさらに、外部基準フレームに対する前記自己位置特定装置の位置、配向、または速度のうちの少なくとも１つを感知するための第１のセンサを含み、前記第１の位置特定ユニットは、前記第１のセンサによって生成される第１の信号にさらに基づいて、前記自己位置特定装置の位置の第１の推定値を算出するように構成され、
前記第２のサブシステムはさらに、外部基準フレームに対する前記自己位置特定装置の位置、配向、または速度のうちの少なくとも１つを感知するための第２のセンサを含み、前記第２の位置特定ユニットは、前記第２のセンサによって生成される第２の信号にさらに基づいて、前記自己位置特定装置の位置の第２の推定値を算出するように構成される、
請求項１６１−１６３のうちのいずれか１項に記載の自己位置特定装置。
【請求項１６５】
前記第１のセンサは、第１の大域的プロパティセンサであり、
前記第２のセンサは、第２の大域的プロパティセンサである、
請求項１６４に記載の自己位置特定装置。
【請求項１６６】
前記第１のサブシステムはさらに、第１の補償ユニットを含み、前記第１の位置特定ユニットは、前記第１の補償ユニットによって提供されるデータにさらに基づいて、前記自己位置特定装置の位置の第１の推定値を算出するように構成され、
前記第２のサブシステムはさらに、第２の補償ユニットを含み、前記第２の位置特定ユニットは、前記第２の補償ユニットによって提供されるデータにさらに基づいて、前記自己位置特定装置の位置の第２の推定値を算出するように構成される、
請求項１６１−１６５のうちのいずれか１項に記載の自己位置特定装置。
【請求項１６７】
クロックをさらに含み、
前記第１のデジタル受信電子機器は、前記クロックによって生成される第１のクロック信号を基準にして、前記増幅された第１の無線周波数信号をタイムスタンピングするように構成され、
前記第２のデジタル受信電子機器は、前記クロックによって生成される第１のクロック信号を基準にして、前記増幅された第２の無線周波数信号をタイムスタンピングするように構成される、
請求項１６１−１６６のうちのいずれか１項に記載の自己位置特定装置。
【請求項１６８】
同期ユニットをさらに含み、前記同期ユニットは、前記クロックに関するクロック補正値を算出するように構成される、請求項１６７に記載の自己位置特定装置。
【請求項１６９】
外部基準フレームに対する前記自己位置特定装置の位置、配向、または速度のうちの少なくとも１つを感知するためのセンサをさらに含み、
前記第１の位置特定ユニットは、前記センサによって生成される第１の信号にさらに基づいて、前記自己位置特定装置の位置の第１の推定値を算出するように構成され、
前記第２の位置特定ユニットは、前記センサによって生成される第１の信号にさらに基づいて、前記自己位置特定装置の位置の第２の推定値を算出するように構成される、
請求項１６１−１６７のうちのいずれか１項に記載の自己位置特定装置。
【請求項１７０】
前記センサは、大域的プロパティセンサである、請求項１６９に記載の自己位置特定装置。
【請求項１７１】
補償ユニットをさらに含み、
前記第１の位置特定ユニットは、前記補償ユニットによって提供されるデータにさらに基づいて、前記自己位置特定装置の位置の第１の推定値を算出するように構成され、
前記第２の位置特定ユニットは、前記補償ユニットによって提供されるデータにさらに基づいて、前記自己位置特定装置の位置の第２の推定値を算出するように構成される、
請求項１６１−１７０のうちのいずれか１項に記載の自己位置特定装置。
【請求項１７２】
無線周波数信号を伝送するように構成される、複数のアンカを含む位置特定ネットワークにおいて使用するための自己位置特定装置であって、
前記位置特定ネットワークから無線周波数信号を受信するように動作可能である、アンテナと、
前記アンテナによって受信される無線周波数信号を増幅するように構成される、アナログ受信電子機器と、
第１のクロック信号を基準にして、前記増幅された無線周波数信号をタイムスタンピングし、複数のタイムスタンプを生成するように構成される、デジタル受信電子機器と、
位置特定ユニットであって、
前記タイムスタンプに基づいて、座標系における前記自己位置特定装置の位置の推定値を算出することと、
少なくとも２つの将来の無線周波数信号から選択された将来の無線周波数信号を受信するように決定することと、
前記選択された無線周波数信号を受信するように、前記アンテナ、前記アナログ受信電子機器、および前記デジタル受信電子機器のうちの少なくとも１つを構成することと、
前記受信された選択された無線周波数信号に基づいて、前記座標系における前記自己位置特定装置の位置の更新された推定値を算出することと、
を行うように構成される、位置特定ユニットと、
を含む、自己位置特定装置。
【請求項１７３】
前記自己位置特定装置の位置を前記複数のアンカのうちの少なくとも１つに伝送するように構成される、デジタルおよびアナログ伝送電子機器をさらに含む、請求項１７２に記載の自己位置特定装置。
【請求項１７４】
前記受信された無線周波数信号は、それぞれ、ペイロードを含み、前記デジタル受信電子機器は、前記ペイロードを抽出するように構成される、請求項１７２または１７３に記載の自己位置特定装置。
【請求項１７５】
前記ペイロードは、少なくとも１つの将来のタイムスロット中に位置特定信号を伝送するように構成される、前記複数のアンカの少なくとも１つのアンカを識別する、請求項１７２−１７４のうちのいずれか１項に記載の自己位置特定装置。
【請求項１７６】
前記位置特定ユニットは、前記選択された将来の無線周波数信号を伝送するように構成されるアンカの場所および前記自己位置特定装置の位置の算出された推定値と関連付けられる分散に基づいて、前記選択された将来の無線周波数信号を受信するように決定するように構成される、請求項１７２−１７５のうちのいずれか１項に記載の自己位置特定装置。
【請求項１７７】
前記少なくとも２つの将来の無線周波数信号は、時間において部分的に重複し、前記位置特定ユニットは、前記選択された将来の無線周波数信号全体および前記少なくとも２つの将来の無線周波数信号の別のものの一部のみを受信するように構成される、請求項１７２−１７６のうちのいずれか１項に記載の自己位置特定装置。
【請求項１７８】
前記少なくとも２つの将来の無線周波数信号は、異なるプリアンブルコードを使用する、請求項１７２−１７７のうちのいずれか１項に記載の自己位置特定装置。
【請求項１７９】
前記少なくとも２つの将来の無線周波数信号は、異なる位置特定ネットワークによって伝送される、請求項１７２−１７８のうちのいずれか１項に記載の自己位置特定装置。
【請求項１８０】
前記位置特定ユニットはさらに、前記アンテナによって受信される無線周波数を伝送するように構成されるアンカの既知の場所に基づいて、前記座標系における前記自己位置特定装置の位置の推定値を算出するように構成される、請求項１７２−１７９のうちのいずれか１項に記載の自己位置特定装置。
【請求項１８１】
第１のサブシステムと、第２のサブシステムとを含む自己位置特定装置を使用して、車両の位置を決定するための方法であって、
前記第１のサブシステムの第１のアンテナを使用して、第１の無線周波数信号を受信するステップと、
前記第１のサブシステムの第１のアナログ受信電子機器を使用して、前記第１の無線周波数信号を増幅するステップと、
前記第１のサブシステムの第１のデジタル受信電子機器を使用して、クロック信号を基準にして、前記増幅された第１の無線周波数信号をタイムスタンピングするステップと、
前記第１のサブシステムの第１の位置特定ユニットを使用して、座標系における前記自己位置特定装置の位置の第１の推定値を算出するステップと、
前記第２のサブシステムの第２のアンテナを使用して、第２の無線周波数信号を受信するステップと、
前記第２のサブシステムの第２のアナログ受信電子機器を使用して、前記第２の無線周波数信号を増幅するステップと、
前記第２のサブシステムの第２のデジタル受信電子機器を使用して、クロック信号を基準にして、前記増幅された第２の無線周波数信号をタイムスタンピングするステップと、
前記第２のサブシステムの第２の位置特定ユニットを使用して、座標系における前記自己位置特定装置の位置の第２の推定値を算出するステップと、
他方のサブシステムに依拠することなく、前記車両を制御するために、前記第１のサブシステムおよび前記第２のサブシステムのうちの１つを使用するステップと、
を含む、方法。
【請求項１８２】
無線周波数信号を伝送するように構成される、複数のアンカを含む位置特定ネットワークにおける自己位置特定装置のための位置特定方法であって、
アンテナを使用して、前記位置特定ネットワークから無線周波数信号を受信するステップと、
アナログ受信電子機器を使用して、前記アンテナによって受信された無線周波数信号を増幅するステップと、
複数のタイムスタンプを生成するために、デジタル受信電子機器を使用して、第１のクロック信号を基準にして、前記増幅された無線周波数信号をタイムスタンピングするステップと、
位置特定ユニットを使用して、前記タイムスタンプに基づいて、座標系における前記自己位置特定装置の位置の推定値を算出するステップと、
前記位置特定ユニットを使用して、少なくとも２つの将来の無線周波数信号から選択された将来の無線周波数信号を受信するように決定するステップと、
前記位置特定ユニットを使用して、前記選択された無線周波数信号を受信するように、前記アンテナ、前記アナログ受信電子機器、および前記デジタル受信電子機器のうちの少なくとも１つを構成するステップと、
前記位置特定ユニットを使用して、前記受信された選択された無線周波数信号に基づいて、前記座標系における前記自己位置特定装置の位置の更新された推定値を算出するステップと、
を含む、方法。
【発明の詳細な説明】
【技術分野】
【０００１】
（関連出願の相互参照）
本願は、２０１５年５月２９日に出願された米国仮出願第６２／１６８，７０４号および２０１６年３月７日に出願された米国出願第１５／０６３，１０４号の利益を主張するものであり、これらの両方は、全体が参照により本明細書中に援用される。
【０００２】
本開示は、物体の位置特定の分野に関する。本開示はまた、超広帯域（ＵＷＢ）信号等のタイムスタンプ可能な信号を使用する位置特定システムおよび方法に関する。本開示はさらに、自己位置特定装置の動作に関する。
【背景技術】
【０００３】
ロジスティクスおよび産業自動化は、「スマートなモノ」から効果的な追跡および補助ソリューションを通して自動搬送車両（ＡＧＶ）等のロボットに及ぶ用途において、手動および自動化プロセスをサポートならびに制御するための正確な位置特定にますます依拠している。
【０００４】
ＵＷＢ技術が、資産追跡用途に対して好適な位置特定ソリューションとして提唱されている。そのような用途は、倉庫、病院、または工場における資産の集中データベースおよびその保管場所を保守することに関する。ＵＷＢ技術を使用するとき、パレット、機器、または人等の資産は、一定の間隔においてＵＷＢ信号を放出するタグを具備し得る。これらの信号は、次いで、倉庫、病院、または工場内に設置されたＵＷＢセンサによって検出され得る。中央サーバが、次いで、ＵＷＢセンサによって検出されたＵＷＢ信号を使用し、タグの場所を算出し、集中データベースを更新する。
【０００５】
移動ロボットが、消費者および産業の両方の環境における作業能力を補助するために、ますます使用されている。自律的移動ロボットが、特に、作業者を汚い、退屈な、危険な、または遠隔の作業から解放すること、高い再現性、およびますます多くの場合において、また、高性能を含む、利益を提供する。一般的な移動ロボットおよび自律的移動ロボットの開発における重要な課題は、特に、ロボット位置特定、すなわち、空間におけるロボットの位置を決定することである。現在の位置特定ソリューションは、全地球的航法衛星システム（ＧＮＳＳ）等によって提供される位置特定が、信頼性がない、もしくは動作不能であるエリアにおいて移動ロボットが動作する用途、または人に近接した動作を要求する用途を含め、多くの移動ロボット用途に対してあまり好適ではない。
【０００６】
ロボット位置特定のための現在のＵＷＢ位置特定ソリューションを使用することは、移動ロボットがその独自の場所を直接決定することを可能にしないであろう。むしろ、タグを具備するロボットが、最初に、その場所からＵＷＢ信号を放出し、その近傍におけるＵＷＢセンサが、次いで、そのＵＷＢ信号を検出し、これを中央サーバに中継し、これは、次いで、移動ロボットの場所を算出し、次いで、本場所は、無線リンクを使用して、ロボットに戻るように通信される必要があるであろう。本タイプのシステムアーキテクチャは、常に、移動ロボットを制御するための有意な通信遅延（例えば、待ち持間）を導入する。本通信アーキテクチャはまた、（例えば、無線干渉に起因して）信号消失および対応してより低いシステムロバスト性の比較的に高いリスクをもたらし、これは、多くの安全重視ロボット用途（例えば、自律的移動ロボット動作）に対してこれを不適にする。さらに、これらのシステムでは、複数のＵＷＢ信号が現在は重複しないため、本アーキテクチャでは、タグの最大数およびタグ放出レート（すなわち、位置特定システムの更新レート）は、常に、リンク付けされる。これは、所与のタグ放出レートに対して限定されたスケーラビリティをもたらす（すなわち、本システムは、並行して限定された数のタグしかサポートすることができない）。加えて、より高いタグ放出レートまたは冗長性が要求される場合、より少ない数のタグが、使用される必要があるであろう。加えて、そのようなアーキテクチャでは、タグの位置を決定するための最大更新レートは、タグの数に反比例する。これは、多数の物体が高更新レートを用いて追跡される必要がある状況に対して不適である。
【０００７】
従来技術において提案された別の位置特定システムは、ＵＷＢ信号の双方向交換を通して定常送受信機と通信するモバイル送受信機を使用する。定常送受信機との双方向通信は、モバイル送受信機がそれ自体と定常送受信機との間の飛行時間を算出することを可能にする。本アーキテクチャでは、移動送受信機と定常送受信機との間の通信は、通信が干渉しないように調整されなくてはならない。３つまたはそれを上回る定常送受信機への飛行時間の知識は、各移動送受信機が、三辺測量を使用して、環境内のその相対的場所を算出することを可能にする。各移動送受信機は、各定常送受信機と通信するため、本システムの更新レートは、移動送受信機の数および定常送受信機の数に反比例する。本アーキテクチャは、したがって、多数の物体が高頻度で位置特定されなければならない（例えば、位置測定値がロボットの運動に影響を及ぼすためにロボットの制御ループにおいて使用される、ロボットの群を追跡する）システム、モバイル送受信機の位置もしくは識別がプライベートに保たれるべきである（例えば、人を追跡する）システム、送受信機冗長性および高更新頻度の両方が所望されるシステム（例えば、車両のための測位システム等の安全重視用途）に対して、またはマルチパス信号を明瞭化することに役立てるために最大数の送受信機を要求し、高更新頻度および多数の追跡される物体が所望されるマルチパス環境（例えば、ロボット倉庫）において好適ではない。
【発明の概要】
【課題を解決するための手段】
【０００８】
本開示によると、位置特定するための現在のシステムの限界は、低減または排除される。加えて、本開示は、現在の位置特定システムに優る種々の技術的利点を提供する。
【０００９】
本開示のある実施形態の技術的利点は、２次元または３次元空間における物体を位置特定することに関する。例えば、自己位置特定装置が車輪付き移動ロボットの場所を決定するために使用される実施形態では、伝送スケジュールが、これがロボットの動作エリアもしくは現在の位置に対するアンカの相対的場所を考慮するように、またはこれがロボットの移動制約（例えば、全ての可能性として考えられる場所が、２Ｄ平面内である）を考慮するように最適化され得る。ある実施形態のさらなる技術的利点は、リアルタイムまたはオフラインのいずれかで、具体的使用事例または用途のために位置特定システムの性能を最適化し得る。例えば、ある実施形態では、伝送スケジュールは、事前決定されたルールに基づいて（例えば、自己位置特定装置の推定された場所と１つまたはそれを上回る事前決定された場所との比較に基づいて、タイムコードに基づいて、あるプロパティに基づいて）、または要求（例えば、オペレータコマンド）に基づいて、動的に再構成され得る。
【図面の簡単な説明】
【００１０】
本開示の実施形態は、同様の参照記号が類似する要素を示す、付随の図面の図において、限定としてではなく、実施例として図示される。
【図１】図１は、本開示のいくつかの実施形態による、例証的位置特定システムのブロック図である。
【図２】図２は、本開示のいくつかの実施形態による、位置特定システムの例証的送受信機および自己位置特定装置のブロック図である。
【図３】図３は、本開示のいくつかの実施形態による、位置特定システムの例証的送受信機の詳細ブロック図である。
【図４】図４は、本開示のいくつかの実施形態による、第１および第２の送受信機の対を備える、例証的送受信機のブロック図である。
【図５】図５は、本開示のいくつかの実施形態による、例証的自己位置特定装置のブロック図である。
【図６】図６は、本開示のいくつかの実施形態による、例証的タイミング図である。
【図７】図７は、本開示のいくつかの実施形態による、第１および第２の自己位置特定装置の対を備える、例証的自己位置特定装置のブロック図である。
【図８】図８は、本開示のいくつかの実施形態による、複数の選択可能なアンテナを備える、例証的自己位置特定装置のブロック図である。
【図９】図９は、本開示のいくつかの実施形態による、場所更新プロセスを含む、例証的位置特定ユニットのブロック図である。
【図１０】図１０は、本開示のいくつかの実施形態による、自己位置特定装置を含む例証的移動ロボットを示す。
【図１１】図１１は、本開示のいくつかの実施形態による、例えば、図１０の移動ロボットと併用され得る、例証的制御ユニットのブロック図である。
【図１２】図１２は、本開示のいくつかの実施形態による、多数の送受信機を伴う例証的送受信機ネットワークを示す。
【図１３】図１３は、本開示のいくつかの実施形態による、例証的簡略化送受信機ネットワークを示す。
【図１４】図１４は、本開示のいくつかの実施形態による、地理的に隣接するセルを有する例証的送受信機ネットワークを示す。
【図１５】図１５は、本開示のいくつかの実施形態による、複数の送受信機セルによってサービス提供されるエリア内で動作する例証的移動ロボットを示す。
【図１６】図１６は、本開示のいくつかの実施形態による、スケジュールを決定するために使用され得る例証的入力パラメータマップを示す。
【図１７】図１７は、本開示のいくつかの実施形態による、スケジュールを決定するために使用される例証的動的測位性能マップを示す。
【図１８】図１８は、本開示のいくつかの実施形態による、スケジュールが調節され得る方法の例証的実施例を示す。
【図１９】図１９は、本開示のいくつかの実施形態による、スケジュールが調節され得る方法の別の例証的実施例を示す。
【図２０】図２０は、本開示のいくつかの実施形態による、移動ロボットの２つの群に関してスケジュールが調節され得る方法の例証的実施例を示す。
【図２１】図２１は、本開示のいくつかの実施形態による、位置特定信号の例証的構造の図である。
【図２２】図２２は、本開示のいくつかの実施形態による、より高い位置特定更新レートを達成するために使用され得る例証的伝送スケジュールを示す。
【図２３】図２３は、本開示のいくつかの実施形態による、図２２の例証的伝送スケジュールの一部および対応する受信機アクティビティを示す。
【図２４】図２４は、本開示のいくつかの実施形態による、２つのペイロードを備える位置特定信号の例証的伝送スケジュールを示す。
【図２５】図２５は、本開示のいくつかの実施形態による、例証的位置特定システムおよび対応する性能マップを示す。
【図２６】図２６は、本開示のいくつかの実施形態による、異なる性能マップと併用される図２５の例証的位置特定システムを示す。
【図２７】図２７は、本開示のいくつかの実施形態による、例証的位置特定システムおよび対応する性能マップを示す。
【図２８】図２８は、本開示のいくつかの実施形態による、異なる性能マップと併用される図２５の例証的位置特定システムを示す。
【図２９】図２９は、本開示のいくつかの実施形態による、位置特定信号の例証的伝送スケジュールを示す。
【図３０】図３０は、本開示のいくつかの実施形態による、位置特定信号の別の例証的伝送スケジュールを示す。
【図３１】図３１は、本開示のいくつかの実施形態による、その受信機を構成するために自己位置特定装置上に実装され得る論理の例証的フローチャートを示す。
【図３２】図３２は、本開示のいくつかの実施形態による、屋内および屋外環境への性能マップの例証的適用を示す。
【図３３】図３３は、本開示のいくつかの実施形態による、２つの例証的位置特定ネットワークを示す。
【図３４】図３４は、本開示のいくつかの実施形態による、例証的ブリッジアンカのブロック図である。
【図３５】図３５は、本開示のいくつかの実施形態による、別の例証的ブリッジアンカのブロック図である。
【発明を実施するための形態】
【００１１】
ある実施形態の技術的利点は、位置特定正確度または精度を改良する。ある実施形態の技術的利点は、位置特定情報が取得または更新され得るレートもしくは待ち時間を改良する。例えば、ある実施形態では、重複するが干渉しない位置特定信号が、自己位置特定装置が特定の領域内で、または特定の時間においてより高いレートでその位置を決定することを可能にするために使用され得る。ある実施形態の技術的利点は、位置特定情報の情報コンテンツを改良する。例えば、いくつかの実施形態では、自己位置特定装置は、ある空間的方向における、またはある空間的軸に沿ったその位置推定値の特に高い不確定性が低減されるように、位置特定信号を受信するように選択し得る。
【００１２】
ある実施形態のまたさらなる技術的利点は、例えば、その独自の場所を決定するためのデバイスによって使用される、無線信号の受信に関する。いくつかの実施形態では、位置特定信号の受信は、直接的な視通線が受信デバイスと十分に多数の信号送信機との間に確立され得ないとき、劣化しない。例えば、いくつかの実施形態は、ＧＮＳＳ衛星への良好な視通線を伴わないエリアおよび屋内の両方における動作を可能にする。いくつかの実施形態では、信号は、マルチパスによって歪曲されない、狭帯域信号において観察されるマルチパスフェージングを被らない、または屋内環境において直接的な視通線が欠如するとき、低減された信号品質に悩まされない。例えば、いくつかの実施形態は、ＧＮＳＳ信号上にロックを留保することがより困難になるもの等、封入された環境（例えば、屋内）、森林、または密集した都市環境において、性能劣化を示さない。
【００１３】
いくつかの実施形態の技術的利点は、適正な時間分離を伴う受信機のアンテナにおける複数の位置特定信号の着信を可能にし、信号重複の状況にあっても、位置特定システムの劣化した信号検出および低減された性能を回避し得る。
【００１４】
いくつかの実施形態の技術的利点は、それらが、リアルタイムで使用され得る、または無制限の数の受信機によって使用され得、ＧＰＳ拒否環境またはより高い正確度もしくはシステム冗長性もしくはフェイルセーフ動作が所望され得る任意の環境において、その２Ｄもしくは３Ｄ位置を決定するようにする。
【００１５】
いくつかの実施形態の技術的利点は、現在可能なものよりも、より広い空間において高い更新レートを伴う、それよりも少ない待ち時間を伴う、またはそれよりも高い正確度を伴う位置特定を可能にすることによって、現在の移動ロボットの性能を増加させ、移動ロボットの新しい使用を可能にし、より高性能のロボット制御をもたらし得る。
【００１６】
いくつかの実施形態のさらなる技術的利点は、人物、移動ロボット、または別の機械が、信号を放出する必要性なく、空間におけるその３Ｄ位置を決定し得る自己位置特定装置を具備することを可能にし得る。これは、規制上の利点を提供することによって、スケーラビリティを可能にすることによって（例えば、本システムは、並行して無制限の数の自己位置特定装置によって、または恣意的に広い空間内で使用され得る）、より高い冗長性を可能にすることによって（例えば、非放出装置が、所与のネットワークトラフィック負荷に対してより多くの放出アンカを可能にする）、より効率的な帯域幅使用を可能にすることによって（例えば、より少ない放出、より少ない干渉）、受信機のエネルギー効率を増加させることによって（例えば、伝送のためのエネルギーを要求しないことによって）、動作のプライバシーを強化することによって、およびデータをこれが必要とされる場所でローカルに利用可能にすることによって、位置特定性能を増加させ、位置特定技術の新しい使用を可能にし、増加された更新レート、より少ない待ち時間、より速い速度、およびさらなるシステムロバスト性をもたらし得る。
【００１７】
いくつかの実施形態のさらなる技術的利点は、１つまたはそれを上回る位置特定ネットワーク（例えば、ＵＷＢネットワーク）、複数の場所からの大域的プロパティの読取値、およびオンボード運動センサを含む、いくつかのソースからのデータを融合することによって、改良されたシステム性能を可能にし得る。
【００１８】
いくつかの実施形態のさらなる技術的利点は、分散された位置特定システムを提供することに関連付けられる。そのようなシステムは、単一ソースからのセンサ信号に依拠しないため、ロボット動作のための増加されたロバスト性および安全性を提供し得る。これはまた、冗長性を提供することによって、最小限の性能劣化を提供し得、冗長データを提供することによって、データにおける不一致の識別および解消を可能にし得、個々の送受信機から受信された信号の比較に基づいて位置特定を実施することによって、より高い性能を提供し得る。
【００１９】
いくつかの実施形態のまたさらなる技術的利点は、送受信機と自己位置特定装置との間の直接的な視通線を伴わずに位置特定を可能にする。さらに、さらなる技術的利点は、無線周波数トラフィックからの擾乱へのより低い感受性、セキュアな通信、ならびに干渉、雑音、および電場妨害への増加した耐性を可能にする。
【００２０】
さらなる技術的利点は、以下の説明、図面、および請求項から当業者に容易に明白となるであろう。さらに、具体的利点が上記に列挙されたが、種々の実施形態は、列挙された利点の全てを含む、いくつかを含む、またはいずれも含まない場合がある。列挙された利点は、任意の実施形態のために必要なものとして考慮されるべきではない。
【００２１】
本開示は、タイムスタンプ可能な信号（時として、本明細書では「位置特定信号」と称される）を使用する。タイムスタンプ可能な信号は、無線周波数（ＲＦ）信号であり、各信号は、検出され得、かつ精密にタイムスタンピングされ得る特徴を有する。特徴の実施例は、信号ピーク、信号の立ち上がり、および信号プリアンブルを含む。タイムスタンプ可能な信号の実施例は、固有の、明確に定義される、かつ繰り返し可能な経時的周波数増加または周波数減少を伴うＲＦ信号を含む。タイムスタンプ可能な信号のさらなる実施例は、信号バースト、信号チャープ、または信号パルスを含む。タイムスタンプ可能な信号のさらなる実施例は、位相相関または振幅相関技法に対して好適な特徴を伴う信号（例えば、低自己相関値を有するコードを伴う信号）を含む。
【００２２】
いくつかの実施形態では、タイムスタンプ可能な信号は、「開ループ」であり、一方向ＲＦ信号が、受信エリアを経由して伝送される。実施例は、ＤＣＦ７７タイムコード信号、ＧＰＳ  Ｐ−コード信号、および地上基盤無線信号を含む。いくつかの実施形態では、本装置は、非放出装置である。
【００２３】
いくつかの実施形態では、タイムスタンプ可能な信号は、狭周波数帯域を使用する。いくつかの実施形態では、ＩＳＭ帯域内の中心または搬送周波数が、使用される。いくつかの実施形態では、１〜４８ＧＨｚの範囲内の中心または搬送周波数が、使用される。いくつかの実施形態では、２．４〜１２ＧＨｚの範囲内の中心または搬送周波数が、使用される。いくつかの実施形態では、３．１〜１０．６ＧＨｚの範囲内の中心または搬送周波数が、使用される。いくつかの実施形態では、より高い周波数が、使用される。狭帯域信号は、広帯域信号（例えば、超広帯域（ＵＷＢ）信号）よりもマルチパスフェージングに悩まされる傾向にある。狭帯域信号では、信号持続時間は、典型的には、チャネルの遅延分散よりも長い。逆に、ＵＷＢ信号では、信号持続時間は、典型的には、チャネルの遅延分散よりも少ない。例えば、２ナノ秒パルス持続時間を伴うＵＷＢシステムの場合では、パルス持続時間は、チャネル遅延分散よりも明確にはるかに少ない。したがって、信号成分は、容易に分解されることができ、ＵＷＢ信号は、マルチパスフェージングに対してロバストである。
【００２４】
いくつかの実施形態では、タイムスタンプ可能な信号は、ＵＷＢ信号である。ＵＷＢ信号は、広帯域幅にわたって拡散される。本明細書で使用されるように、ＵＷＢ信号は、１２５ＭＨｚまたは動作中心周波数の５％の小さい方を超える帯域幅にわたって拡散される信号である。いくつかの実施形態では、ＵＷＢ信号は、２５０ＭＨｚまたは動作中心周波数の１０％の小さい方を超える帯域幅にわたって拡散される信号である。いくつかの実施形態では、ＵＷＢ信号は、３７５ＭＨｚまたは動作中心周波数の１５％の小さい方を超える帯域幅にわたって拡散される信号である。いくつかの実施形態では、ＵＷＢ信号は、５００ＭＨｚまたは動作中心周波数の２０％の小さい方を超える帯域幅にわたって拡散される信号である。いくつかの実施形態では、４００〜１，２００ＭＨｚの範囲内の帯域幅が、使用される。いくつかの実施形態では、１０〜５，０００ＭＨｚの範囲内の帯域幅が、使用される。いくつかの実施形態では、５０〜２，０００ＭＨｚの範囲内の帯域幅が、使用される。いくつかの実施形態では、８０〜１，０００ＭＨｚの範囲内の帯域幅が、使用される。超広帯域技術は、初期無線周波数（ＲＦ）信号が、周波数領域内で拡散されることを可能にし、通常、初期信号の周波数コンテンツよりも広い、より広い帯域幅を伴う信号をもたらす。ＵＷＢ技術は、信号の着信時間を非常に正確に測定し、したがって、測距用途を可能にするために使用され得る、非常に短い持続時間のパルスを伝送し得るため、位置特定システムにおける使用に対して好適である。ＵＷＢ信号は、障害物を貫通し、同一の周波数帯域において使用される従来の狭帯域および搬送波に干渉しないまま数百メートルにわたる測距を可能にするその能力のため、位置特定システムにおける使用のために有利であり得る。
【００２５】
いくつかの実施形態では、タイムスタンプ可能な信号の着信時間は、クロックに対して０．６ナノ秒以内に測定されることができる。いくつかの実施形態では、タイムスタンプ可能な信号の着信時間は、クロックに対して１、２、３、４、５、６、７、８、９、１０、１１、１２、１３、１４、または１５ナノ秒以内に測定されることができる。
【００２６】
いくつかの実施形態では、伝送レートは、１秒あたりの伝送の数の長時間平均として測定される。いくつかの他の実施形態では、伝送レートは、２つの後続伝送間の時間分離の長時間平均の逆数として測定される。いくつかの実施形態では、典型的な分離は、１〜５００マイクロ秒、１〜１，０００マイクロ秒、１〜５００ミリ秒、１〜１，０００ミリ秒、１〜５秒、１〜５００秒、またはそれらの任意の組み合わせのうちの１つである。いくつかの実施形態では、いかなる分離も、使用されない。いくつかの実施形態では、長時間平均は、１〜１０秒のウィンドウにわたって算出される。いくつかの他の実施形態では、長時間平均は、１〜１０分のウィンドウにわたって算出される。いくつかの他の実施形態では、長時間平均は、１０分のウィンドウにわたって算出される。
【００２７】
いくつかの実施形態では、信号の平均等価等方放射電力（ＥＩＲＰ）密度は、全ての周波数において−４０ｄＢｍ／ＭＨｚよりも小さい。いくつかの実施形態では、信号の平均ＥＩＲＰ密度は、全ての周波数において−８０、−７０、−６０、−５０、−３０、−２０、または−１０ｄＢｍ／ＭＨｚよりも小さい。
【００２８】
いくつかの実施形態では、伝送される信号の最大電力は、チャネルあたり０．１ｍＷよりも小さい。いくつかの実施形態では、伝送される信号の最大電力は、チャネルあたり１．０ｍＷよりも小さい。いくつかの実施形態では、伝送される信号の最大電力は、チャネルあたり１００ｍＷよりも小さい。いくつかの実施形態では、伝送される信号の最大電力は、チャネルあたり５００ｍＷよりも小さい。いくつかの実施形態では、伝送される信号の最大電力は、チャネルあたり１０Ｗよりも小さい。
【００２９】
いくつかの実施形態では、信号のＥＩＲＰ密度および信号の最大電力のより少ない限界が、適用される。いくつかの実施形態では、信号のＥＩＲＰ密度および信号の最大電力のより多くの限界が、適用される。いくつかの実施形態では、信号のＥＩＲＰ密度に対する限界および信号の最大電力に対する限界のうちの１つが、適用される。いくつかの実施形態では、信号のＥＩＲＰ密度に対する限界および信号の最大電力に対する限界の両方が、適用される。いくつかの実施形態では、限界が、狭帯域信号に適用される。いくつかの実施形態では、限界が、広帯域信号に適用される。
【００３０】
いくつかの実施形態では、送受信機の典型的な有効範囲は、１ｍ〜５０ｍである。いくつかの実施形態では、送受信機の典型的な有効範囲は、１ｍ〜１００ｍである。いくつかの実施形態では、送受信機の典型的な有効範囲は、１ｍ〜５００ｍである。いくつかの実施形態では、送受信機の典型的な有効範囲は、１ｍ〜１，０００ｍである。いくつかの実施形態では、送受信機の典型的な有効範囲は、１ｍ〜５，０００ｍである。いくつかの実施形態では、本装置は、送受信機のサブセットからのＵＷＢ信号のみを受信し得る。
【００３１】
いくつかの実施形態では、５０Ｍｂｐｓの最大データレートが、使用される。いくつかの実施形態では、５Ｍｂｐｓの最大データレートが、使用される。いくつかの実施形態では、１Ｍｂｐｓの最大データレートが、使用される。
【００３２】
いくつかの実施形態では、チャープ拡散スペクトル（ＣＳＳ）信号が、使用される。いくつかの実施形態では、周波数変調連続波（ＦＭＣＷ）信号が、使用される。
【００３３】
いくつかの実施形態は、位置特定ユニットを含む。いくつかの実施形態では、位置特定ユニットは、自己位置特定装置の（ｉ）配向もしくは配向情報、（ｉｉ）位置、または（ｉｉｉ）運動のうちの少なくとも１つを算出することができる。
【００３４】
いくつかの実施形態では、位置特定ユニットは、タイムスタンプ可能な信号の受信時間および送受信機の既知の場所に基づいて、自己位置特定装置の場所を算出する。いくつかの実施形態では、着信時間スキームが、使用される。いくつかの実施形態では、着信時間差スキームが、使用される。多辺測量は、位置特定ユニットが２つのタイムスタンプ可能な信号の受信時間間の時間差を算出することを要求する。信号の伝送時間の既知の時間差をその受信時間における差異から減算することによって（「ＴＤＯＡ測定」とも称される）、位置特定ユニットは、それから信号が伝送された２つの送受信機への距離における差異を算出し得る（例えば、送受信機２からの信号の受信は、送受信機１からの信号と比較して、１ｎ秒だけ遅延されたため、送受信機２は、送受信機１よりも３０ｃｍ遠くに離れている）。複数の送受信機間の距離における差異を算出することによって、位置特定ユニットは、連立双曲線方程式またはその線形化バージョンを解くことによって、自己位置特定装置の場所を算出することが可能であり得る。本連立方程式を解く方法は、当業者に周知であり、非線形最小二乗、最小二乗、ニュートン反復、勾配降下等を含み得る。多辺測量の方法は、信号の伝送時間の時間差が把握されることを要求する。
【００３５】
いくつかの実施形態では、自己位置特定装置の位置特定ユニットは、反復的に場所を算出し得る。いくつかの実施形態では、タイムスタンプ可能な信号が全ての送受信機から受信されることを待機するのではなく、位置特定ユニットは、信号が受信されるときは常に、場所推定値を反復的に更新する。いくつかの実施形態では、タイムスタンプ可能な信号が受信されると、現在の場所推定値への調節が、その受信時間と以前に受信されたタイムスタンプ可能な信号の受信時間との間の差異に基づいて算出される。いくつかの実施形態では、公知のフィルタ処理方法（例えば、カルマンフィルタ処理、パーティクルフィルタ処理）が、本更新を算出または適用するために使用される。いくつかの実施形態では、本調節は、現在の場所推定値の分散に基づいて算出される（例えば、現在の推定値が非常に正確である場合、より少ない調節が、適用されるであろう）。いくつかの実施形態では、本調節は、それからタイムスタンプ可能な信号が伝送された２つの送受信機の場所に基づいて算出される。いくつかの実施形態では、本調節は、現在の場所推定値および２つの送受信機の場所に基づいて、ＴＤＯＡ測定値の確率分布を記述する測定モデルに基づいて算出される。いくつかの実施形態では、これは、ＴＤＯＡ測定値がどの程度正確であるか決定されることに応じて、多少なりとも調節が適用されることを可能にする（例えば、第１の送受信機が、現在の位置推定値を第２の送受信機と接続する線上に位置する場合、２つの送受信機からもたらされるＴＤＯＡ測定値は、信頼性がないと見なされ、したがって、より少ない調節が、適用され得る）。
【００３６】
いくつかの実施形態では、位置特定ユニットは、自己位置特定装置の場所の確率分布を記述するシステムモデルに基づいて、場所推定値を更新する。いくつかの実施形態では、本システムモデルは、他の推定された状態（例えば、自己位置特定装置の速度または進行方向）に基づき得る。いくつかの実施形態では、本システムモデルは、入力履歴に基づき得る（例えば、入力コマンドが、システム動力学に従って、正のｘ方向における運動をもたらすはずである場合、新しい場所推定値は、負のｘ方向よりも正のｘ方向に位置する可能性が高い）。
【００３７】
いくつかの実施形態では、本システムモデルは、センサまたは大域的プロパティからの測定値に基づき得る。いくつかの実施形態では、位置特定ユニットは、大域的プロパティに基づいて、自己位置特定装置の場所を算出し得る。いくつかの実施形態では、位置特定ユニットは、自己位置特定装置によって測定された大域的プロパティと、送受信機のうちの１つまたはそれを上回るものによって測定された大域的プロパティとの間の差異に基づいて、自己位置特定装置の場所を算出し得る（例えば、自己位置特定装置および送受信機の両方が空気圧を測定する場合、２つの間の相対的高度差が、高度と空気圧との間の既知の関係に従って算出されることができる）。
【００３８】
いくつかの実施形態では、位置特定ユニットは、本体のさらなる動的状態、例えば、速度または進行方向を算出するために、場所推定値の履歴およびシステムモデルを使用し得る。例えば、場所推定値の履歴が、運動を示す場合、速度が、推定されることができる。さらなる実施例では、場所推定値の履歴が、正のｙ方向における運動を示し、システムモデルが、前方運動のみが可能である（例えば、スキッドステアカー）ことを示す場合、配向は、正のｙ方向において配向されるものとして決定されることができる。
【００３９】
いくつかの実施形態では、場所は、１Ｄ場所、２Ｄ場所、３Ｄ場所、または６Ｄ場所（すなわち、位置および配向を含む）である。
【００４０】
いくつかの実施形態では、位置特定ユニットの性能（位置特定性能または測位性能とも称される）は、位置推定値の平均誤差として表されることができる。いくつかの実施形態では、位置特定性能は、位置推定値の分散として表されることができる。いくつかの実施形態では、位置特定性能は、精度の希釈に基づいて算出されることができる。いくつかの実施形態では、位置特定性能は、待ち時間（例えば、位置特定ユニットが自己位置特定装置の位置の変化を検出するために要求される時間）に基づいて算出されることができる。
【００４１】
いくつかの実施形態では、位置特定ユニットによって算出される相対的場所は、１ｍ、２０ｃｍ、１０ｃｍ、または１ｃｍの正確度で算出される。いくつかの実施形態では、タイムスタンプ可能な信号の受信と、位置特定ユニットによって提供される更新された位置推定値の算出値との間の時間遅延は、５０ｍ秒、２５ｍ秒、１０ｍ秒、５ｍ秒、２ｍ秒、または１ｍ秒未満である。いくつかの実施形態では、全位置更新に対する、または部分的位置更新に対する本システムの更新レートは、１Ｈｚ、５Ｈｚ、１０Ｈｚ、５０Ｈｚ、２５０Ｈｚ、４００Ｈｚ、８００Ｈｚ、１，０００Ｈｚ、または２，０００Ｈｚを上回る。
【００４２】
いくつかの実施形態では、位置特定システムは、少なくとも１、２、３、５、７、１０、２５、５０、１００、または２５０個のアンカを備える。いくつかの実施形態では、位置特定システムは、１、２、３、５、１０、２０、４０、１００、２００、５００、１，０００、５，０００、または１０，０００個を上回る自己位置特定装置をサポートする。
【００４３】
本明細書で使用されるようなクロックは、時間の測度を提供することが可能な回路、構造、またはデバイスを指す。時間の測度は、任意の好適な時間単位であり得る。例えば、時間の測度は、１秒の基本単位に基づき得る。別の実施例として、時間の測度は、特定のレートにおいて増分するカウンタに基づき得る。いくつかの実施形態では、クロックは、時間の測度を決定するために使用される内部発振器を備える。いくつかの実施形態では、クロックは、受信された信号（例えば、外部発振器から）に基づいて、時間の測度を決定する。いくつかの実施形態では、クロックインターフェースが、クロック信号を提供する。
【００４４】
いくつかの実施形態では、各送受信機は、その独自のオンボードクロックを使用し得る。いくつかの実施形態では、単一のクロックが、ケーブルを介して、または無線で各送受信機に伝送されるクロック信号を生成し得る。いくつかの実施形態では、クロック信号は、無線送信機によって伝送される少なくとも１つのタイムコードまたは地上無線クロック信号、ＧＰＳクロック信号、および時間標準のうちの少なくとも１つに依存し得る。いくつかの実施形態では、クロック信号は、クロック信号の正確度または長期安定性を改良するために、ＧＰＳ統御された発振器、送信機、または少なくとも２つのクロックから算出された時間推定値に基づき得る。
【００４５】
クロックは、例えば、水晶発振器または温度補償型水晶を使用し得る。いくつかの実施形態では、強化されたクロック正確度は、水晶槽（ＯＣＸＯ）を介した、またはアナログ（ＴＣＸＯ）補償を介した、またはデジタル／マイクロコントローラ（ＭＣＸＯ）補償を介した温度安定化を通して取得され得る。いくつかの実施形態では、集中同期ユニットが、使用される。いくつかの実施形態では、原子発振器（例えば、ルビジウム）が、クロックとして使用される。
【００４６】
いくつかの実施形態では、クロックは、間隔を５ミリ秒〜１０ミリ秒に平均化するために、または間隔を５ミリ秒〜１００ミリ秒に平均化するために、または間隔を１ミリ秒〜１秒に平均化するために、最大（１×１０−８）２もしくは（１×１０−９）２もしくは（５×１０−１０）２のアラン分散を有するように構成される。
【００４７】
本装置または送受信機は、アナログおよびデジタル受信電子機器を具備し得る。受信電子機器は、受信された信号を増幅し、これをベース信号に変換し得、これは、次いで、復調され、中央処理電子機器上に伝達され得る。受信機の重要な設計側面は、雑音および歪みを最小限にすることである。これは、受信電子機器のコンポーネントを注意深く選択し（特に、増幅器のもの）、適宜、受信機の回路設計を最適化することによって達成され得る。
【００４８】
いくつかの実施形態では、自己位置特定装置は、または自己位置特定装置のアンテナ、アナログ受信電子機器、およびデジタル受信電子機器は、２、１０、または５０秒の時間ウィンドウ以内で２つのタイムスタンプ可能な信号を受信するように構成され、２つのＵＷＢ信号のタイムスタンプ間の時間差は、本装置のクロックを基準にして、本装置のアンテナにおけるその実際の受信時間間の時間差の０．６、３、または１５ナノ秒以内である。本明細書で使用される用語「受信機」および「受信電子機器」は、信号を受信するアンテナ、アナログ受信電子機器、ならびにデジタル受信電子機器を指す。
【００４９】
いくつかの実施形態では、本装置のデジタル受信電子機器はさらに、本装置のクロックを基準にして、受信されたＵＷＢ信号のタイムスタンピングを１ミリ秒、１００マイクロ秒、または１０マイクロ秒未満で実施するように動作可能である。
【００５０】
本装置または送受信機は、アナログおよびデジタル伝送電子機器を具備し得る。
【００５１】
いくつかの実施形態では、送受信機は、または送受信機のデジタル伝送電子機器、アナログ伝送電子機器、およびアンテナは、２、１０、もしくは５０秒の時間ウィンドウ以内で２つのタイムスタンプ可能な信号を伝送するように構成される、または送受信機のアンテナからの２つのタイムスタンプ可能な信号の伝送間の時間差が、送受信機のクロックを基準にして、そのスケジューリングされた伝送時間間の時間差の０．６、３、もしくは１５ナノ秒以内であるように構成される。本明細書で使用される用語「送信機」および「伝送電子機器」は、信号を生成するために使用されるアンテナ、アナログ伝送電子機器、ならびにデジタル伝送電子機器を指す。
【００５２】
いくつかの実施形態では、スケジューリングユニットが、信号伝送時間をスケジューリングするために使用される。本伝送スケジュールに従う際の送受信機による任意の誤差が、位置特定ユニットによって算出される場所の正確度に影響を及ぼし得ることが、当業者に明白となるであろう。
【００５３】
いくつかの実施形態では、スケジューリングされた時間は、信号の第１のパルスが送受信機のアンテナを離れる時間を指す。いくつかの実施形態では、スケジューリングされた時間は、フレーム開始デリミタの開始（すなわち、伝送された信号が、プリアンブルコードの繰り返された伝送からフレーム開始デリミタの伝送に変化する点）を指す。いくつかの実施形態では、本装置は、同一の送受信機によって伝送された２つのタイムスタンプ可能な信号を比較するように構成される。
【００５４】
いくつかの実施形態では、送受信機は、パケットレベルにおいてその伝送を調整する。いくつかの実施形態では、信号重複が、回避される。いくつかの実施形態では、信号は、ラウンドロビン方式で、一定の間隔で、具体的時間シーケンスで、または順番に伝送される。いくつかの実施形態では、送受信機は、信号を同時に伝送する。いくつかの実施形態では、送受信機は、部分的に重複する信号を伝送する。
【００５５】
いくつかの実施形態では、３つまたはそれを上回る送受信機はそれぞれ、スケジューリングユニットを含む。いくつかの実施形態では、単一のスケジューリングユニットが、３つまたはそれを上回る送受信機に動作上結合される。いくつかの実施形態では、本動作結合は、有線接続である。いくつかの実施形態では、本動作結合は、無線接続である。いくつかの実施形態では、本無線動作結合は、ＵＷＢ信号等の信号を使用して実装される。いくつかの実施形態では、スケジューリングユニットは、位置特定信号レートよりも低い更新レートを使用する。
【００５６】
いくつかの実施形態では、スケジューリングユニットは、その伝送を終了する１つの送受信機とその伝送を開始する異なる送受信機との間に少なくとも５マイクロ秒、１０マイクロ秒、または５０マイクロ秒の時間分離を確実にするように動作可能である。いくつかの実施形態では、スケジューリングユニットは、位置特定信号を監視するように動作可能である。いくつかの実施形態では、スケジューリングユニットは、改良されたスケジューリングを算出するように動作可能である。いくつかの実施形態では、スケジューリングユニットは、同一の送受信機によって放出された１つの信号の終了と第２の信号の開始との間に少なくとも１マイクロ秒、５マイクロ秒、または１０マイクロ秒の時間分離を確実にするように動作可能である。いくつかの実施形態では、スケジューリングユニットは、メディアアクセス制御アドレスおよびスケジューリングされた伝送時間の割当のメモリを維持するように動作可能である。
【００５７】
いくつかの実施形態では、３つまたはそれを上回る送受信機はそれぞれ、センサを備える。いくつかの実施形態では、センサは、送受信機に物理的かつ動作上結合される。いくつかの実施形態では、センサは、送受信機の配向、位置、または移動を表すデータを提供するように動作可能である。いくつかの実施形態では、センサは、送受信機の位置または配向への擾乱を検出するように構築される。いくつかの実施形態では、センサ信号は、送信機に物理的に接続されるセンサの信号であり、センサ信号は、ＵＷＢ位置特定信号等の信号のペイロードの一部として伝送される。
【００５８】
いくつかの実施形態では、自己位置特定装置は、本装置に物理的かつ動作上結合され、本装置の配向を表すデータを提供するように動作可能である、センサを備える。いくつかの実施形態では、センサは、本装置の配向、位置、または移動を表すデータを提供するように動作可能である。いくつかの実施形態では、センサは、自己位置特定装置のアンテナの配向を表すデータを提供するように構成される。
【００５９】
センサからのデータは、位置特定ユニットによって、または位置較正ユニットによって処理され得る。例えば、ランドマークに関連するデータが、位置推定値または位置較正ユニットを改良するために、他のデータ（例えば、別のランドマークに関連するデータ、メモリからのデータ、センサデータ、場所を表すデータ）と比較され得る。別の実施例として、第１のカメラによって検出される送受信機に対するランドマークの位置および第２のカメラによって検出される自己位置特定装置に対する同一のランドマークの位置の比較は、位置特定ユニットが位置特定推定値を改良することを可能にし得る。比較が、１つまたはそれを上回るランドマークに関連するデータを使用し得る。比較が、１つまたはそれを上回る視覚センサによる観察に関連するデータを使用し得る。
【００６０】
本開示の一部として有用に採用され得るセンサの典型的な実施例は、光学センサ、加速度計、磁気計、およびジャイロスコープを含む。
【００６１】
いくつかの実施形態では、微小電気機械システム（ＭＥＭＳ）または圧電システムが、本開示に概説される動作特性を達成することを可能にするために使用され得る。本開示とともに有用に採用され得るそのような微小センサの実施例は、ＭＥＭＳジャイロスコープ、ＭＥＭＳ加速度計、圧電ジャイロスコープ、および圧電加速度計を含む。いくつかの実施形態では、微小センサの使用は、１つまたはそれを上回る慣性測定ユニット（ＩＭＵ）を使用することを可能にし、これは、それぞれ、各サブシステムにおいて、複数のジャイロスコープもしくは加速度計を組み合わせる、または多軸ジャイロスコープもしくは加速度計を使用し得る。いくつかの実施形態では、そのような微小センサの選択は、高性能にもかかわらず、低重量および低電力消費を要求する非常に動的な移動に対して好適な自己位置特定装置を作成または使用することを可能にする。例えば、３軸ＭＥＭＳジャイロスコープが、自己位置特定装置の姿勢を監視し、姿勢閾値を超えた場合、信号をトリガすることを可能にするために使用され得る。別の実施例として、ＭＥＭＳジャイロスコープが、その低い時定数にもかかわらず、ホバーの周囲に自己位置特定装置を具備する小型飛行ロボットを制御するために使用され得る。光学センサの実施例は、とりわけ、赤外線センサ、線形カメラ、光学流量センサ、および撮像センサを含む。
【００６２】
いくつかの実施形態は、大域的プロパティセンサ、すなわち、大域的プロパティを表すデータを提供するように動作可能であるセンサを備える。
【００６３】
大域的プロパティの実施例は、重力、電磁力、流体圧力、および気体圧力等、ある領域における複数または全ての点において決定可能な値を有するフィールドを含む。大域的プロパティのさらなる実施例は、ＲＦ信号強度、ＧＰＳ信号、地球の磁場、地球の重力場、大気圧、ランドマーク、および無線時間信号（例えば、ＤＣＦ７７タイムコード送信機によって送信されるもの）を含む。ランドマークの実施例は、地平線、太陽、月または星、山、建物、および顕著な環境特徴を含む。顕著な環境特徴は、山等の特色のある自然特徴、記念碑等の特色のある建物、ならびに同時位置特定およびマッピング（ＳＬＡＭ）において使用されるもの等のその他を含み得る。ランドマークに関するさらなる実施例は、スケール不変特徴変換（ＳＩＦＴ）および高速化ロバスト特徴（ＳＵＲＦ）において使用されるものを含む。本開示では、ＧＰＳまたはＧＮＳＳは、例えば、ＧＬＯＮＡＳＳ、Ｇａｌｉｌｅｏ、ＩＲＮＳＳ、もしくはＢｅｉＤｏｕ−２等の他の全地球的航法衛星システムならびにリアルタイムキネマティック（ＲＴＫ）ＧＰＳもしくはＤＧＰＳ等のその改良されたバージョンによる任意の類似する信号を説明するために、代替物として使用され得ることに留意されたい。
【００６４】
いくつかの実施形態では、装置および送受信機の両方が、同一の大域的プロパティを検出するように構成される。いくつかの実施形態では、送受信機は、その場所における大域的プロパティを表すデータをある装置または別の送受信機に通信するように構成され、その装置またはその別の送受信機は、そのデータを、その装置またはその別の送受信機の場所における同一の大域的プロパティを表すデータと比較するように構成される。いくつかの実施形態では、大域的プロパティは、大域的プロパティモデルと関連付けられることができる。
【００６５】
いくつかの実施形態では、大域的プロパティセンサは、配向センサである。配向センサは、送受信機が、送受信機および自己位置特定装置に共通の基準フレームに対するその配向を測定することを可能にし得る。送受信機は、次いで、位置特定信号内にデータ（ペイロード）として含まれるその配向を表す信号を伝送し得る。いくつかの実施形態では、送受信機は、その配向を測定し、本配向を位置特定信号のペイロードとして伝送することが可能である。
【００６６】
いくつかの実施形態では、位置較正ユニットが、送受信機の位置に関する推定値を算出し得る。いくつかの実施形態では、送受信機位置は、一度（例えば、位置特定システムの設定中に較正ルーチンの一部として）算出される。いくつかの実施形態では、送受信機位置は、連続的に（例えば、送受信機の位置に関連する新しいデータが利用可能になる度に）算出される。いくつかの実施形態では、送受信機位置ユニットは、既知の、部分的に既知の、推定された、または部分的に推定された位置情報を用いて初期化される（例えば、初期送受信機距離、位置、または配向が、測定される、または手動で入力され得る）。
【００６７】
位置較正が、種々の方法で達成され得る。例えば、位置較正ユニットは、既知の場所を伴う他の送受信機から受信されたタイムスタンピングされた信号に基づいて、送受信機の位置を算出し得る。これは、例えば、既存の送受信機のネットワークへの付加的送受信機の追加を可能にし得る。いくつかの実施形態では、位置較正ユニットは、位置特定ユニットと同様に動作し、逆もまた同様である。いくつかの実施形態では、位置較正ユニットは、補償ユニットに動作上結合される。
【００６８】
いくつかの実施形態では、単一の位置較正ユニットが、相互に対する複数の送受信機の場所を算出するために使用され得る。これは、例えば、まだ場所を把握していない送受信機のネットワークの初期化を可能にし得る。いくつかの実施形態では、複数の位置較正ユニットが、（例えば、送受信機毎に１つ）使用される。
【００６９】
いくつかの実施形態では、位置較正ユニットは、送受信機にオフボードで実装される。例えば、位置較正ユニットは、ケーブルを使用して送受信機に接続されるラップトップコンピュータ上で実装され得る。これは、例えば、オペレータのためのより便宜的なインターフェースを可能にし得る。
【００７０】
いくつかの実施形態では、同期ユニットは、第２のクロックに基づいて、（ｉ）第１のクロックのオフセットおよび（ｉｉ）第１のクロックのレートのうちの少なくとも１つを同期させるように動作可能である。いくつかの実施形態では、多数の位置特定システムのクロックの平均値、中間値、および統計的プロパティのうちの少なくとも１つに基づいて、補正値が、算出される、または同期が、実施される。いくつかの実施形態では、また、ＧＰＳ、ＤＣＦ７７、およびさらなるシステムによって提供されるもの等のタイミング情報も提供する大域的プロパティが、使用される。いくつかの実施形態では、同期ユニットは、また、タイミング情報も提供する大域的プロパティを使用する。
【００７１】
いくつかの実施形態では、同期ユニットは、（ｉ）本装置のクロックのレートと第１の通信する送受信機のクロックのレートとの間の第１の差異および（ｉｉ）本装置のクロックのレートと第２の異なる通信する送受信機のクロックのレートとの間の第２の差異のうちの少なくとも１つによって導入される、タイミング誤差を暗示的または明示的に考慮するように動作可能である。
【００７２】
いくつかの実施形態では、同期ユニットは、補償ユニットによって算出される補償値またはメモリ内に記憶されるデータに基づいて、同期を実施する、もしくはクロック補正値を算出するように動作可能である。
【００７３】
いくつかの実施形態では、同期ユニットは、オンボードクロックのレートを同期させるように動作可能であり、したがって、オンボードクロックのレートと２つの他の送受信機のオンボードクロックのレートの中間値との間の統計的平均誤差は、１０ＰＰＭまたは１ＰＰＭもしくは１００ＰＰＢ未満である。いくつかの実施形態では、同期ユニットは、オンボードクロックのオフセットを同期させるように動作可能であり、したがって、オンボードクロックのオフセットと２つの他の送受信機のオンボードクロックのオフセットの中間値との間の統計的平均誤差は、１０ナノ秒または５ナノ秒または１ナノ秒もしくは１０ピコ秒未満である。いくつかの実施形態では、これは、送受信機のアンテナならびに送受信機のアナログおよびデジタル伝送電子機器のうちの１つもしくはそれを上回るものによって導入されるタイミング誤差を暗示的もしくは明示的に考慮することによって、またはタイムスタンピングされたＵＷＢクロック同期信号および送受信機のメモリユニットによって提供されるデータに基づいて、オンボードクロックのオフセットへのクロック補正値を算出することによって、またはクロックレートを改変する（例えば、但し、クロックの電圧、温度、または水晶トリムを改変する）ことによって達成される。
【００７４】
いくつかの実施形態では、補償ユニットが、信号遅延に関して補正するために使用される。補償ユニットは、送受信機における信号の伝送時間をスケジューリングする瞬間から、送受信機のまたは本装置の受信電子機器において信号をタイムスタンピングする瞬間までのタイムスタンプ可能な信号に対する影響に関する補償値を算出する。
【００７５】
補償は、典型的には、例えば、信号品質または群遅延に基づいて、受信タイムスタンプを補正することによって、または伝送時間情報（例えば、ペイロードとしてＵＷＢデータ内に含まれる伝送タイムスタンプ）を補正することによって達成される。本補正値は、直ちに（例えば、個々のタイムスタンプに関する補正値を算出する、またはそれを修正することによって）またはバッチで（例えば、バッチでタイムスタンプに関する補正値を算出する、またはそれを修正することによって）算出および適用され得る。補償値は、要求される補正値を決定するために、いくつかのデータソースを使用し得、実施例は、（ｉ）送受信機ならびに本装置の場所および配向を表すデータ、（ｉｉ）オンボードセンサによって提供されるデータ、（ｉｉｉ）メモリ内に記憶されるデータ、（ｉｖ）同期ユニットによって提供されるデータ、ならびに（ｖ）デジタル受信電子機器によって提供される品質メトリックを含む。
【００７６】
いくつかの実施形態では、補償ユニットは、送受信機のアンテナに対する本装置のアンテナの位置、配向、または移動の影響を補償する。いくつかの実施形態では、補償ユニットは、障害物の影響を補償する。いくつかの実施形態では、補償は、（ｉ）距離、時間、もしくは持続時間に関する補正値を表すデータ、（ｉｉ）第１および第２の距離、時間、もしくは持続時間の比較に関する補正値を表すデータ、または（ｉｉｉ）多数の距離、時間、もしくは持続時間の比較に関する補正値を表すデータを算出することによって実施される。いくつかの実施形態では、補正値を表すデータは、位置特定ユニットに提供される。
【００７７】
いくつかの実施形態では、補償ユニットはまた、送受信機のアンテナに対する本装置のアンテナの相対的配向、方向、および距離の影響を考慮し得る。これは、ＵＷＢ信号等のタイムスタンプ可能な信号のための無指向性アンテナを作成する際の困難に起因して重要である。これはまた、いくつかの装置が、送受信機に対する空間におけるその場所または使用される通信アーキテクチャに応じて、その他よりも多数の送受信機から信号を受信する、高い更新レートにおいて信号を受信する、または高い品質を伴う信号を受信し得るため、重要である。補償値の算出に関連する対応するデータが、（例えば、オペレータによって提供される）較正ルーチンの一部として、または使用中に決定され、仮定（例えば、放射対称）を使用して、または上記に概説されるような他のシステムコンポーネントからのデータを使用して改良され得る。それらは、次いで、例えば、相対的アンテナ配向、方向、および距離の異なる対毎の組み合わせに対する補償値のルックアップテーブルとして、使用のためにメモリ内に記憶され得る。
【００７８】
補償ユニットおよびタイムスタンプ可能な信号に関して上記に概説されるものに類似する方略もまた、同期ユニットによって、またはクロック同期信号のために使用され得る。
【００７９】
補償およびその種々の側面が、時として、装置と送受信機との間を進行する信号に関して説明されているが、説明は、２つの装置または２つの送受信機間を進行する信号に関しても等しく有効であり、同様に使用され得ることを理解されたい。
【００８０】
制御ユニットが、位置特定ユニットから受信された（例えば、位置推定値）、またはセンサ（例えば、オンボードセンサ）の、もしくは大域的プロパティ（例えば、大気圧）のデータに基づいて、アクチュエータに対する制御信号を生成するために使用される。
【００８１】
制御ユニットは、従来技術において明確に確立されている、または広く使用されている制御法則を実装することができる。そのような制御法則の実施例は、ＰＩＤ制御、モデル予測制御、スライディングモード制御、完全状態フィードバック、およびバックステッピング制御を含む。制御法則に応じて、制御ユニットは、位置特定ユニットによって提供される状態推定値を使用し得る。
【００８２】
制御ユニットは、単一のアクチュエータに対する制御信号を算出し得る。いくつかの実施形態では、制御ユニットは、アクチュエータの異なるセットに対する制御信号の異なるセットを算出する。例えば、制御ユニットは、ロボットの第１のモジュールまたは軸の２つのアクチュエータに対する制御信号の第１のセットおよびロボットの第２のモジュールまたは軸に対する制御信号の第２のセットを算出し得る。
【００８３】
アクチュエータは、機構またはシステムを移動させる、もしくは制御する、電気的、磁気的、および機械的モータの群に属し得る。実施例は、圧電アクチュエータ、ブラシレス電気モータ、およびサーボモータを含む。
【００８４】
いくつかの実施形態では、本装置のアクチュエータは、本装置をその３平行移動自由度で移動させるように構成される。いくつかの実施形態では、アクチュエータは、本装置をその３回転自由度で移動させるように構成される。いくつかの実施形態では、アクチュエータは、アンテナ等、本装置の一部を移動させるように構成される。いくつかの実施形態では、複数のアクチュエータが、併用される。
【００８５】
いくつかの実施形態では、本装置のアクチュエータは、本装置の位置を少なくとも３０ｃｍだけ移動させるように構成される。いくつかの実施形態では、本装置のアクチュエータは、本装置の位置を少なくとも１００ｃｍだけ移動させるように構成される。いくつかの実施形態では、本装置のアクチュエータは、本装置の回転を少なくとも３０度だけ移動させるように構成される。いくつかの実施形態では、本装置のアクチュエータは、本装置の回転を少なくとも９０度だけ移動させるように構成される。
【００８６】
図１は、本開示のいくつかの実施形態による、位置特定信号を伝送するためのスケジュールの生成および実行に関与するコンポーネントを含む、例証的位置特定システム１００（時として、本明細書では「ネットワーク」と称される）のブロック図である。システム１００は、スケジューラ１１０と、スケジューリングユニットコントローラ１２０と、送受信機１３０（本明細書では「アンカ」とも称される）とを備える。
【００８７】
スケジューラ１１０は、スケジュールを決定するために、１つまたはそれを上回る入力パラメータを使用する。図示されるように、入力パラメータは、１つまたはそれを上回るユーザ要件、アンカ場所、およびアンカプロパティを備え得る。ユーザ要件は、所望の測位性能を含み得る。例えば、ユーザは、位置特定領域内の最小測位性能を規定し得る。別の実施例として、ユーザは、位置特定領域内の異なる測位性能を規定し得る。いくつかの実施形態では、測位性能は、２または３次元マップを介して入力され得、位置特定領域内の区域が、所望の測位性能を用いてマーキングされる。アンカ場所は、既知の座標系に従って入力され得る。いくつかの実施形態では、ユーザは、アンカ場所を入力し得る。いくつかの実施形態では、位置特定システム１００は、位置特定信号を使用して、アンカの場所を決定するように構成され得る。アンカプロパティは、相互のアンカのコネクティビティ、ならびに利用可能な構成（例えば、アンカが同時に受信および伝送することができるかどうか）、アンカが設定され得る周波数、アンテナ放射パターン、任意の他の好適なアンカプロパティ、およびそれらの任意の組み合わせ等の他のアンカプロパティを含み得る。
【００８８】
スケジューラ１１０は、入力パラメータを受信するためのユーザ入力または通信入力等の１つもしくはそれを上回る入力を含み得る。ユーザ入力は、例えば、キーボード、マウス、タッチスクリーン、ボタン、スイッチ、タッチパッド、または任意の他の好適なユーザ入力デバイスを含み得る。通信入力は、例えば、有線インターフェース（例えば、ＵＳＢ、ＲＳ−２３２、イーサネット（登録商標）、または他の規格を使用する）または無線インターフェース（例えば、Ｗｉ−Ｆｉ、赤外線、ＷｉＭＡＸ、無線ＢＬＵＥＴＯＯＴＨ（登録商標）、または他の規格を使用する）を含み得る。スケジューラ１１０はまた、プロセッサと、メモリとを含み得る。プロセッサは、本明細書に説明される機能を実施する一部として、オペレーティングシステムおよび１つまたはそれを上回るアプリケーションを含み得る、メモリ内に記憶されるコンピュータプログラム命令を実行するように適合され得る。例えば、プロセッサは、以下により詳細に説明されるように、１つまたはそれを上回る入力パラメータを受信し、１つまたはそれを上回る入力を処理し、適切なスケジュールを決定するように構成され得る。スケジューラ１１０はまた、送受信機１３０等のアンカにスケジュールを出力するための出力を含み得る。いくつかの実施形態では、スケジュールは、最初に、スケジューリングユニットコントローラ１２０に出力される。出力は、例えば、有線インターフェースまたは無線インターフェースを含み得る。いくつかの実施形態では、出力は、通信入力と同一であり得る。いくつかの実施形態では、スケジューラ１１０は、パーソナルコンピュータとして実装され得る。
【００８９】
スケジューリングユニットコントローラ１２０は、アンカへのスケジュールの伝送を促進する。いくつかの実施形態では、スケジューリングユニットコントローラ１２０は、送受信機１３０等の１つまたはそれを上回るアンカと通信し得る。いくつかの実施形態では、スケジューリングユニットコントローラ１２０は、スケジューラ１１０から受信されたスケジュール処理し得る。例えば、スケジューリングユニットコントローラ１２０は、アンカへの伝送に関するスケジュールを準備し得る。一実施形態では、処理は、スケジュールを変換するステップと、アンカへの伝送のためにこれを準備するステップとを含む。これは、スケジュールファイルフォーマット（例えば、ＸＭＬまたはＹＡＭＬファイル）を解析するステップと、ファイル内のデータをスケジューリングユニット特有フォーマットに変換するステップと、一意のスケジュールＩＤ等の情報を追加するステップと、データをシリアライズするステップと、ＣＲＣ等のデータ保護情報を追加するステップとを伴い得る。スケジューリングユニットコントローラ１２０は、（例えば、その変換されたフォーマット内の）スケジュールを送受信機１３０等のアンカに伝送し得る。いくつかの実施形態では、伝送は、通常、位置特定目的のために使用されるものと同一タイプの無線信号を使用して実施される。本場合では、スケジューリングユニットコントローラ１２０は、デジタル伝送電子機器と、アナログ伝送電子機器と、アンテナとを備える。これらのコンポーネントは、以下により詳細に説明される。いくつかの実施形態では、伝送は、スケジューリングユニットコントローラ１２０およびアンカの両方に利用可能である、有線インターフェースまたは別個の無線伝送チャネルを通して実施される。
【００９０】
スケジューリングユニットコントローラ１２０は、位置特定システム１００内の別個のコンポーネントとして示される。しかしながら、これは、単に、例証的であることを理解されたい。いくつかの実施形態では、スケジューリングユニットコントローラ１２０またはスケジューリングユニットコントローラ１２０の機能性は、他のコンポーネントに統合され得る。例えば、スケジューリングユニットコントローラ１２０は、スケジューラ１１０に統合され得る。別の実施例として、スケジューリングユニットコントローラ１２０は、送受信機１３０等の１つまたはそれを上回るアンカに統合され得る。
【００９１】
上記に言及されるように、位置特定システム１００は、送受信機１３０を含み得る。送受信機１３０は、スケジューリングユニットコントローラ１２０からスケジュールを受信するように構成される。各送受信機１３０は、スケジューリングユニットコントローラ１２０から直接、または１つもしくはそれを上回る他の送受信機を通して間接的にスケジュールを受信し得る。受信されたスケジュールは、各送受信機内のメモリ内に記憶され得、そこから、これは、各送受信機のスケジューリングユニットによってアクセスされ得る。送受信機１３０の詳細は、以下に説明される。
【００９２】
いくつかの実施形態では、送受信機１３０は、異なるスケジュール間で切り替えることが可能である。これは、各送受信機内にいくつかのスケジューリングユニットを含めることによって、またはスケジューリングユニットに異なるスケジュールに切り替えさせるであろう信号を受信するように構成される単一のスケジューリングユニットを使用することによって達成され得る。いくつかのスケジュールが、スケジューリングユニットコントローラ１２０から受信され、例えば、スケジューリングユニットが、受信された信号に応じてどのスケジュールを使用するかを決定することを可能にする一意の識別子を含み得る。いくつかの実施形態では、受信された信号は、スケジューリングユニットに、現在のスケジュールを中断させる、現在のスケジュールを再開させる、またはスケジュール内の具体的点にジャンプさせ得る。いくつかの実施形態では、長期スケジュールの第１の部分は、ネットワーク送受信機間のクロック同期を促進するように設計され得る一方、第２の部分は、位置特定性能を最適化するように設計され得る。スケジューリングユニットコントローラは、ネットワーク同期誤差がある閾値を上回って増加すると、スケジュールの実行を再開するための信号を送信し得る。いくつかの他の実施形態では、スケジュールの実行は、自己位置特定装置が送受信機のネットワークによって網羅される空間の領域に進入する度に、始めから、またはある時点から再開される必要があり得る。いくつかの実施形態では、それからスケジュールの実行が再開される時点は、それから自己位置特定装置が空間の領域に進入する位置に依存し得る。いくつかの実施形態では、デフォルトスケジュール（例えば、ＡＬＯＨＡプロトコルに基づくもの）が、送受信機のメモリ内に恒久的に記憶され得、付加的スケジュールが、スケジューリングユニットコントローラ１２０によって伝送されることができる。送受信機は、次いで、デフォルトモード（デフォルトスケジュールに基づく）または改良性能モード（例えば、スケジューリングユニットコントローラ１２０から受信された最適化されたスケジュールに基づく）において動作し得る。
【００９３】
図２は、本開示のいくつかの実施形態による、例証的位置特定システム１００の３つの例証的送受信機１３０および２つの自己位置特定装置１４０のブロック図である。いくつかの実施形態では、図２の位置特定システム１００は、図１の位置特定システム１００と同一である。いくつかの実施形態では、図２の位置特定システム１００は、図１に描写されるものとは異なる位置特定システムである。３つの送受信機１３０はそれぞれ、タイムスタンプ可能な位置特定信号２０２を伝送する。いくつかの実施形態では、３つの定常送受信機１３０は、相互に対する相対的場所を把握している。いくつかの実施形態では、３つの送受信機１３０は、同期されたクロック２１０を有する。送受信機は、時として、本明細書では「アンカ」または「ビーコン」と称される。３つの送受信機および２つの自己位置特定装置が、図２に例証されているが、任意の好適な数の送受信機および自己位置特定装置が、位置特定システム１００において使用され得ることを理解されたい。
【００９４】
図２の各送受信機１３０は、アナログ電子コンポーネント２１４と、デジタル電子コンポーネント２１６とを備える。アンテナ２１２が、アナログ伝送電子機器２１４に結合される。アナログ伝送電子機器２１４は、少なくとも１つのデジタルデータパケットからアナログ伝送信号を生成し得る。デジタルデータパケットは、デジタル伝送電子機器２１６によって提供される。アナログ伝送信号は、アナログパルス発生器を使用して生成されることができる。アナログ伝送信号はまた、伝送のためにアンテナ２１２に伝達される前に、増幅器によって増幅され得る。
【００９５】
図２では、伝送電子機器２１４、２１６は、ペイロードデータ（時として、「ペイロード」と呼ばれる）を信号２０２に変換するために使用され、これは、次いで、送信機１３０によって伝送され得る。いくつかの実施形態では、信号２０２は、ＵＷＢ信号である。単一の送受信機１３０によって伝送される単一のＵＷＢ信号２０２が、複数の装置１４０によって受信されることができる。各装置は、複数の信号２０２から取得された情報を使用し、その独自の信号を放出することなくその場所を算出し得る。
【００９６】
クロック２１０が、伝送電子機器２１４、２１６に結合され、信号２０２を伝送するためのタイミング情報を提供する。クロック２１０は、オンボードクロックを含み得る、または、例えば、遠隔の場所におけるオフボードクロック（図示せず）から時間情報を受信する無線もしくは有線接続（図示せず）を有し得る。
【００９７】
３つの送受信機１３０からの伝送（例えば、信号２０２）は、信号２０２の伝送をスケジューリングするように動作可能である、スケジューリングユニット２１８を使用して調整され得る。いくつかの実施形態では、スケジューリングユニット２１８は、劣化した信号検出、したがって、位置特定システム１００の低減された性能をもたらし得る、適正な時間分離を伴わずに送受信機メッセージが受信機のアンテナに着信することを防止するために、位置特定信号間に十分な時間分離を提供し得る。いくつかの実施形態では、スケジューリングユニット２１８は、ＡＬＯＨＡプロトコルを実装し、不十分な時間分離の影響を低減または防止し得る。いくつかの実施形態では、信号伝送は、事前プログラムされたスケジュールに従い得る、またはスケジューリングは、例えば、図１に説明されるように、一元的に実施され、スケジュールが、各送受信機に通信され得る。いくつかの実施形態では、スケジューリングは、各送受信機によって実施され得る。例えば、送受信機に関するスケジューリングは、送受信機によって記憶される他の送受信機についての情報（例えば、範囲内の他の送受信機の順序リストまたは伝送スケジュール）に基づき得る。いくつかの実施形態では、スケジューリングユニットはさらに、伝送電子機器に構成信号を提供し得る。これらの構成信号は、伝送電子機器によって解釈され、送信機のある設定、例えば、中心周波数、信号帯域幅、プリアンブルコード、プリアンブル長、伝送電力、またはアンテナを調節することができる。
【００９８】
アナログ伝送電子機器２１４は、デジタル伝送電子機器２１６に結合され、それらはともに、ＵＷＢ信号２０２の伝送を可能にする。そのような伝送は、アンテナ２１２からの信号２０２の伝送が、クロック２１０に対して規定された伝送時間において正確に起こるように実施され得る。これは、デジタル伝送電子機器２１６を使用して達成されることができる。デジタル伝送電子機器２１６は、その動作をスケジューリングユニット２１８と調整し得る。規定された時間における信号の伝送は、好ましくは、具体的シンボルが規定された時間にアンテナ２１２から放出されるように実施される。ＩＥＥＥ  ８０２．１５．４規格に従う伝送に関して、その時間に伝送されるべきシンボルに関する一般的な選定は、フレーム開始デリミタの開始、すなわち、伝送された信号が、プリアンブルコードの繰り返された伝送からフレーム開始デリミタの伝送に変化する点である。デジタル伝送電子機器２１６は、クロック２１０によって提供される信号を、その規定された時間における本伝送の基準として使用し得、伝送時間は、したがって、本クロックに対して表されることができる。
【００９９】
図２に示される２つの自己位置特定装置１４０は、それぞれ、送受信機１３０によって伝送されるＵＷＢ無線信号２０２を受信するように構成される。
【０１００】
図３は、本開示のいくつかの実施形態による、例証的送受信機１３０の詳細ブロック図である。いくつかの実施形態では、図３の送受信機１３０は、図１の位置特定システム１００または図２の自己位置特定システム１００において使用される。いくつかの実施形態では、図３の送受信機１３０は、図１および２に描写されるものとは異なる位置特定システムと併用される。
【０１０１】
図３の送受信機１３０は、それぞれ、アナログ伝送電子機器２１４およびアナログ受信電子機器２２０の両方に結合されるアンテナ２１２を含み得る。いくつかの実施形態では、ＴＸ／ＲＸスイッチが、アンテナを電子機器２１４、２２０の一方または他方に接続するために使用される。アナログ受信電子機器２２０は、デジタル受信電子機器２２２に結合され、それらはともに、他の送受信機１３０によって伝送される信号３０２の受信を可能にする。アナログおよびデジタル受信電子機器２２０、２２２は、図２の自己位置特定装置１３０上のものと類似する能力を有し得る。例えば、アナログおよびデジタル受信電子機器２２０、２２２は、信号３０２をデータ（ペイロード）に変換し、伝送された信号がアンテナ２１２に到達した時間を正確に決定し、とりわけ、信号強度、受信時間標準偏差、および信号が視通線内を進行したかどうかを決定するためのメトリック等、受信された信号３０２に関連する付加的品質メトリックを提供し得る。
【０１０２】
デジタル受信電子機器２２２は、同期ユニット２２４に動作上結合され、これは、他の送受信機のクロックと完全に同期して起動していない任意の１つの送受信機のクロック２１０を識別および補償するために使用され得る。ＵＷＢ無線信号の受信に応じて、受信されたデータ、タイムスタンプ、および品質メトリックが、同期ユニット２２４に送信される。同期ユニット２２４は、受信タイムスタンプを、以前の受信タイムスタンプ、信号のデータ（ペイロード）内に含まれる伝送時間情報、および以前の信号２０２内に含まれる伝送時間情報と比較し得る。本情報から、同期ユニット２２４は、例えば、その現在のクロックレートまたはクロックレートの現在の変化レート等のクロック２１０の現在の挙動を算出し得る。加えて、同期ユニット２２４は、ローカルに測定された受信タイムスタンプと、ローカルに設定された伝送時間と、他の送受信機から報告された測定された受信タイムスタンプと、他の送受信機の設定された伝送時間との間の不一致を評価することによって、定常送受信機間の信号の飛行時間を決定し得る。異なるクロックオフセット、クロックレート、および信号伝搬時間等の誤差に関する注意深い補正を通して、同期ユニット２２４は、送受信機が共通の同期された基準時間を取得することを可能にするための補正値を算出し得る。いくつかの実施形態では、同期は、他の送受信機１３０から受信された信号３０２を使用する。例えば、送受信機タイミングにおける任意のオフセットが、自己位置特定装置の位置特定における誤差に変換され得るため、送受信機間の時間同期は、有益である。
【０１０３】
図３の送受信機１３０はまた、センサ２２６と、大域的プロパティセンサ２２８とを含み得る。これらのセンサの両方が、デジタル伝送電子機器２１６に結合される。これは、センサ２２６および大域的プロパティセンサ２２８によって取得された測定値を表す信号が、位置特定信号２０２の形態において、デジタル伝送電子機器２１６、アナログ伝送電子機器２１４、およびアンテナ２１２によって伝送されるデータ内に含まれることを可能にする。
【０１０４】
いくつかの実施形態では、センサ２２６または大域的プロパティセンサ２２８は、送受信機の配向を感知するために使用され得る。送受信機の配向の知識を用いて、その送受信機から位置特定信号を受信する自己位置特定装置（例えば、図２の自己位置特定装置１４０）が、送受信機のアンテナ２１２の相対的配向によって自己位置特定装置のアンテナに導入される信号遅延を補償することが可能であり得る。これは、例えば、その伝送される位置特定信号の一部として、送受信機の検出される配向を通信することによって達成され得る。
【０１０５】
各送受信機１３０は、メモリ２３０を具備し得、これは、構成データ、所望の信号増幅、同期データ（例えば、クロックに関するオフセットまたはレート補正値）、または測距正確度較正データ等のデータを記憶するために使用され得る。メモリ２３０はまた、受信後および伝送前にデータをバッファするために使用され得る。いくつかの実施形態では、メモリ２３０は、複数回書き換えられることができる、または非揮発性メモリである。いくつかの実施形態では、メモリ２３０は、１つまたはそれを上回る伝送スケジュールを記憶するために使用される。
【０１０６】
図３は、他の送受信機からの無線信号を受信および処理し得る、例証的送受信機（時として、本明細書では「無線送受信機」または「無線ＵＷＢ送受信機」と称される）を示す。これは、他の送受信機１３０によって伝送される信号を受信するように動作可能である、アナログ受信電子機器２２０およびデジタル受信電子機器２２２を有する送受信機１３０によって可能にされる。
【０１０７】
第１の送受信機１３０が、第２の送受信機１３０からの、または複数の他の送受信機１３０からの１つもしくはそれを上回る信号３０２を使用し、例えば、伝送間により良好な時間分離を提供するために、その伝送スケジュールを調節し得る。これは、例えば、信号３０２がネットワーク（例えば、図２のネットワーク１００）内の他の送受信機１３０から受信された時間をメモリ２３０内に記憶し、続けて、これらの時間に基づいて、ローカル伝送スケジュールを調節するスケジューリングユニット２１８によって達成され得る。いくつかの実施形態では、伝送間のより良好な時間分離は、位置特定信号２０２と信号３０２との間に低減された干渉をもたらす。いくつかの実施形態では、位置特定信号２０２間の時間分離の測定値は、位置特定ネットワークの性能を評価するために、またはそれを改良するときに使用されるメトリックであり得る。
【０１０８】
いくつかの実施形態では、信号３０２は、あるイベントの発生を示すために、送受信機１３０によって使用され得る。いくつかの実施形態では、信号３０２は、他の送受信機１３０による措置をトリガするために、送受信機１３０によって使用され得る。いくつかの実施形態では、本措置は、位置特定信号２０２のスケジューリングまたは伝送スケジュールの変更をもたらす。いくつかの実施形態では、動的伝送スケジューリングが、本システムからの送受信機の追加または除去に反応するために使用され得る。いくつかの実施形態では、送受信機の追加または除去（例えば、欠陥に起因して）に対する位置特定ネットワーク（例えば、図２のネットワーク１００）の反応は、ネットワークのロバスト性を評価するためのメトリックとして使用され得る。
【０１０９】
いくつかの実施形態では、信号３０２は、自己位置特定装置によって使用される信号（例えば、信号２０２）の同一タイプであり得る。いくつかの実施形態では、信号３０２は、信号２０２とある意味では異なり得る。例えば、信号３０２は、異なるペイロードを有し得る。いくつかの実施形態では、信号３０２は、信号２０２と異なる時間に伝送され得る。例えば、信号３０２は、位置特定システムの設置中、またはその較正位相中に伝送され得、信号２０２は、本システムが動作しているときに放出され得る。信号３０２および２０２はまた、さらに別の意味で異なり得る（例えば、その信号強度、プリアンブル等）。いくつかの実施形態では、信号２０２および信号３０２の使用は、異なり得る。例えば、送受信機は、信号３０２と併用されるものとは異なる更新レートにおいて信号２０２を放出し得る、または信号伝送は、異なるスケジュールに従い得る。
【０１１０】
図４は、本開示のいくつかの実施形態による、第１および第２の送受信機１３０ａ、１０３ｂの対を備える、例証的送受信機のブロック図である。送受信機１３０ａ、１３０ｂは、構造要素４００を使用して、物理的にともに結合される。各送受信機１３０ａ、１３０ｂは、アンテナ２１２ａ、２１２ｂと、アナログ伝送電子機器２１４ａ、２１４ｂと、デジタル伝送電子機器２１６ａ、２１６ｂと、クロックインターフェース４０２ａ、４０２ｂとを備える。第１の送受信機１３０ａはまた、大域的プロパティセンサ２２８を備え得、これは、デジタル伝送電子機器２１６ａに動作上結合され得る。
【０１１１】
多くの用途に関して、送受信機は、モバイルである必要はないため、送受信機は、自己位置特定装置よりも少ない制約（例えば、重量制約、サイズ制約、電力制約）を有するであろう。したがって、複雑性を自己位置特定装置から送受信機に向かって遷移させることが、好ましくあり得る。図４に示される実施形態は、いくつかの技術的利点を有する。第１に、図４に示される送受信機の対は、障害に対する付加的安全策を提供するために、冗長受信機として実装され得る。使用事例に応じて、冗長性が、送受信機のコンポーネントのいくつかまたは全てに関して達成されることができる。第２に、送受信機１３０ａ、１３０ｂは、図示されるように、異なるアンテナ２１２ａ、２１２ｂを使用し、付加的機能性を提供するように構成され得る。アンテナ２１２ａ、２１２ｂは、例えば、他の因子の中でもとりわけ、その配向、そのアンテナ偏波、またはその利得において異なり得る。これは、異なる受信機アンテナ配向を横断する信号受信における改良された信号対雑音比またはより小さい変動を含む、受信機に関する技術的利点をもたらし得る。いくつかの実施形態では、図１−３の送受信機１３０は、例えば、ＲＦスイッチと接続される、複数のアンテナ２１２を使用し得る。
【０１１２】
図４に示されるような送受信機の対を使用することは、（例えば、図７に示されるような）同様に対の自己位置特定装置と併用されると、付加的利点を有し得る。いくつかの実施形態では、送受信機１３０ａおよび１３０ｂは、異なる位置特定信号を使用し得る。例えば、送受信機１３０ａは、第１の周波数帯域を使用し得る一方、送受信機１３０ｂは、第２の異なる周波数帯域を使用し得る。２つの異なる位置特定信号の同時使用は、より高い更新レートを可能にし得る。これは、干渉への改良された抵抗を提供し得る。これはまた、距離における真の差異からの信号依存性効果の曖昧性排除を可能にし得る。例えば、信号の速度は、障害物の屈折率および信号の波長に依存するため、２つの異なる波長を伴う２つの異なる信号の使用は、障害物によって導入される遅延が推測されることを可能にし得る。
【０１１３】
対の実施形態はまた、障害を検出するために使用され得る。これは、例えば、第１の送受信機から第１の信号を受信し、第１の送受信機に物理的に取り付けられる第２の送受信機から第２の信号を受信し、第１の信号に関連するデータを第２の信号に関連するデータと比較する一方、２つの信号における差異を考慮し、結果をある閾値と比較することによって達成され得る。比較されるデータの実施例は、信号の受信、信号の着信の正確度、および信号のピーク電力を含む。２つの信号における差異に関する実施例は、相対的アンテナ位置、第１および第２の信号の放出間の時間遅延、ならびに信号プリアンブルを含む。
【０１１４】
いくつかの実施形態では、障害は、障害検出ユニット（図示せず）を使用して検出される。いくつかの実施形態では、障害検出ユニットは、自己位置特定装置にオンボードである。いくつかの実施形態では、障害検出ユニットは、自己位置特定装置にオフボードである。いくつかの実施形態では、単一の障害検出ユニットが、使用される。
【０１１５】
いくつかの実施形態では、対のアンテナが、マルチアンテナ設定を実装するために使用され得る。
【０１１６】
図４に示される送受信機はさらに、デジタル受信電子機器２２２ａ、２２２ｂと、アナログ受信電子機器２２０ａ、２２０ｂとを備える。これは、送受信機１３０ａ、１３０ｂのそれぞれが信号３０２を無線で交換することを可能にする。いくつかの実施形態では、送受信機１３０ａ、１３０ｂは、電子機器２２２ａ、２２２ｂ、２２０ａ、２２０ｂのいくつかまたは全てを含まない。
【０１１７】
いくつかの実施形態では、本開示の送受信機は、マルチアンテナ設定と併用され得る。マルチアンテナ設定は、公知の多様性（例えば、空間多様性、時間多様性、偏波多様性、パターン多様性等）を伴う少なくとも２つの共振要素（時として、「アンテナ」と呼ばれる）を備える。
【０１１８】
マルチアンテナ設定の共振要素は、その特性（例えば、極性、周波数応答、感度、配向等）のうちの１つまたはそれを上回るものにおいて異なり得る。例えば、アンテナは、既知の距離だけ分離され得る。別の実施例として、アンテナは、相互に対して直交に配向され得る。マルチアンテナ設定の共振要素は、周知の無線周波数技法（例えば、ダイプレクサ、電力分割器等）を使用して種々の方法で使用され、組み合わせられ得る。マルチアンテナ設定は、個々の共振要素のための専用電子機器を備え得る。
【０１１９】
いくつかの実施形態では、送受信機のアンテナ２１２ａ、２１２ｂは、マルチアンテナ設定を実装するために使用され得る。マルチアンテナ設定は、個々の共振要素のためのいくつかの別個の電子機器２１４ａ、２１４ｂ、２１６ａ、２１６ｂ、２２０ａ、２２０ｂ、２２２ａ、または２２２ｂを備え得る。例えば、マルチアンテナ設定は、アンテナのための別個の受信電子機器を備え得る。
【０１２０】
いくつかの実施形態では、送受信機は、複数のアンテナを具備する。いくつかの実施形態では、送受信機の複数のアンテナは、マルチアンテナ設定を実装するために使用される。いくつかの実施形態では、自己位置特定装置は、複数のアンテナを具備する。いくつかの実施形態では、自己位置特定装置の複数のアンテナは、マルチアンテナ設定を実装するために使用される。いくつかの実施形態では、送受信機および自己位置特定装置は、それぞれ、マルチアンテナ設定を有する。
【０１２１】
いくつかの実施形態では、同じアンテナが、伝送および受信のために使用される。いくつかの実施形態では、異なるアンテナが、伝送および受信のために使用される。例えば、送信機は、指向性アンテナを使用し得る一方、自己位置特定装置は、無指向性アンテナを使用し、逆もまた同様である。種々のタイプのアンテナが、所与の使用事例のための所望の挙動を達成するために使用され、組み合わせられ得る。例えば、複数の共振要素、マルチビーム適応アンテナ、または多重入出力アンテナ（ＭＩＭＯ）を使用するアンテナが、使用され得る。いくつかの実施形態では、複数の周波数帯域をサポートするアンテナが、使用され得る。いくつかの実施形態では、マルチアンテナ設定のアンテナが、相互から分離され得る。
【０１２２】
いくつかの実施形態では、マルチアンテナ設定は、位置特定ユニットまたは位置較正ユニットの位置特定性能を改良し得る。いくつかの実施形態では、これは、受信（例えば、信号対雑音等）を改良することによって達成され得る。いくつかの実施形態では、アンテナおよび受信電子機器は、信号強度を検出するように構成される。いくつかの実施形態では、信号強度は、送信機に対する距離の相対的インジケーションを提供するために使用される。
【０１２３】
いくつかの実施形態では、指向性アンテナが、使用される。いくつかの実施形態では、アンテナは、信号の源の方向を示し得る信号方位を検出するように構成される。いくつかの実施形態では、アンテナおよび受信電子機器は、信号の振幅または位相の検出を可能にするように構成される。いくつかの実施形態では、放出された信号の振幅または位相および信号の検出された振幅または位相の知識が、送信機に対する配向または距離の相対的インジケーションを提供するために使用される。
【０１２４】
いくつかの実施形態では、マルチアンテナ設定は、自己位置特定装置の姿勢が決定されることを可能にし得る。例えば、いくつかの実施形態では、マルチアンテナ設定は、信号の偏波の方向を検出するために使用され得る。信号の放出された偏波および信号の検出された偏波の知識は、エミッタ（例えば、送受信機）および受信機（例えば、別の送受信機または自己位置特定装置）の配向の相対的インジケーションを提供し得る。
【０１２５】
いくつかの実施形態では、マルチアンテナ設定のアンテナが、異なる周波数上で動作し得る。例えば、マルチアンテナ設定は、２つの別個の周波数上で動作している冗長送受信機ネットワーク内で使用され得る。さらなる実施例として、マルチアンテナ設定は、２つの別個の周波数上で動作している冗長送受信機ネットワーク内で使用される自己位置特定装置上で使用され得る。
【０１２６】
いくつかの実施形態では、アンテナ、アナログ受信電子機器、およびデジタル受信電子機器は、信号のドップラ偏移を測定するように構成される。これは、例えば、送受信機の既知の場所に対する自己位置特定装置の移動に関連するデータを提供することによって、位置特定ユニットがその位置特定推定値を改良することを可能にし得る。
【０１２７】
いくつかの実施形態では、送受信機のマルチアンテナ設定および自己位置特定装置のマルチアンテナ設定の利点は、組み合わせられ得る。これは、例えば、送受信機のマルチアンテナ設定のプロパティ（例えば、送受信機の位置）の知識、放出される信号のプロパティ（例えば、信号強度、信号偏波）の知識、および自己位置特定装置のマルチアンテナ設定のプロパティ（例えば、そのアンテナアレイの共振要素の相対的整合およびその受信特性）の知識を位置特定ユニットにおいて組み合わせることによって達成され得る。
【０１２８】
いくつかの実施形態では、位置特定ユニットは、以下のマルチアンテナ設定、センサ、大域的プロパティセンサ、第１および第２の大域的プロパティセンサ、ならびに既知の場所のうちの１つまたはそれを上回るものからのデータを融合するために使用される。
【０１２９】
マルチアンテナ設定は、技術的利点を有し得る。いくつかの実施形態では、マルチアンテナ設定は、受信が最適化され、信号対雑音比が改良され、データレートが増加されることを可能にし得る。これは、例えば、ある範囲の受信機位置または配向にわたってより良好な受信を可能にすることによって達成され得る。別の実施例として、マルチアンテナ設定は、ＭＩＭＯシステムにおいてデータレートを増加させるための空間多重化を実装するために使用され得る。
【０１３０】
いくつかの実施形態では、本システムコンポーネントの位置特定信号に対する影響が、公知である。例えば、送受信機のＲＦコンポーネントは、周知の伝送プロパティを有し得る。さらなる実施例として、自己位置特定装置の電子機器および構造コンポーネントは、周知のＲＦ応答を有する。いくつかの実施形態では、公知のＲＦ効果が、補償ユニットによって補償される。いくつかの実施形態では、アンテナは、遮断を使用し得る。
【０１３１】
図２−４の送受信機１３０は、無線伝送および無線受信能力を有するものとして異なる実施形態において説明されたが、無線受信能力は、随意であることを理解されたい。例えば、いくつかの実施形態では、送受信機１３０は、無線受信コンポーネントを含まない。いくつかの実施形態では、送受信機１３０は、有線接続を使用して、他の送受信機１３０、スケジューリングユニットコントローラ１２０、またはスケジューラ１１０と同期情報および他の情報を交換するように構成される。上記に言及されるように、送受信機はまた、アンカとも称される。故に、また、本明細書で使用されるようなアンカは、無線伝送コンポーネントおよび無線受信コンポーネントの両方、または無線伝送コンポーネントのみを含み得ることを理解されたい。
【０１３２】
図５は、本開示のいくつかの実施形態による、例証的自己位置特定装置１４０のブロック図である。自己位置特定装置１４０は、位置特定信号２０２を受信するためのアンテナ５０２を備える。アンテナ５０２は、アナログ受信電子機器５０４に動作上結合され、これは、信号を増幅し得る。デジタル受信電子機器５０６が、次いで、クロック５０８を基準にして信号をタイムスタンピングするために使用され得る。同期ユニット５１０が、クロック５０８からの入力を（例えば、位置特定システムの別の部分から同期信号またはメッセージの一部として受信され、かつデジタル受信電子機器５０６によって受信された）他のクロックからの入力と比較し得る。同期ユニット５１０は、本情報を使用し、クロックレートまたはクロックオフセットに関するクロック補正値を算出し得、これは、位置特定ユニット５１２もしくは補償ユニット５１６に通信される、またはメモリ５１８内に記憶され得る。加えて、補償ユニット５１６からの情報が、使用され得る。
【０１３３】
図５の自己位置特定装置１４０は、例えば、図２の位置特定システム１００と併用され得る。本実施形態では、図５の自己位置特定装置１４０は、図２の送受信機１３０によって伝送されるタイムスタンプ可能な位置特定信号２０２をそのアンテナ５０２、アナログ受信電子機器５０４、およびデジタル受信電子機器５０６を通して受信する。自己位置特定装置１４０は、信号２０２を使用し、送受信機１３０に対するその場所を算出し得る。いくつかの実施形態では、これは、信号２０２をタイムスタンピングし、タイムスタンプを距離に変換し、これらの距離を使用し、相対的場所を算出することによって達成される。本変換は、伝送媒体中の信号２０２の速度（例えば、空気中の光の速度）の推定値を使用することができる。本変換は、位置特定ユニット５１２を使用して遂行され得る。位置特定ユニット５１２は、三辺測量または多辺測量によって、送受信機１３０の既知の場所に対する自己位置特定装置の場所を算出し得る。十分に正確なタイムスタンピングが、デジタル受信電子機器５０６およびクロック５０８によって提供され得る。
【０１３４】
受信電子機器５０４、５０６は、伝送された信号がアンテナ５０２に到達する受信時間を正確に決定し得る。信号の受信時間を決定すること（「タイムスタンピング」）は、シンボルが検出される時間を決定することによって実行され得る。ＩＥＥＥ  ８０２．１５．４規格に従う伝送に関して、タイムスタンピングされるべきシンボルに関する一般的な選定は、フレーム開始デリミタの開始（すなわち、伝送された信号が、プリアンブルコードの繰り返された伝送からフレーム開始デリミタの伝送に変化する点）である。デジタル受信電子機器５０６は、本装置のクロック５０８によって提供される信号を、本タイムスタンピングプロセスにおける基準として使用する。タイムスタンプは、したがって、本クロックに対して表され得る。いくつかの実施形態では、クロック５０８は、オンボードクロックを含む。受信電子機器５０４、５０６はまた、受信された信号２０２に関連する付加的メトリックを提供し得る。
【０１３５】
品質メトリックが、例えば、信号強度、受信時間標準偏差、または信号の雑音特性を含み得る。品質メトリックは、絶対値（例えば、絶対的信号強度）に基づいて、または相対値（例えば、信号強度の差異）に基づいて算出され得る。品質メトリックはまた、信号を比較することによって算出され得る。例えば、品質メトリックは、経時的な信号の比較、異なる送受信機からの信号間の比較、異なる方向から受信された信号の比較、信号の閾値との比較、信号のその予期されるプロパティとの比較、およびその他に基づいて算出され得る。比較は、個々の信号特性（例えば、ピーク電力）または信号全体（例えば、信号のスペクトル形状）を使用し得る。品質メトリックは、例えば、信号２０２が視通線内を進行したかどうか、またはこれがどの材料を横断し得たか、またはこれがどのように反射され得たかを決定するために使用され得る。
【０１３６】
図５（および図２）の自己位置特定装置１４０はさらに、大域的プロパティセンサ５２０を備え得る。大域的プロパティは、基準点（例えば、送受信機または座標系）に関する付加的基準データを提供することによって、自己位置特定装置１４０の相対的場所のより正確な算出を可能にし得る。これは、少なくとも１つの送受信機１３０および自己位置特定装置１４０を具備し、大域的プロパティを検出することによって達成されることができる。位置特定システムの正確度は、（ｉ）送受信機の大域的プロパティ読取値を装置に伝送するステップと、（ｉｉ）その場所における送受信機の大域的プロパティの読取値およびその場所における本装置の大域的プロパティの読取値を比較するステップと、（ｉｉｉ）その比較を配向、位置、または移動に関連するデータに変換するために、大域的プロパティのモデル（「大域的プロパティモデル」）を使用するステップと、（ｉｖ）推定量を使用することによって、そのデータを他のセンサデータと適切に融合するステップとを含む方法によって改良され得る。ステップ（ｉｉ）および（ｉｉｉ）は、図５の自己位置特定装置１４０の一部として示されるもの等の位置特定ユニット５１２を使用して遂行され得る。大域的プロパティモデルは、大域的プロパティの１つまたはそれを上回る読取値の、位置特定システムによって処理され得るデータへの変換を可能にする（例えば、高度／高さの関数として大気圧を記述する方程式）。モデルは、関数またはルックアップテーブル等の種々の形態をとることができる。
【０１３７】
ローカルのオンボードセンサ（例えば、図５のオンボードセンサ５１４）からのデータ等、位置特定システムによって提供される他のデータに加えて、１つまたはそれを上回る大域的プロパティセンサ（例えば、図３の大域的プロパティセンサ２２８）からのデータの使用は、特に、系統的センサ誤差または高雑音レートを伴うセンサの存在において有用であり得る。例えば、屋外設置のための例示的実施形態では、装置および複数の送受信機が、位置特定信号２０２に加えて、ＧＰＳ信号を受信するように具備し得る。これは、自己位置特定装置１４０が、位置特定ユニット５１２を使用して、送受信機１３０に対するその位置だけではなく、また、大域的基準フレームに対するその位置を決定することを可能にし得る。加えて、本位置特定モダリティの組み合わせは、２つの独立した測定システムからの読取値を比較することによって、誤データの検出を可能にし得る。位置特定システムは、送受信機および本装置に、気圧計等の大域的プロパティを検出するための付加的センサを具備することによって、さらに改良され得る。これは、特に、送受信機（多くの場合、全て大地面上、装置の下方）およびＧＰＳ衛星（はるか上空、典型的には、装置の上方高く）の好ましくない位置付けのため、ＧＰＳおよびローカル位置特定システムの両方がより不良な情報を提供し得る垂直方向において、位置特定ユニット５１２が、より正確な、より信頼性のある、またはより速い位置特定を達成することを可能にするために有用であり得る。
【０１３８】
大域的信号はまた、通信する送受信機のアンテナ２１２および自己位置特定装置のアンテナ５０２の相対的配向を決定するために使用され得、これは、信号品質または群遅延に対して、したがって、その算出される相対的場所に対して重要な影響を及ぼし得る。配向を決定することは、例えば、送受信機の重力ベクトルを検出し（例えば、加速度計を使用して）、本情報を本装置に通信し（例えば、位置特定信号のペイロードの一部として）、その加速度計に対する送受信機および本装置のアンテナ配向のそれぞれに関するモデルを使用して、これを本装置によって検出された（場合によっては装置の運動の影響を補正された）重力ベクトルと比較することによって達成されることができる。本比較は、補償ユニット（例えば、図５の補償ユニット５１６）によって実施されることができる。
【０１３９】
上記に言及されるように、位置特定ユニット５１２は、データを使用し、場所推定値を算出する。データは、受信された信号２０２、１つもしくはそれを上回るオンボードセンサ５１４からのデータ、１つもしくはそれを上回るオフボードセンサ（例えば、送受信機の大域的プロパティセンサ２２８）からのデータ、または他のデータを含み得る。受信された信号２０２に関連するデータは、ペイロード、タイムスタンプ、信号特性（例えば、信号強度、ピーク形状等）、またはその他を含み得る。これは、推定量を使用して、データおよび他の情報（例えば、入力履歴の知識、本装置の動的モデル）の溶断電流値に基づいて、自己位置特定装置１４０の位置（および場合によっては配向または運動）の推定値を算出することによって達成され得る。各個々の受信された信号２０２は、これを以前の（事前）推定値と併合することによって、更新された（事後）位置推定値を提供するために再帰的に使用され得る。いくつかの実施形態では、（拡張）カルマンフィルタ、相補フィルタ、パーティクルフィルタ、ルーエンバーガー観測器、または任意の他の好適な技法が、推定値を再帰的に算出するために使用されることができる。位置特定ユニット５１２は、いくつかの位置特定信号受信（例えば、３、４、５、６、７、８、９、１０個等）をメモリ（例えば、メモリ５１８）内に記憶し、それらをバッチ処理する（事前定義された数の信号の受信後、または一定の間隔においてのいずれか）ことによって、それらを収集し得る。バッチ処理方法は、装置１４０の位置に関する着信時間差（ＴＤＯＡ）測定値を求めることによる、多辺測量技法に基づき得る。いくつかの実施形態では、再帰的およびバッチ処理の組み合わせが、使用され得る。
【０１４０】
メモリ５１８が、バッチ処理のために受信された信号２０２からのデータ、現在の場所推定値、または再帰的算出およびセンサ融合のためのパラメータ等の情報を記憶するために使用され得る。位置特定ユニット５１２はまた、補償ユニットからのデータ（例えば、補償値）またはデジタル受信電子機器５０６によって生成される受信されたＵＷＢ信号２０２についての情報（例えば、品質メトリック）を使用し得る。
【０１４１】
信号品質または群遅延の変動の理由は、送受信機および自己位置特定装置が小さく、相互に対して相対的に近接して動作し得ることであり得る。これは、平面の上方もしくは下方で動作する装置を伴う平面上に置かれる複数の送受信機または体積の凸多面体の内側で動作する装置を伴う体積の周囲に置かれる複数の送受信機等、典型的な用途において使用され、典型的な使用中に遭遇される、受信機アンテナ５０２に対する送信機アンテナ２１２の多種多様な相対的配向、相対的距離、および相対的方向をもたらし得る。
【０１４２】
他の位置特定システムとは異なり、ここでは、自己位置特定装置に着信する信号２０２は、可変品質であり得る、または異なる群遅延を有し得る。いくつかの実施形態では、位置特定ユニット５１２は、位置特定信号の仕様ならびに受信コンポーネントによって提供されるもの等の受信された位置特定信号に関連する品質メトリック（例えば、ＵＷＢピーク信号強度、ＵＷＢピーク形状）を使用することによって、従来の位置特定システムに優るように場所推定値を改良するために使用され得る。これは、例えば、測定分散を信号メトリックに関連付けることによって達成され得、したがって、より高い分散を伴う測定値は、位置特定ユニットの状態推定値に対してより少ない影響を及ぼす。別の実施例として、位置特定ユニットは、位置特定信号とは無関係のデータ（例えば、慣性センサ、大域的プロパティ）により重点を置き得る。別の実施例として、位置特定ユニットは、最小信号品質または群遅延等の品質メトリックを満たさないある送受信機からの測定値を完全に破棄し得る。
【０１４３】
従来のシステムとは異なり、位置特定ユニット５１２は、ここでは、送受信機から自己位置特定装置に進行するタイムスタンプ可能な位置特定信号が、本装置が自己位置特定することを可能にするために十分な情報を含有し得るため、自己位置特定装置１４０上に置かれ得る。例えば、送受信機は、同期され得、その場所は、本装置に把握され得る。
【０１４４】
図６は、本開示のいくつかの実施形態による、自己位置特定装置のアンテナ５０２、アナログ受信電子機器５０４、およびデジタル受信電子機器５０６を通して受信される位置特定信号（例えば、ＵＷＢ信号）の伝搬を描写する、例証的タイミング図である。これらのコンポーネントの相互接続は、受信パイプラインと称されるであろう。これらのコンポーネントはそれぞれ、受信された信号の伝搬に遅延を導入する。時間が、垂直軸上に示され、表記Ａｔは、時間ｔが自己位置特定装置Ａのクロックを基準にして測定されていることを示すために使用される。
【０１４５】
自己位置特定装置のアンテナ５０２に時間Ａｔ０Ｒｘ６０２において着信する信号を検討すると、信号は、その着信がデジタル受信電子機器５０６によって時間Ａｔ０６０６においてタイムスタンピングされる前に、受信パイプラインを通して伝搬する。パイプラインによって導入される遅延（Ａｔ０６０６とＡｔ０Ｒｘ６０２との間の差異によって与えられる）は、Ａδ０６０４と表され、パイプライン遅延と称される。ここで、自己位置特定装置のアンテナ５０２に時間Ａｔ１Ｒｘ６１２において着信し、受信パイプラインを通したＡδ１６１４のパイプライン遅延後、時間Ａｔ１６１６においてタイムスタンピングされる、第２の信号を検討する。２つの信号間のパイプライン遅延の変動は、｜Ａδ１-Ａδ０｜として与えられる。本測定値は、自己位置特定装置１４０のクロックに対してであり、したがって、クロックレートオフセットとは無関係であることに留意されたい。いくつかの実施形態では、パイプライン遅延６０４および６１４間の差異は、０．０１、０．６、３、または１５ナノ秒未満であり、これは、より正確な位置特定が達成されることを可能にする。
【０１４６】
パイプライン遅延の変動は、自己位置特定装置のアンテナ５０２の周波数応答、内部増幅、ならびにデジタル受信電子機器５０６によるタイムスタンプの生成における正確度および変動を含む、物理的な測定可能な要因によって影響を受ける。アンテナは、非理想的電磁デバイスであるため、その周波数応答は、どの程度の無線信号がアンテナによって増幅または減衰されるかに対応する、受信角度依存性大きさ応答、ならびに、どの程度無線信号がアンテナによって遅延されるかに対応する、受信角度依存性位相応答によって説明される。これらの応答は、信号が受信され、これがアンテナ５０２を通過する際に信号の電気的遅延をもたらす角度の確定関数である。いくつかの実施形態では、アナログ受信電子機器５０４およびデジタル受信電子機器５０６を通した信号の伝搬は、受信される信号強度に関係なく、一貫した信号レベルを達成するために、信号の内部増幅によってさらに遅延され得る。さらに、ＵＷＢ信号の着信を一貫して正確にタイムスタンピングするデジタル受信電子機器５０６の能力は、これが信号の「第１の経路」を一貫して正確に識別することを要求する。以下に議論される本識別の誤差は、タイムスタンピングプロセスにおいて非一定の誤差をもたらし、したがって、受信パイプラインを通した信号の伝搬時間において感知される遅延をもたらす。系統的パイプライン遅延に加えて、いくつかの実施形態では、ランダム、外部、または非モデル化プロセスもまた、パイプライン遅延に影響を及ぼし、受信パイプラインにおいて非系統的遅延を導入し得る。いくつかの実施形態では、温度が、そのようなプロセスの実施例であり、それによって、温度の変化は、デジタル受信電子機器５０６によって要求される処置時間に影響を及ぼし得る。
【０１４７】
非一定のパイプライン遅延の影響は、任意の信号２０２の受信時間における非一定の誤差の導入である。したがって、非一定のパイプライン遅延が、図６に図示されるように、任意の信号２０２の受信時間から導出される任意の着信時間または着信時間距離測定値における非一定の誤差に対応し得ることが、当業者に明白となるであろう。補償ユニット（例えば、図５の補償ユニット５１６）が、いくつかの実施形態では、本系統的であるが非一定の誤差を補償し得る。
【０１４８】
図７は、本開示のいくつかの実施形態による、第１および第２の自己位置特定装置１４０ａ、１４０ｂの対を備える、例証的自己位置特定装置のブロック図である。自己位置特定装置１４０ａ、１４０ｂは、構造要素７００を使用して、物理的にともに結合される。各自己位置特定装置１４０ａ、１４０ｂは、アンテナ５０２ａ、５０２ｂと、アナログ受信電子機器５０４ａ、５０４ｂと、デジタル受信電子機器５０６ａ、５０６ｂと、位置特定ユニット５１２ａ、５１２ｂとを備える。図示されるように、位置特定ユニット５１２ａ、５１２ｂの対は、通信経路７０２を使用して、動作上結合される。通信経路７０２は、位置特定ユニット５１２ａ、５１２ｂが、その場所に関連するデータ（例えば、その現在の場所推定値）を交換することを可能にする。
【０１４９】
構造要素７００は、自己位置特定装置１４０ａ、１４０ｂ間に剛性または半剛性アタッチメントを提供する。いくつかの実施形態では、構造要素７００は、とりわけ、プリント回路基板（ＰＣＢ）マウント、多目的封入箱、支柱、または接続ロッドのうちの１つもしくはそれを上回るものを含み得る。自己位置特定装置１４０ａ、１４０は物理的に接続されるため、その相対的場所は、完全または部分的に把握される。これは、第２の位置特定ユニット５１２ｂの場所に関連するデータならびに第１および第２の位置特定ユニット５１２ａ、５１２ｂの既知の相対的場所に関連するデータに基づいて、第１の位置特定ユニット５１２ａがその場所推定値を改良することを可能にし得る。
【０１５０】
いくつかの実施形態では、図７に示される自己位置特定装置１４０ａ、１０４ｂの対は、障害に対する安全策を提供し得る、冗長自己位置特定装置として動作し得る。例えば、第１の自己位置特定装置１４０ａ内のコンポーネントが故障する場合、位置特定システムは、第２の自己位置特定装置１４０ｂに依拠し得る。使用事例に応じて、冗長性が、自己位置特定装置のコンポーネントのいくつかまたは全てに関して達成されることができる。
【０１５１】
図示されるように、第１および第２の自己位置特定装置１３０ａ、１３０ｂは、異なるアンテナ５０２ａ、５０２ｂを使用する。いくつかの実施形態では、アンテナ５０２ａ、５０２ｂは、異なる特性を有し得る。例えば、アンテナ５０１ａ、５０２ｂは、他の因子の中でもとりわけ、その配向、そのアンテナ偏波、またはその利得において異なり得る。これは、自己位置特定装置が移動する間の信号受信における改良された信号対雑音比またはより小さい変動を含む、技術的利点をもたらし得る。
【０１５２】
いくつかの実施形態では、自己位置特定装置のアンテナ５０２ａ、５０２ｂは、マルチアンテナ設定を実装するために使用され得る。マルチアンテナ設定は、個々の共振要素のためのいくつかの別個の電子機器５０４ａ、５０４ｂ、５０６ａ、５０６ｂを備え得る。例えば、マルチアンテナ設定は、アンテナのための別個の受信電子機器を備え得る。
【０１５３】
いくつかの実施形態では、自己位置特定装置１４０ａ、１４０ｂはさらに、個別のセンサ５１４ａ、５１４ｂを備える。各センサ５１４ａ、５１４ｂは、個別の位置特定ユニット５１２ａ、５１２ｂに動作上結合される。センサ５１４ａ、５１４ｂは、対応する自己位置特定装置がその位置特定を改良することを可能にし得る。いくつかの実施形態では、第１の位置特定ユニット５１２ａは、その場所に関連するデータ（例えば、その現在の場所推定値、そのセンサ５１４ａ読取値）を第２の位置特定ユニット５１２ｂに通信し得る。これは、第２の位置特定ユニット５１２ｂがその場所推定値を改良することを可能にし得る。
【０１５４】
図７の自己位置特定装置の対は、図２および５に描写される単一の自己位置特定装置の代わりに使用され得ることを理解されたい。
【０１５５】
図８は、本開示のいくつかの実施形態による、複数の選択可能なアンテナ５０２ａ、５０２ｂ、５０２ｃを備える、例証的自己位置特定装置１４０のブロック図である。自己位置特定装置１４０はさらに、使用のためのアンテナ５０２ａ、５０２ｂ、５０２ｃのうちの具体的１つを選択する無線周波数スイッチ（ＲＦスイッチ）８００を備える。いくつかの実施形態では、ＲＦスイッチ８００は、単極双投（ＳＰＤＴ）またはマルチポート（ＳＰｎＴ）スイッチを含む。ＲＦスイッチ８００のパラメータ（例えば、周波数範囲、アイソレーション、スイッチング速度等）は、特定の使用事例に適合するように最適化され得る。図８に図示されるように、ＲＦスイッチ８００は、マルチアンテナ設定として使用される。いくつかの実施形態では、アンテナ５０２ａ、５０２ｂ、５０３ｃは、異なる特性を有し得る。例えば、アンテナ５０２ａ、５０２ｂ、５０３ｃは、以下の特性、すなわち、配向、偏波、利得、アンテナタイプのうちの１つまたはそれを上回るものにおいて異なり得る。位置特定ユニット５１２または自己位置特定装置１４０の他のコンポーネントは、位置特定情報に基づいて複数のアンテナのうちの１つを選択するために、ＲＦスイッチ８００を制御し得る。位置特定情報は、例えば、自己位置特定装置の位置、自己位置特定装置の配向、受信されるべき次の位置特定信号、１つもしくはそれを上回るアンテナと関連付けられる品質、アンテナのタイプ、および任意の他の位置特定情報のうちの１つまたはそれを上回るものを含み得る。いくつかの実施形態では、ＲＦスイッチ８００および複数の選択可能なアンテナ５０２ａ、５０２ｂ、５０２ｃは、本開示の任意の他の自己位置特定装置と併用され得ることを理解されたい。
【０１５６】
図９は、本開示のいくつかの実施形態による、場所更新プロセスを含む、例証的位置特定ユニット５１２のブロック図である。図９に描写される位置特定アルゴリズムは、拡張カルマンフィルタ（ＥＫＦ）の形態をとる。位置特定ユニット５１２は、本開示の任意の好適な自己位置特定装置１４０と併用され得る。サイクルの開始時、位置特定ユニット５１２は、プロセス更新ステップ９２０を実施し、これは、本装置の以前に推定された状態、および利用可能である場合、１つまたはそれを上回るアクチュエータに送信された信号を示す制御ユニット９４０からのデータを使用する。本ステップの結果は、事前推定値９２２（例えば、任意の新しく取得された測定値を考慮しない、装置１４０の現在の状態の推定値）である。本事前推定値は、次いで、利用可能な測定値と融合される。事前推定値、測定値、および位置特定ユニット５１２によって使用される他のデータは、メモリ（図示せず）内に一時的に記憶され得る。
【０１５７】
第１の種類の測定値は、位置特定信号２０２の受信である。本場合では、受信された信号のタイムスタンプ９００は、最初に、（同期ユニット５１０からのデータを使用して）クロック補正値９０２および（補償ユニット５１６からのデータを使用して）影響補償値９０４によって処理される。結果として生じる補正された着信時間９０６は、位置特定信号が自己位置特定装置アンテナ２１２に到着した時間の推定値を表し、これは、次いで、ＥＫＦ測定値更新ステップにおいて事前推定値と融合され得る。
【０１５８】
上記に記載されるように、結果として生じる補正された着信時間９０６は、位置特定信号２０２が本装置のアンテナ２１２に到着した時間の推定値を表す。いくつかの実施形態では、伝送情報が、受信された位置特定信号のペイロード内に含まれ、これは、信号が伝送された時間およびどの送受信機１３０によるものかを表す。伝送情報は、補正された着信時間とともに、装置１４０と送受信機１３０との間の距離のための測度である。位置特定ユニット５１２では、補正された着信時間および伝送情報は、次いで、ＥＫＦ測定値更新ステップ９２４において事前推定値と融合され得る。
【０１５９】
第２の種類の測定値は、新しいデータが利用可能である場合、（例えば、大域的プロパティセンサ５２０からの）大域的プロパティのローカルの測定値を表すデータである。本データは、次いで、比較９１２において、（例えば、大域的プロパティセンサ２２８からの）その大域的プロパティの（デジタル受信電子機器５０６によって提供される）遠隔の測定値を表すデータと比較され、大域的プロパティモデル９１４が、どのように本比較が自己位置特定装置１４０の場所、配向、または運動に関連するかに関する情報を提供する。本情報は、次いで、ＥＫＦ測定値更新ステップ９２４において状態推定値に融合され得る。大域的プロパティの実施例は、無線信号の信号強度である。距離ｄにわたって伝送される周波数ｆの無線周波数信号の自由空間経路損失は、
ＦＳＰＬ（ｄＢ）＝２０ｌｏｇ１０（ｄ）＋２０ｌｏｇ１０（ｆ）＋Ｋ
であり、Ｋは、ｄおよびｆのために使用される単位に依存する定数である。本方程式を通して、自己位置特定装置の無線信号源までの距離は、送受信機１３０の同一の源までの距離に関連し得る。
【０１６０】
第３の種類の測定値は、新しいデータが利用可能である場合、センサ５１４等のセンサからのものである。そのような測定値もまた、ＥＫＦ測定値更新ステップ９２４において状態推定値に融合され得る。
【０１６１】
同期ユニット５１０のローカルクロック挙動の推定値および補償ユニット５１６の補償値の推定値は、位置特定ユニット５１２によって算出された推定された場所に依存し得る。本依存性は、最初に、クロック挙動および補償値を算出するように事前場所推定値を使用し、次いで、新しい事後場所推定値９２６を算出することによって解決され得る。本依存性はまた、クロック挙動もしくはクロック補正値、補償値、および場所を並行して推定することによって、または算出された値が実質的に収束するまで、１）現在の場所推定値を使用する新しいクロック挙動もしくはクロック補正値および補償値算出値の算出と、２）現在のクロックおよび補償値を使用する場所推定との間を反復的に交互に行うことによって、解決され得る。
【０１６２】
いくつかの実施形態では、図９に描写される位置特定ユニット５１２および他のコンポーネントは、移動ロボットと統合され得る。そのような構成では、制御ユニット９４０が、移動ロボットを制御するために、位置特定ユニット５１２によって算出される場所に基づいて、アクチュエータコマンドを算出するように構成され得る。
【０１６３】
図１０は、本開示のいくつかの実施形態による、自己位置特定装置１４０を含む、例証的移動ロボット１０００を示す。移動ロボット１０００はまた、１つまたはそれを上回るセンサ（例えば、ＭＥＭＳセンサおよびセンサ５１４）を含み得る。いくつかの実施形態では、移動ロボット１０００は、加速度計１００６と、ジャイロスコープ１００８とを含む。いくつかの実施形態では、移動ロボット１０００は、加えて、磁気計、気圧計、ＧＰＳ受信機、および固有受容センサ（例えば、バッテリレベルおよびモータ電流を監視するためのセンサ）のうちの１つまたはそれを上回るものを含む。図示されるような移動ロボット１０００はまた、移動ロボットが、空中に留まり、空間を通してその移動を制御することを可能にする、４つのプロペラ１０１０を回転させるために使用される、アクチュエータ１００４（例えば、４つのモータ）を含む。いくつかの実施形態では、アクチュエータ１００４は、バッテリによって給電される。いくつかの実施形態では、送受信機または装置は、バッテリによって給電される。
【０１６４】
図１０の自己位置特定装置１４０は、移動ロボット１０００の電子機器（例えば、中央処理電子機器１００２）と統合され得る。例えば、装置１４０は、移動ロボット１０００のセンサ（例えば、センサ５１４、加速度計１００６、およびジャイロスコープ１００８）へのアクセスを有し得る。これは、例えば、飛行ロボット上のある重量分布を達成し、より良好なアンテナ受信を可能にする、または関連する電子コンポーネントを共同設置するために有用もしくは便宜的であり得る。
【０１６５】
用途に応じて、飛行用電子機器は、ここで説明される実施形態よりも複雑であり得、例えば、複数の電子処理ユニット、複数のアンテナ、または複数の自己位置特定装置を備え得る。
【０１６６】
図１１は、本開示のいくつかの実施形態による、例えば、図１０の移動ロボット１０００と併用され得る、例証的制御ユニット９４０のブロック図である。制御ユニット９４０は、階層式コントローラ（水平コントローラ１１０２、垂直コントローラ１１１０、低減姿勢コントローラ１１２０、ヨーコントローラ１１３０、および本体レートコントローラ１１４２、基準信号／フィードバック信号フローは、明確化のために省略される）を使用する。
【０１６７】
制御ユニット９４０において描写される制御スキームは、所望の車両位置およびヨー軌跡に従うように使用される。オンボード制御は、４つの別個のループ、すなわち、水平位置制御１１０２ループと、垂直位置制御１１１０ループと、低減姿勢制御１１２０ループと、ヨー制御１１３０ループとを備える。図１１の制御ユニット９４０内のコントローラのために使用される参照番号もまた、コントローラと関連付けられる制御ループを指すように使用されることを理解されたい。４つの制御ループの出力は、図１０に示される飛行移動ロボット１０００への３つの本体レートコマンドおよび移動ロボットの４つのプロペラ１０１０によって生産される集合的推力である。
【０１６８】
図１１に示される制御方略は、階層式ループ成形設計方略に基づく。コントローラ設計は、したがって、低次の動的系のいくつかのコントローラの設計に分割される。垂直制御ループ１１１０は、これが集合的推力ｃ１１１２を用いて二次系のような高度誤差に応答するように成形される。垂直制御ループ１１１０と同様に、２つの水平制御ループ１１０２は、二次系の様式において挙動するように成形される。しかしながら、いかなる制御入力も、直接計算されないが、命令された加速度ａ（ｘ）１１０４およびａ（ｙ）１１０６が、姿勢コントローラ１１２０への設定点として与えられる。姿勢コントローラ１１２０は、命令された加速度ａ（ｘ）１１０４およびａ（ｙ）１１０６が満たされるように、移動ロボットの低減された姿勢を制御する。命令された加速度は、次いで、命令された回転行列エントリに変換される。移動ロボットの回転運動を使用して、行列エントリの変化レートが、所望の車両本体レートｐ１１２２およびｑ１１２４を算出するために使用されることができる。上記に説明されるコントローラは、移動ロボットの平行移動挙動を完全に定義する。ヨーコントローラ１１３０が、次いで、測定されたヨー角度からの比例コントローラとして実装され、（例えば、移動ロボット１０００上のセンサ５１４によって測定されるような）所望のヨーレートｒ１１３２を算出し得る。本体レートコントローラ１１４２は、（測定または推定された）現在の本体レート、所望の車両本体レートｐ１１２２、ｑ１１２４、およびｒ１１３２を受信し、アクチュエータ１００４への集合的推力ｃ１１１２、制御ユニット９４０の出力アクチュエータコマンドｆ１，ｆ２，ｆ３，ｆ４１１４４とともに、移動ロボット１０００の移動１１４６を引き起こす。
【０１６９】
図１２は、本開示のいくつかの実施形態による、複数の送受信機１３０を含む例証的送受信機ネットワークを示す。そのような送受信機ネットワークは、多数の送受信機の同時使用を可能にすることによって、広い地理的エリア内の自己位置特定装置１４０の使用を可能にし得る。図１２に示されるように、２つの送受信機の伝送範囲１４００が重複する場合では、両方の送受信機による位置特定信号２０２の同時伝送が、位置特定信号２０２の干渉をもたらし得るため、送受信機は、「干渉している」と称されるであろう。伝送範囲は、例えば、伝送される信号の信号強度が受信機感度を下回って降下するエリアの境界として定義され得る。信号干渉を回避するために、特定のエリア内の送受信機の信号放出は、典型的には、調整される。いくつかの実施形態では、これは、（例えば、スケジューリングユニットを使用して、例えば、２つの信号の放出間の十分な時間を通して）時間において、（例えば、伝送電力を調整することによる、送受信機の十分な地理的分離を通して）空間において、（例えば、スケジューリングユニットを使用して、例えば、位置特定信号の伝送搬送周波数（中心周波数）または帯域幅の十分な分離を通して）周波数において、またはプリアンブルプロパティ（例えば、プリアンブルコード、プリアンブル変調）において、信号の適正な分離を確実にすることによって達成され得る。
【０１７０】
時間における十分な信号分離のために要求される時間量は、多くの要因（例えば、信号の強度、信号パケットのサイズ、信号のパルス／ピーク形状、送受信機のアンテナ、受信機のアンテナ、送受信機の地理的場所（その地理的分離を含む）、障害物、背景雑音等）に依存し得る。信号の時間分離を確実にすることは、任意の特定の送受信機からの後続信号間の持続時間が、送受信機の数が増えるにつれて増加することを意味し得る。これは、特に、動的自律的移動ロボットに対して問題であり得、更新レートの比較的に小さい低減であっても、位置特定性能において有意な劣化をもたらし得る。時間分離を確実にする公知の方法が、時分割多元接続（ＴＤＭＡ）である。Ａｌｏｈａ方法もまた、随時の信号干渉が許容可能であり、信号タイミングが重要ではない実施形態において利用され得る。
【０１７１】
各送受信機の伝送範囲に関連する、空間における十分な分離は、多くの要因（例えば、信号の強度、信号の周波数、信号の帯域幅、信号のパルス／ピーク形状、送受信機のアンテナ、受信機のアンテナ、送受信機の地理的場所（その地理的分離を含む）、障害物、背景雑音等）に依存し得る。いくつかの実施形態では、典型的な空間的分離は、１〜１００メートルである。いくつかの実施形態では、典型的な空間的分離は、１０〜５００メートルである。いくつかの実施形態では、典型的な空間的分離は、２００〜２，０００ｍである。いくつかの実施形態では、典型的な空間的分離は、約数キロメートルである。いくつかの実施形態では、２つの送受信機が、共同設置され得る。いくつかの実施形態では、空間的分離の組み合わせが、使用される。図１２では、伝送範囲１２００は、簡易化するために円としてグラフで表されるが、しかしながら、伝送範囲１２００は、より複雑な形状であり得ることが、当業者に明白となるであろう。伝送の空間分離を確実にするとき、自己位置特定装置１４０が、定義された地理的エリア内の全ての点において、事前決定された数の送受信機１３０から伝送を受信することが可能であろうように送受信機１３０を配置することが、望ましくあり得る。本送受信機１３０の数は、多くの要因（例えば、所望の更新レート、所望のシステムロバスト性、伝送の時間分離、伝送の周波数分離、背景雑音、障害物等）に依存し得る。
【０１７２】
空間における十分な分離を達成することは、好適なアンテナの選択によってさらに補助され得る。いくつかの実施形態は、指向性アンテナを使用する。いくつかの実施形態は、無指向性アンテナを使用する。いくつかの実施形態では、指向性アンテナは、位置特定信号の空間分離を確実にすることに役立つように使用される。いくつかの実施形態では、指向性アンテナを使用して、送受信機１３０の伝送を指向させることによって、どの送受信機１３０が定義された空間のどの領域に伝送するかをより正確に制御し、したがって、位置特定信号２０２の空間分離をより正確に制御することが、可能であり得る。いくつかの実施形態では、指向性アンテナを使用して、送受信機１３０の伝送を指向させることによって、所望の方向におけるより長い伝送範囲を達成することが、可能であり得る。空間的分離を補助し得る他の方法は、遮断、配置（例えば、雑音源から離れて）、放射パターンの最適化、および上記の組み合わせを含む。いくつかの実施形態では、自己位置特定装置１４０に指向性アンテナを具備することによって、配向情報が、どの信号が受信されるかと送受信機１３０の既知の場所との比較に基づいて推定されることができる。
【０１７３】
いくつかの実施形態では、送受信機１３０は、所望の動作エリアのカバレッジがあるメトリックに関して最適化されるように配列される。いくつかの実施形態では、送受信機１３０の動作は、あるメトリックに関して最適化される。好適なメトリックは、範囲内の送受信機の数、信号強度、送受信機の具体的組み合わせからの更新レート、マルチパス効果、または組み合わせられたメトリックを含むその他を含み得る。送受信機配列は、送受信機の場所、送受信機のアンテナ配向、送受信機の動作周波数、送受信機の帯域幅、または他の要因を含み得る。動作エリアは、地理的エリア、飛行ロボット１０００に関する飛行空間、事前定義された動作空間、または別のエリアであり得る。最適化は、物理パラメータ（例えば、送受信機の地理的配置、アンテナ配向等）または動作パラメータ（例えば、スケジューリングユニット２１８の動作）に関し得る。いくつかの実施形態では、最適化は、スケジューラによって実施され得る。いくつかの実施形態では、最適化は、事前算出され得る。いくつかの実施形態では、スケジュールが、手動で作成される。いくつかの実施形態では、スケジュールが、最適化に基づいて作成される。例えば、いくつかの実施形態では、最適なスケジュールが、区域あたりまたは領域あたりの送受信機の数を最小限にすることによって決定され得、定義されるエリア内の全ての点は、例えば、少なくとも３つの送受信機から受信することが可能であるという制約を伴う。いくつかの問題に関して、そのようなスケジュールは、自己位置特定装置が、定義されるエリア全体を通して３次元における位置特定を可能にすることを確実にする一方、セル内のＴＤＯＡサイクル時間（これは、セル内の送受信機の数に比例し得る）をさらに最小限にし得る。別の実施例として、いくつかの実施形態では、スケジュールが、自己位置特定装置の変化する周波数のコストを増加されるＴＤＯＡサイクル時間のコストと比較考量する、最適化問題のソリューションとして算出され得る。
【０１７４】
伝送周波数における十分な分離は、多くの要因（例えば、信号の強度、信号の周波数、信号の帯域幅、信号のパルス／ピーク形状、送受信機のアンテナ、受信機のアンテナ、送受信機の地理的場所（その地理的分離を含む）、障害物、背景雑音等）に依存し得る。いくつかの実施形態では、これは、スケジューリングユニットを使用して実装され得る。いくつかの実施形態では、分離は、１〜５０ＭＨｚの範囲内である。いくつかの実施形態では、分離は、１００〜５００ＭＨｚの範囲内である。いくつかの実施形態では、分離は、２００〜１，０００ＭＨｚの範囲内である。いくつかの実施形態では、重複する伝送周波数が、使用される。信号の周波数分離に関して設計するとき、自己位置特定装置１４０は、周波数分離された位置特定信号２０２を受信するために、その受信周波数を変更する必要があり得ることを考慮することが、重要であり得る。周波数分離を確実にする公知の方法が、周波数分割多元接続（ＦＤＭＡ）である。いくつかの実施形態では、種々の周波数分離の組み合わせが、使用される。
【０１７５】
いくつかの実施形態では、ＴＤＭＡは、位置特定信号２０２の時間分離を確実にするために採用され得る。いくつかの実施形態では、単純なアプローチが、採用され得、それによって、送受信機ネットワークがＮ個の送受信機を含む場合、Ｎ個のタイムスロットが、送受信機１３０毎に１つずつ分配されるであろう。全てのタイムスロットを通してサイクルする時間は、時として、ＴＤＭＡサイクル時間と称される。ネットワーク内の全ての送受信機が干渉している場合では、Ｎ個の送受信機のＮ個のタイムスロットへの本分配が、各送受信機がサイクル毎に一度伝送することを可能にする最短時間量であるという点で最適である。測位性能または情報伝搬時間等の他の最適化基準も、使用され得る。しかしながら、全ての送受信機が干渉するわけではない、図１３に図示されるような実施形態では、異なる最適なＴＤＭＡ分配スケジュールが、可能であり、これは、Ｎ個よりも少ないタイムスロットを使用し、したがって、ＴＤＯＡサイクル時間を減少させ、自己位置特定装置１４０が位置特定信号２０２を受信するであろう平均レートを増加させる。
【０１７６】
図１３は、本開示のいくつかの実施形態による、例証的簡略化送受信機ネットワークを示す。図１３では、送受信機１３０ａおよび１３０ｂは、干渉しない。本場合では、その空間における分離のため、自己位置特定装置は、両方の送受信機から信号を同時に受信することが不可能であり、したがって、同時伝送は、干渉しないであろうため、両方の送受信機１３０ａおよび１３０ｂが、同一のＴＤＭＡタイムスロットを利用し得ることが、当業者に明白となるであろう。これは、同一の陰影を有する送受信機１３０ａおよび１３０ｂによって図１３に図示される。
【０１７７】
いくつかの実施形態では、スケジューリングユニット２１８が、ＴＤＭＡタイムスロットのスケジューリングを調整し得る。一貫した時間スケジュールを達成するための複数の送受信機１３０の同期は、いくつかの実施形態では、同期ユニット２２４によって可能にされ得る、または共通のクロック２１０を共有する送受信機１３０によって可能にされ得る。いくつかの実施形態では、タイムスロット分配（すなわち、スケジュール）は、手動で決定される、または送受信機のメモリ（例えば、メモリ２３０）にプログラムされ得る。いくつかの実施形態では、スケジュールは、スケジューラによって自律的に算出され得る。いくつかの実施形態では、スケジューラによって決定されたスケジュールは、スケジューリングユニットコントローラによって伝送され得る。
【０１７８】
いくつかの実施形態では、スケジューラ（例えば、スケジューラ１１０）は、周期的に動作し得る、または適切な信号３０２の伝送を通して送受信機１３０によってトリガされ得る。いくつかの実施形態では、信号３０２は、あるイベントに応答して伝送される。いくつかの実施形態では、付加的ＴＤＭＡタイムスロットが、恣意的な位置特定信号２０２または送受信機信号３０２の伝送のために分配される。いくつかの実施形態では、本ＴＤＭＡタイムスロットの使用は、ＡＬＯＨＡによって調整される。いくつかの実施形態では、送受信機１３０は、本ＴＤＭＡタイムスロットを使用し、他の送受信機１３０にイベントの発生をアラートする。いくつかの実施形態では、本タイムスロットは、スケジューリングユニットコントローラによって、新しいスケジュールへの切替をトリガするために使用される。
【０１７９】
いくつかの実施形態では、周期的またはトリガされる再分配は、ＴＤＭＡタイムスロットの分配が、送受信機が送受信機ネットワークに参加すること、またはそれから離れることを補償するように、ネットワークがスケジュールを適合することを可能にする。ネットワークへの送受信機１３０の追加は、いくつかの実施形態では、１つのＴＤＭＡスロットが分配されないままにし、新しい送受信機１３０がネットワークへのその追加をアナウンスし、伝送スケジュールの再定義（すなわち、ＴＤＭＡタイムスロットの分配）をトリガすることを可能にすることによって達成され得る。ネットワークからの送受信機１３０の除去は、いくつかの実施形態では、送受信機が送受信機１３０の非伝送を監視し、送受信機１３０が事前決定された数のそのＴＤＭＡタイムスロットを伝送しなかった場合、伝送スケジュールの再定義をトリガすることを可能にすることによって達成され得る。
【０１８０】
いくつかの実施形態では、０．１ｍ秒、０．５ｍ秒、１ｍ秒、２ｍ秒、２．５ｍ秒、５ｍ秒、１０ｍ秒、または５０ｍ秒未満のＴＤＭＡタイムスロット長が、使用される。
【０１８１】
いくつかの実施形態では、送受信機１３０は、その位置特定信号２０２または送受信機信号３０２のペイロード内にその推定された場所またはタイミング情報を含み得る。いくつかの実施形態では、送受信機１３０は、これらの伝送された信号２０２、３０２を受信するように動作可能である。いくつかの実施形態では、受信側送受信機は、受信されたタイミングまたは場所情報に基づいて、受信側送受信機の時間スケジュールを伝送側送受信機の時間スケジュールと同期させるように作用する、同期ユニット２２４を含み得る。
【０１８２】
いくつかの実施形態では、送受信機１３０は、少なくとも１つのスケジュールにおいて、１つを上回るＴＤＭＡタイムスロットを分配され、それらが１回のＴＤＭＡサイクル以内により多く伝送することを可能にし得る。いくつかの実施形態では、複数のタイムスロットの分配は、例えば、送受信機１３０によって追加される、フィッシャ情報量（送受信機の相対的位置に基づいて計算され得る、当業者に公知の発見的問題解決法）に基づいて決定され得る。
【０１８３】
いくつかの実施形態では、周波数分割多元接続（ＦＤＭＡ）が、送受信機干渉を軽減するために使用され、それによって、干渉している送受信機は、それらがもはや干渉しないように異なる伝送周波数を分配され得る。いくつかの実施形態では、干渉している送受信機は、類似する効果を達成するために、異なるプリアンブルまたはパルス繰り返し周波数を分配され得る。
【０１８４】
図１４は、本開示のいくつかの実施形態による、送受信機１３０が隣接するセル１４１０に群化される例証的送受信機ネットワークを示す。いくつかの実施形態では、隣接するセル１４１０は、ＦＤＭＡ技法を採用し、異なるセル１４１０からの送受信機１３０が、同時に、かつ伝送が重複するエリア１４２０内で有意な干渉を伴わずに動作することを可能にし得る。いくつかの実施形態では、異なるセル１４１０は、異なるセル１４１０が同時に、かつ有意な干渉を伴わずに動作し得るように、位置特定信号２０２の伝送に関する異なる伝送中心周波数、周波数帯域幅、プリアンブルコード、プリアンブル変調スキーム、またはパルス繰り返し周波数等の異なる伝送パラメータを使用し得る。これは、受信中に１つを上回るセルを通して移動しているときであっても、自己位置特定装置１４０がネットワーク内の任意の場所で位置特定信号２０２を受信することを可能にし得る。各セル内では、ＴＤＭＡが、個々の送受信機１３０の伝送を調整するために使用され得る。
【０１８５】
図１５は、本開示のいくつかの実施形態による、異なる周波数の複数の送受信機セル１４１０によってサービス提供される、エリア１４２０内で動作する移動ロボット１０００を示す。移動ロボット１０００は、移動ロボット１０００に物理的に結合される、２つの自己位置特定装置１４０を備える。移動ロボット１０００は、複数の送受信機セル１４１０によってサービス提供されるエリア内で動作しているため、異なる周波数の複数の位置特定信号２０２が、エリア１４２０内に同時に存在し得る。いくつかの実施形態では、これは、移動ロボット１０００に結合される２つの自己位置特定装置１４０が、ともに考慮されると、全ての送受信機１３０が同一の周波数上で伝送する場合にあろうものよりも高いレートで位置特定信号２０２を受信し、その伝送を調整するためにＴＤＭＡを使用することを意味する。いくつかの実施形態では、２つの自己位置特定装置１４０を使用することによって、これは、１つまたはそれを上回る位置特定ユニットが、より高いレートで場所推定値を更新することを可能にし得る。いくつかの実施形態では、２つの自己位置特定装置１４０間の通信経路（例えば、通信経路７０２）が、位置特定ユニットが、２つの自己位置特定装置が取り付けられる本体（例えば、図１５の移動ロボット１０００）の配向ならびに場所を算出することを可能にし得る。いくつかの実施形態では、複数の自己位置特定装置１４０を有することは、１つまたはそれを上回る位置特定ユニットが、場所をより正確に算出することを可能にし得る。
【０１８６】
上記に説明されるように、図１のスケジューラ１１０等のスケジューラは、１つまたはそれを上回る入力パラメータを使用し、位置特定ネットワークのアンカによって位置特定信号を伝送するためのスケジュールを決定し得る。いくつかの実施形態では、スケジューラ１１０への入力は、アンカの位置および所望の測位性能等のユーザ要件を含む。図１６は、本開示のいくつかの実施形態による、スケジュールを決定するために使用され得る例証的入力パラメータマップ１６１０および１６２０を示す。
【０１８７】
入力パラメータマップ１６１０は、２つの入力パラメータを図示する。第１の入力パラメータは、アンカ１３０の位置である。図示されるように、位置特定ネットワークは、６つのアンカ１３０を備える。アンカ１３０の位置は、較正ステップにおいて自動的に識別され得る、または（例えば、実施される調査から、または搭載位置が参照され得る利用可能な図面から）本システムが設置されるときにユーザによって決定され得る。第２の入力パラメータは、位置特定ネットワークの所望の測位性能である。入力パラメータマップ１６１０は、所望の測位性能の輪郭ラインを図示する。図示されるように、所望の測位性能は、高性能（例えば、性能が多いに重要である）を反映する１から、低性能（例えば、いかなる位置特定性能も必要とされない場合）を反映する０のスケールを使用して反映される。１〜０の中間値は、ある程度の位置特定性能が要求されるが、異なる劣化度が許容可能であることを示す。いくつかの実施形態では、入力パラメータマップ１６１０の輪郭ラインは、離散的な所望の性能レベルを反映する。例えば、所望の測位性能は、輪郭ライン０を下回る０、輪郭ライン０〜０．５の０．５、輪郭ライン０．５〜０．８の０．８、および輪郭ライン１を上回る１であり得る。いくつかの実施形態では、輪郭ラインは、０〜１の連続値を反映する。入力パラメータマップ１６２０は、入力パラメータ１６１０と類似するが、所望の測位性能を反映するために、バイナリマップを使用する。バイナリ測位性能は、２つの領域、すなわち、位置特定が要求される１つの領域（１）と、いかなる位置特定も要求されない別の領域（０）とを含む。
【０１８８】
いくつかの実施形態では、マップ１６１０および１６２０における所望の測位性能は、（例えば、それから着目領域が抽出された建築計画に従って）ユーザによって直接決定される、またはこれは、（例えば、自律的機械の既知の運動パターンから）自動的に生成され得る。マップ１６１０および１６２０は、単に、例証的であり、アンカ１３０の位置および所望の測位性能は、任意の好適な形態においてスケジューラに入力され得ることを理解されたい。例えば、アンカ１３０の位置は、座標系におけるアンカ１３０の座標を使用して入力され得る。別の実施例として、所望の測位性能は、位置性能を定義する機能を使用して入力され得る。別の実施例として、所望の測位性能は、座標系内に測位性能を定義する値のアレイを使用して入力され得る。別の実施例として、所望の測位性能は、輪郭ラインの形状または場所を使用して入力され得る。
【０１８９】
いくつかの実施形態では、入力パラメータマップは、位置特定システムの初期化に応じて生成される静的マップであり、位置特定システムの後続初期化または較正まで変更されない。いくつかの実施形態では、入力パラメータマップは、経時的に変化し、したがって、動的であり得る。図１７は、本開示のいくつかの実施形態による、スケジュールを決定するために使用される例証的動的測位性能マップ１７１０を示す。マップ１７１０は、どのように位置特定カバレッジ要件が経時的に変化するかを示す、複数の異なるフレームを備える。各フレームの陰影部分は、位置特定カバレッジが必要とされる領域を示す。各フレームの非陰影部分は、位置特定カバレッジが必要とされない領域を示す。図示されるように、測位性能マップ１７１０は、バイナリマップである。マップ１７１０の連続的フレームは、時間においてパラメータ化されるバイナリ性能マップのスナップショットを示す。そのようなマップは、一連の密スナップショットとして、一連の疎スナップショットとして（スナップショット間に補間技法を使用して）、パラメトリックモデルを使用して（例えば、周期関数を使用して）、または任意の他の好適な技法を使用して記憶され得る。測位性能マップ１７１０のバイナリ性質は、単に、例証的であり、マップ１７１０はまた、連続値を使用して、または複数の離散性能レベルを使用して実装され得ることを理解されたい。
【０１９０】
図１８は、本開示のいくつかの実施形態による、スケジュールが調節され得る方法の例証的実施例を示す。いくつかの実施形態では、スケジュールは、位置特定要件に基づいて、リアルタイムで調節されることができる。パネル１８１０の左上部分に示されるように、場所マップ１８２０ａは、座標系内の３つの移動ロボット１０００の場所を示す。移動ロボット１０００はそれぞれ、１つまたはそれを上回る自己位置特定装置１４０を含み、その場所を位置特定ネットワークに返送するように構成され得る。例えば、移動ロボット１０００は、その場所を位置特定ネットワークの１つまたはそれを上回るアンカに（例えば、自己位置特定装置１４０のアンテナ５０２を介して）無線で返送するように構成され得る。移動ロボット１０００はまた、その現在の速度または計画された運動等の付加的情報を位置特定ネットワークに伝送し得る。本情報から、カバレッジ要件マップ１８３０ａが、抽出されることができる。いくつかの実施形態では、スケジューラ１１０等のスケジューラは、移動ロボット１０００から情報を受信し、カバレッジ要件マップ１８３０ａを生成し得る。いくつかの実施形態では、カバレッジ要件マップ１８３０ａは、各移動ロボット１０００の現在の位置を囲繞する固定半径に関し、また、移動ロボットの計画された運動経路の周囲の固定半径に関するカバレッジを要求することによって生成されることができる。
【０１９１】
カバレッジ要件マップ１８３０ａは、スケジューラによって、所与の要件のために適切なスケジュール１８４０ａを算出するために使用されることができる。測位性能と算出複雑性との間のトレードオフに応じて、スケジューラは、一連の事前算出され、記憶されたスケジュールの中で最も適切なものを選択し得る、またはこれは、要件マップ１８３０ａに基づいて、新しい最適化されたスケジュールを算出し得る。スケジュール１８４０ａに関する情報は、ネットワークのアンカからの位置特定信号の伝送を制御するために、位置特定ネットワークの１つまたはそれを上回る制御ユニットに伝送され得る。
【０１９２】
いくつかの実施形態では、スケジューラは、スケジュール１８４０ａについての情報をスケジューリングユニットコントローラに伝送し、これは、順に、信号をアンカに伝送し、これは、次いで、スケジュールに従ってアンカに伝送させる。スケジュール１８４０ａが事前算出されたスケジュールであるとき、スケジューリングユニットコントローラは、どのスケジュールを使用するか（例えば、「スケジュール番号３を使用する」）を示す信号のみを送信し得る。スケジュール１８４０ａが新しく算出されたスケジュールであるとき、スケジューリングユニットコントローラは、新しいスケジュールをアンカに伝送し、いったんアンカがこれを受信すると、スケジュールの変更を信号伝送し得る。
【０１９３】
説明されるプロセスは、スケジュールをリアルタイムで調節するために、後で繰り返され得る。パネル１８１０の下側部分に示されるように、移動ロボット１０００の場所は、場所マップ１８２０ｂにおいて変化している。場所マップ１８２０ｂに描写される新しい場所は、新しいカバレッジ要件マップ１８３０ｂを生成するために使用され得、これは、順に、スケジュール１８４０ｂを決定するために使用されることができる。スケジュール１８４０ｂは、次いで、上記に説明されるように、ネットワークのアンカからの位置特定信号の伝送を制御するために使用されることができる。
【０１９４】
図１９は、本開示のいくつかの実施形態による、スケジュールが調節され得る方法の別の例証的実施例を示す。本実施例では、移動ロボット１０００の群は、事前定義された軌跡のセットに従って比較的に広い空間内を移動しており、アンカのセットが、全空間中に分散される。場所マップ１９１０ａ、１９１０ｂ、１９１０ｃ、および１９１０ｄは、移動ロボット１０００が事前定義された軌跡のセットに沿って移動する際のその場所を示す。具体的には、群は、右下象限において開始し、次いで、４つの象限を通して反時計回りに移動する。位置特定ネットワークの測位性能を改良するために、移動ロボット１０００の群に近接近するアンカのサブセットのみを使用し、他のアンカを伝送しないように構成することを所望し得る。場所マップ１８１０ａでは、移動ロボット１０００は、右下象限に位置するため、左上象限におけるアンカを使用しないことが、望ましくあり得る。例えば、これらのアンカは、移動ロボット１０００から遠く離れすぎて、その信号が正常に受信されない場合がある。また、移動ロボット１０００に比較的に高いレートで位置特定信号を受信させることが、望ましくあり得る、遠く離れたアンカを使用しないことは、そうでなければ位置特定信号が移動ロボット１０００によって受信され得るレートを増加させ得る。
【０１９５】
故に、いくつかの実施形態では、スケジュールは、領域Ａ内に位置するアンカのみが位置特定信号を伝送するように使用されるように調節され得る。他の実施形態では、スケジュールは、アンカのサブセットが領域Ａ内にのみ位置特定能力を提供するように使用されるように調節され得る。図１９に示されるように、移動ロボット１０００の群の場所が経時的に変化するにつれて、領域Ａは、４つの象限を通してそれらを辿る。これらのスケジュール変更の結果として、移動ロボットがそれら自身を位置特定し得るエリア（領域Ａ）は、経時的に移動する。スケジュールの調節は、いくつかの方法で達成されることができる。１つの場合では、伝送スケジュールは、移動ロボット１０００の群の位置に基づいて、周期的に変更され得る。これは、集中ユニットが移動ロボットの標的位置を把握していると仮定して、開ループ方式で、または移動ロボットによって提供される位置情報に基づいて、閉ループ方式で行われ得る。したがって、異なるスケジュールが、経時的に使用されることができる。別の潜在的により高度な実施例では、調節は、移動ロボットの移動と同期され（例えば、スケジュールは、移動ロボットが移動し始めたとき、またはある秒数前に開始されることができる）、少なくとも移動ロボット軌跡の持続時間と同程度の長さの持続時間を有する、単一の長期スケジュールを使用して遂行されることができる。
【０１９６】
図１９は、移動ロボットの１つの群の場所に基づくスケジュールの調節を示すが、スケジュールはまた、移動ロボットの２つまたはそれを上回る群に基づいて調節されることができる。図２０は、本開示のいくつかの実施形態による、移動ロボットの２つの群に関してスケジュールが調節され得る方法の例証的実施例を示す。本場合では、移動ロボットは、異なる軌跡のセットに従って移動する、２つの異なる群において編成される。
【０１９７】
これは、位置特定信号の伝送を適応させ、最適化するようにスケジュールを構成する方法の技術的問題を提示する。いくつかの実施形態では、位置特定ネットワークのアンカを２つのクラスタにおいて編成し、第１および第２の群の移動ロボットが、アンカからのデータ（例えば、コマンド）を独立して位置特定および受信し得るようにスケジュールを定義することが、便宜的であり得る。これは、例えば、２つのクラスタに関して２つの異なる搬送周波数を使用することによって、または、移動ロボットの第１の群に分配されるアンカの伝送が、移動車両の第２の群の専用であるアンカの伝送に干渉しないように伝送電力を設定することによって達成されることができる。
【０１９８】
場所マップ２０１０ａに示されるように、移動ロボットの第１の群は、空間の上側、すなわち、クラスタＡ内から開始する一方、第２の群は、下側、すなわち、クラスタＢ内から開始する。スケジュールは、アンカの第１の群、すなわち、クラスタＡに移動ロボットの第１の群によって占有されるエリアを網羅させ、アンカの第２の群、すなわち、クラスタＢに移動ロボットの第２の群によって占有されるエリアを網羅させ得る。
【０１９９】
標的軌跡の一部として、第１の群の移動ロボットは、空間の上側部分の中心に向かって収束する一方、第２の群の移動ロボットは、分割し、下側部分の側に移動する。これは、場所マップ２０１０ｂに図示される。これらの移動は、例えば、伝送スケジュールの更新を要求しない。
【０２００】
次に、標的軌跡は、第１の群の移動ロボットを下側部分に向かって移動させる一方、第２の群の移動ロボットを上側部分に向かって移動させ得る。これは、場所マップ２０１０ｃに図示される。これらの操縦を実施するために、伝送スケジュールは、クラスタＡに属するアンカのセットおよびクラスタＢに属するアンカのセットを交換するように更新される。これは、第１の群の移動ロボットに関する中央通路および第２の群の移動ロボットに関する２つの側方回廊を生成する。いくつかの場合では、クラスタＢによって網羅される空間の領域は、クラスタＡによって網羅される空間の領域と重複し得ることに留意されたい。
【０２０１】
最後に、標的軌跡は、第１の群の移動ロボットを空間の下側部分内に拡散させる一方、第２の群の移動ロボットを上側部分内に拡散させ得る。これは、場所マップ２０１０ｄに図示される。これは、アンカを２つのクラスタ間で再分配することによって、再度達成される。
【０２０２】
本使用事例とともに提示される概念は、クラスタが移動ロボットの群とともに移動し、移動ロボットの個別の群によって占有される空間の領域において所望の測位性能を提供し得ることである。
【０２０３】
図１８−２０は、移動ロボット１０００の位置特定のために使用される状況において説明されたが、図１８−２０は、車両、人、または位置特定信号を受信するための自己位置特定装置を備える任意の他の物体等の任意の他の好適な物体と併用され得ることを理解されたい。いくつかの実施形態では、図１８−２０は、本明細書に説明される送受信機１３０および自己位置特定装置１４０の実施形態のいずれかと併用されることができる。
【０２０４】
図２１は、本開示のいくつかの実施形態による、位置特定信号２０２の例証的構造の図である。いくつかの実施形態では、位置特定信号２０２の構造は、ＩＥＥＥ規格８０２．１５．４において定義されるものと類似する。同一の規格は、信号伝送プロセス等の位置特定システムの他の側面を説明する。位置特定信号２０２の伝送は、プリアンブルシーケンス２１１０の伝送とともに時間ｔｓｔａｒｔ２１２２を開始する。本シーケンスは、典型的には、事前定義され、位置特定信号２０２の送信機（例えば、送受信機１３０）および受信機（例えば、自己位置特定装置１４０）の両方に把握される。いくつかの実施形態では、プリアンブルシーケンス２１１０は、メモリ内に記憶され得る。いくつかの実施形態では、プリアンブルシーケンス２１１０は、システム動作中に構成可能であり得る。いくつかの実施形態では、プリアンブルシーケンス２１１０は、デジタルまたはアナログ電子コンポーネントの相互接続によってエンコードされ得る。
【０２０５】
いくつかの実施形態では、プリアンブル２１１０は、無線パルス（例えば、ＵＷＢ無線パルス）が具体的伝送チャネル上で具体的レートで伝送されるシーケンスを定義する。本レートは、時として、パルス繰り返し周波数と称され得る。パルス繰り返し周波数は、典型的には、位置特定信号２０２の送信機および受信機の両方に把握される。いくつかの実施形態では、パルス繰り返し周波数は、メモリ内に記憶され得る。いくつかの実施形態では、パルス繰り返し周波数は、システム動作中に構成可能であり得る。いくつかの実施形態では、パルス繰り返し周波数は、デジタルまたはアナログコンポーネントの相互接続によってエンコードされ得る。
【０２０６】
位置特定信号（例えば、ＵＷＢ信号）が、伝送中心周波数上で、同一の伝送周波数帯域幅で、同一のプリアンブルコードで、かつ同一のプリアンブル変調スキーム（例えば、周波数偏移または位相偏移）で動作するように構成される場合、受信機は、典型的には、これを受信することが可能である。いくつかの実施形態では、これは、受信機のアナログ受信電子機器（例えば、アナログ受信電子機器５０４）もしくはデジタル受信電子機器（例えば、デジタル受信電子機器５０６）または送信機のアナログ伝送電子機器（例えば、送信機のアナログ伝送電子機器２１４）もしくはデジタル伝送電子機器（例えば、デジタル伝送電子機器２１６）の適切な構成を通して達成され得る。いくつかの実施形態では、チャネルまたはプリアンブル２１１０もしくはパルス繰り返し周波数の適切な選択は、受信機が送信機の具体的サブセットからＵＷＢ信号を受信することを可能にし得る。いくつかの実施形態では、チャネルまたはプリアンブル２１１０もしくはパルス繰り返し周波数の適切な選択は、送信機が受信機の具体的サブセットにＵＷＢ信号を伝送することを可能にし得る。いくつかの実施形態では、チャネルまたはプリアンブル２１１０もしくはパルス繰り返し周波数の適切な選択は、複数の位置特定信号が、低減された干渉とともに、またはいかなる干渉も伴わずに同時に伝送されることを可能にし得る。
【０２０７】
プリアンブル２１１０の伝送後、送信機は、フレーム開始デリミタ２１１２を伝送し、信号のデータ部分の開始を示す。フレーム開始デリミタ２１１２の伝送後、送信機は、信号のペイロード２１１６（例えば、データレート）のエンコードに関連する情報を含有する物理層ヘッダ（ＰＨＲ）２１１４を伝送する。物理ヘッダ２１１４の伝送後、信号のペイロード２１１６は、伝送される。いくつかの実施形態では、ペイロードは、空である。いくつかの実施形態では、ペイロードは、大域的プロパティセンサ２２８からの情報を含有する。いくつかの実施形態では、ペイロード２１１６は、同期ユニット（例えば、同期ユニット５１０）による同期を促進するための情報を含有する。いくつかの実施形態では、ペイロード２１１６は、スケジューリングユニット（例えば、スケジューリングユニット２１８）による将来の伝送のスケジューリングを可能にするための情報を含有する。いくつかの実施形態では、ペイロード２１１６は、自己位置特定装置が、将来の伝送を受信することを可能にするための情報（例えば、伝送時間、伝送チャネル、伝送プリアンブルコード、または伝送パルス繰り返し周波数を含み得る、将来の信号伝送のアナウンスメント）を含有する。いくつかの実施形態では、ペイロード２１１６は、先に伝送または受信された信号（例えば、信号２０２または３０２）に関連する情報を含有する。いくつかの実施形態では、ペイロード２１１６は、他の情報を含有する。いくつかの実施形態では、ペイロード２１１６は、複数の情報の断片を含有し得る。いくつかの実施形態では、ペイロード２１１６は、受信されたペイロード２１１６の完全性を評価するために使用され得る誤差チェック情報を含有する。信号の伝送は、ペイロード２１１６の伝送後に、時間ｔｅｎｄ２１２４において終了する。
【０２０８】
位置特定信号のプリアンブル２１１０の検出および受信を通して、受信機は、フレーム開始デリミタ（ＳＦＤ）２１１２の伝送を検出することが可能である。いくつかの実施形態では、フレーム開始デリミタ２１１２が検出される時間は、受信機のデジタル受信電子機器（例えば、デジタル受信電子機器５０６）によってタイムスタンピングされる。フレーム開始デリミタ２１１２の検出後、受信機は、物理ヘッダ２１１４を検出することが可能である。物理ヘッダ２１１４内にエンコードされる情報が、受信機によって信号のペイロード２１１６内にエンコードされる情報をデコードするために使用され得る。
【０２０９】
いくつかの実施形態では、ペイロード２１１６は、誤差に関してチェックされ得る。いくつかの実施形態では、ペイロード２１１６は、受信機の他のユニット内で使用され得る。いくつかの実施形態では、ペイロード２１１６は、時間差を計算するために使用され得る。いくつかの実施形態では、ペイロード２１１６は、距離を計算するために使用され得る。いくつかの実施形態では、ペイロード２１１６は、受信機の大域的プロパティセンサ（例えば、大域的プロパティセンサ５２０）からの測定値と比較され得る。いくつかの実施形態では、ペイロードは、メモリ（例えば、メモリ２３０、５１６）内に記憶され得る。
【０２１０】
当業者に明白となるであろうように、本実施形態は、ＩＥＥＥ規格８０２．１５．４において定義されるものと類似する具体的信号の構造を開示するが、多くの他の信号構造も、等しく有効であり、本開示と併用され得る。
【０２１１】
図２２は、本開示のいくつかの実施形態による、より高い位置特定更新を達成するために使用され得る、例証的伝送スケジュール２２００を示す。伝送スケジュール２２００は、例えば、自己位置特定装置が全ての伝送されたデータペイロードを受信することが重要ではない場合に使用され得る。伝送スケジュール２２００は、時間がｘ軸上であり、送受信機番号がｙ軸上であるプロットの形態において描写される。図示されるように、伝送スケジュール２２００は、送受信機１が時間ｔ０において位置特定信号２２０２ａのプリアンブルの伝送を開始するように決定される。送受信機１からの信号２２０２ａの伝送持続時間は、Ｔであり、したがって、伝送は、ｔ２＝ｔ０＋Ｔにおいて完了するであろう。信号２２０２ａのプリアンブルおよびＳＦＤは、第１の持続時間Ｔ’中に伝送される。したがって、自己位置特定装置は、時間ｔ１＝ｔ０＋Ｔ’において信号の受信時間をタイムスタンピングすることが可能である。
【０２１２】
時間ｔ３において、送受信機２からの位置特定信号２２０２ｂの伝送が、スケジューリングされる。従来のスケジュールでは、第２の位置特定信号が伝送される前に、自己位置特定装置が送受信機１から信号を完全に受信することが可能であるように、ｔ３＞ｔ２を選定するであろう。しかしながら、本実施例では、ｔ３は、ｔ０＜ｔ３＜ｔ２であるように意図的に選定される（すなわち、送受信機２からの信号２２０２ｂの伝送は、送受信機１がその伝送を開始した後であるが、これがそれを完了する前に開始する）。いくつかの実施形態では、伝送は、ｔ１＜ｔ３＜ｔ２であるようにスケジューリングされるであろう。
【０２１３】
スケジュール２２００は、位置特定システムの信号を受信する自己位置特定装置が、時間ｔ１またはそれ以前に、その性能に関して、（１）その受信電子機器を持続時間Ｔ全体にわたって信号２２０２ａに同調させたままに保つことによって、送受信機１から信号２２０２ａ全体を受信すること、または（２）受信機１からの信号のみをタイムスタンピングするが、そのペイロードを無視し、代わりに、Ｔ’の持続時間にわたって送受信機１からの信号に同調させ、次いで、受信を中断し、送受信機２からの信号２２０２ｂに同調させることによって、受信機２からの信号２２０２ｂもまたタイムスタンピングすることがより有益であるかを選択することを可能にする。
【０２１４】
スケジュール２２００は、個別の送受信機３、４からの２つの付加的信号伝送２２０２ｃ、２２０２ｄを示し、受信側自己位置特定装置は、受信に関して類似する選定を行うことができる。
【０２１５】
自己位置特定装置が、信号をその全体として受信することなく、信号を選択的にタイムスタンピングすることを可能にするために、自己位置特定装置におけるアナログ受信電子機器またはデジタル受信電子機器は、それを通してアンテナからの信号の受信が、プリアンブルおよびＳＦＤ部分のタイムスタンピングに限定され得る信号を受信するように動作可能でなければならない。いくつかの実施形態では、デジタル受信電子機器は、タイムスタンピングが完了すると、進行中の信号受信を停止するために、信号をインターフェースに提供し、信号およびインターフェースは、次いで、タイムスタンピングが完了した後、信号の受信を停止するために併用されることができる。いくつかの実施形態では、デジタル受信電子機器は、いったんタイムスタンピングが完了すると、それらが受信を自動的に停止するように構成され得る、インターフェースを提供する。
【０２１６】
図２３は、本開示のいくつかの実施形態による、図２２の例証的伝送スケジュールの一部および対応する受信機アクティビティ２３１０を示す。図２３は、位置特定信号が部分的に重複するようにスケジューリングされるときの自己位置特定装置の受信機の動作のさらなる詳細を図示する。特に、図２３は、図２２の２つの部分的に重複する位置特定信号２２０２ａ、２２０２ｂを示す。対応する例証的受信機アクティビティ２３１０は、位置特定信号２２０２ａ、２２０２ｂの真下に示される。
【０２１７】
時間ｔ０の前に、受信機は、プリアンブルを走査している。時間ｔ０における第１の送受信機からのプリアンブル伝送の開始直後、受信機は、位置特定信号２２０２ａのプリアンブルシーケンスに固定され始める。プリアンブルおよびＳＦＤの伝送が完了した後、受信機（例えば、デジタル受信電子機器）は、位置特定信号２２０２ａの受信をタイムスタンピングしている。この時点で、受信機は、送受信機１から信号を受信することを停止し、新しいプリアンブルを走査し始める。送信機２が、時間ｔ３において位置特定信号２２０２ｂのプリアンブルを伝送し始めた直後、受信機は、プリアンブルシーケンスに固定される。受信機は、次いで、送受信機２から信号の全体を受信するために位置特定信号２２０２ｂに固定されたままであり、受信タイムスタンプを生成するとともに、その信号のデータペイロードを受信する。
【０２１８】
いくつかの実施形態では、自己位置特定装置は、位置特定信号をその全体として受信すること、またはタイムスタンピングのために要求される部分のみを受信することがより有益であるかを決定する、決定論理を含む。本決定は、例えば、要求される最小ペイロード受信周波数、それからペイロードが受信されなければならない位置特定アンカのリスト（一方、その他は、タイムスタンピングのみされ得る）、タイムスタンピングのみされる信号を解釈するために十分な情報（どのアンカによってそれらが伝送されるか、いつの時間にそれらが伝送されるか等）が利用可能であるかどうかを監視する論理に基づき得る。
【０２１９】
いくつかの実施形態では、自己位置特定装置は、信号をその全体として受信する、またはメモリ内に記憶されるスケジュールに従ってそれらをタイムスタンピングのみするように受信機を構成する、スケジューリングユニットを含む。いくつかの実施形態では、位置特定信号のペイロードは、将来の伝送のスケジュールを含み、これは、自己位置特定装置によって、将来の位置特定信号をタイムスタンピングするのみか、またはその全体として受信するかを決定するために使用される。
【０２２０】
図２４は、本開示のいくつかの実施形態による、２つのペイロードを備える、位置特定信号２４０２ａ、２４０２ｂ、２４０２ｃの例証的伝送スケジュールを示す。図２４の伝送スケジュールは、図２２と類似するが、単一のペイロードが存在する代わりに、位置特定信号のペイロードは、２つの部分において編成される。ペイロードの第１の部分（ペイロード１）は、自己位置特定装置の全てまたは殆どが受信することを所望する情報を含有し得る一方、ペイロードの第２の部分（ペイロード２）は、自己位置特定装置のいくつかのみに着目される情報を含有し得る。
【０２２１】
時間ｔ０の前に、自己位置特定装置の受信機は、時間ｔ０の直後に受信されるプリアンブルを走査している。この時点から開始して、受信機は、信号２４０２ａに固定され、ＳＦＤを受信し、メッセージをタイムスタンピングすることができる。受信機のいくつかは、本情報が十分であると決定し、したがって、受信を停止し、新しいプリアンブルを走査し始め得る。いくつかの他の受信機は、より多くの情報を受信することに着目し、したがって、ペイロードの第１の部分（ペイロード１）が完全に受信されるまで、受信を継続し得る。この時点で、これらの受信機は、ペイロードの残りの部分（ペイロード２）を継続して受信するか、または受信を中断し、新しいプリアンブルを走査し始めるかを決定することができる。
【０２２２】
図２４に示されるスケジュールは、自己位置特定装置が、どの程度の情報が受信されるか、およびどの程度頻繁に所望の情報が受信されるかを決定することを可能にする。例えば、いくつかの自己位置特定装置は、４つの着信する位置特定信号毎にペイロードの第２の部分を受信し、２つの着信する位置特定信号毎にペイロードの第１の部分を受信し、かつ着信する信号毎に、または事ある毎にＳＦＤ（例えば、メッセージタイムスタンプ）を受信することを所望し得る。これは、位置特定信号全体を常時受信する受信機と比較して、着信する信号のより速いタイムスタンピングを可能にするであろう。
【０２２３】
いくつかの実施形態では、位置特定信号のペイロードは、３つまたはそれを上回る部分において編成されることができ、自己位置特定装置は、どの部分を受信するかを決定することができる。
【０２２４】
図２５は、本開示のいくつかの実施形態による、例証的位置特定システム２５００および対応する性能マップ２５１０を示す。位置特定システム２５００は、Ａ−Ｌと標識化された１２個のアンカを備える。性能マップ２５１０は、位置特定システム２５００の位置特定空間全体に関して１の測位性能を示す。したがって、性能マップ２５１０は、同一の測位性能が位置特定空間全体に対して提供されるはずであることを示す。
【０２２５】
位置特定システム２５００のアンカＡ−Ｌは、（例えば、スケジューラによって決定されるスケジュールを使用して）いくつかの異なるスケジュールのうちのいずれか１つに従って位置特定信号を伝送し、位置特定領域内に類似する測位性能を達成するように構成されることができる。一実施例では、アンカは、アルファベット順（すなわち、Ａ−Ｂ−Ｃ−Ｄ−Ｅ−Ｆ−Ｇ−Ｈ−Ｉ−Ｊ−Ｋ−Ｌ）に伝送するようにスケジューリングされることができる。別の実施例では、アンカは、床上に位置するアンカの伝送に、天井に位置するアンカの伝送が続く（例えば、Ａ−Ｌ−Ｃ−Ｋ−Ｄ−Ｈ−Ｅ−Ｇ−Ｆ−Ｊ−Ｂ−Ｉ）ように伝送するようにスケジューリングされることができる。これは、自己位置特定装置がそれから位置特定信号を受信する方向における差異を最大限にし、精度の希釈を最小限にすることによって、自己位置特定装置の位置特定性能を最適化するために望ましくあり得る。両方のスケジュールが、空間および伝送レートにおいて均一であることに留意されたい。また、これらのスケジュールは、単に、例証的であり、他のスケジュールもまた、位置特定空間内で同一の測位性能を達成するために使用され得ることに留意されたい。
【０２２６】
図２６は、本開示のいくつかの実施形態による、異なる性能マップ２６１０と併用される図２５の例証的位置特定システム２５００を示す。性能マップ２６１０は、これが位置特定空間の右部分における測位のみを要求するという点において、図２５の性能マップ２５１０とは異なる。位置特定空間の左部分は、必要とされない。例えば、性能マップ２６１０は、いかなる自己位置特定装置も位置特定空間の左部分において存在しないときに使用され得る。
【０２２７】
性能マップ２６１０によって要求される測位性能を達成するために、アンカのサブセットが、（例えば、スケジューラによって決定されるスケジュールを使用して）いくつかの異なるスケジュールのうちのいずれか１つに従って位置特定信号を伝送し、所望の測位性能を達成するように構成されることができる。例えば、アンカは、位置特定空間の左側上のアンカが位置特定信号を伝送しないように構成されることができる。結果として生じる伝送スケジュールは、したがって、位置特定空間の右側を網羅するアンカに関してより速い伝送レートを提供する利点を有する。図２５と同様に、伝送順序は、アルファベット順（すなわち、Ｂ−Ｃ−Ｅ−Ｆ−Ｈ−Ｉ−Ｋ−Ｌ）またはより高度（例えば、Ｂ−Ｌ−Ｅ−Ｉ−Ｆ−Ｈ−Ｃ−Ｋ）であり得る。これらのスケジュールの両方は、伝送レートにおいて均一であるが、位置特定空間において均一ではないことに留意されたい。
【０２２８】
図２７は、本開示のいくつかの実施形態による、例証的位置特定システム２７００および対応する性能マップ２７１０を示す。位置特定システム２７００は、Ａ−Ｅと標識化された５つのアンカを備える。位置特定システム２７００におけるアンカの分布は、床上に設置されるアンカの数が天井に設置されるアンカの数とは異なるという点において、図２５の位置特定システム２５００におけるものとは異なる。性能マップ２７１０は、所望の測位性能が位置特定空間において均一であることを示す。
【０２２９】
実践では、位置特定空間内にアンカを均一に分散させることは、困難であり得る。例えば、いくつかの設置では、より多数のアンカを天井に設置し、より少数のアンカを床上に設置することが、より実践的であり得る。位置特定システム２７００は、そのような状況を表す。システム２７００のアンカの全てが、同一のレートで位置特定信号を伝送した場合、測位性能は、５つの位置特定信号のうちの４つが天井から発信するであろうため、均一に分散されたアンカを有するシステムと比較して、劣化し得る。位置特定システム２７００におけるようなアンカの不均一な分布の影響を軽減するために、伝送スケジュールは、床上に位置するアンカが天井に位置するものよりも頻繁に伝送するように定義されることができる。例えば、位置特定信号の伝送は、床上のアンカから発信する位置特定信号に関する伝送レートが、天井のアンカから発信する位置特定信号に関する伝送レートと同一であるように、床と天井との間で交互に行い得る。例えば、位置特定システム２７００に関する１つの好適な伝送順序は、Ａ−Ｅ−Ｄ−Ｅ−Ｂ−Ｅ−Ｃ−Ｅである。本スケジュールは、空間において均一であるが、伝送レートにおいて均一ではない（すなわち、異なるアンカは、異なる伝送レートを有する）ことに留意されたい。
【０２３０】
図２８は、本開示のいくつかの実施形態による、異なる性能マップ２８１０と併用される図２５の例証的位置特定システム２５００を示す。性能マップ２８１０は、これが位置特定空間内で異なるレベルの測位性能を要求するという点において、図２５の性能マップ２５１０とは異なる。具体的には、位置特定空間の右部分における測位性能は、位置特定空間の左部分におけるものよりも高いように要求される。例えば、性能マップ２８１０は、自己位置特定装置の大部分が位置特定空間の右部分にあるときに使用され得る。別の実施例として、性能マップ２８１０は、より多くの障害物が位置特定空間の右部分に存在し、したがって、より高い性能が障害物との衝突の機会を低減させるために所望されるときに使用され得る。
【０２３１】
異なるレベルの測位性能は、空間の左側を網羅するアンカが、空間の右側を網羅するアンカよりもあまり頻繁に伝送しないようにアンカを構成することによって達成されることができる。例えば、１つの好適な伝送順序は、Ｂ−Ｌ−Ｅ−Ｉ−Ｆ−Ｈ−Ｃ−Ｋ−Ａ−Ｌ−Ｃ−Ｋ−Ｄ−Ｈ−Ｅ−Ｇ−Ｆ−Ｊ−Ｂ−Ｉであり、これは、空間の右側を網羅するアンカに関して２倍速い伝送レートをもたらす。別の好適な伝送順序は、Ｂ−Ｌ−Ｅ−Ｉ−Ａ−Ｆ−Ｈ−Ｃ−Ｋ−Ｊ−Ｂ−Ｌ−Ｅ−Ｉ−Ｄ−Ｆ−Ｈ−Ｃ−Ｋ−Ｇであり、これもまた、空間の右側を網羅するアンカに関して２倍速い伝送レートをもたらす。
【０２３２】
図２９は、本開示のいくつかの実施形態による、位置特定信号の例証的伝送スケジュール２９００を示す。スケジュール２９００は、図２８の性能マップ２８１０において反映される所望の測位性能を遂行する、図２５の位置特定システム２５００に関するより高度な伝送スケジュールを表す。スケジュール２９００は、９つの情報の行を備える。行１は、タイムスロットを示す。行２−５は、スケジュールに従って伝送されるべき位置特定信号の第１のセットに関する伝送パラメータを示し、行６−９は、スケジュールに従って伝送されるべき位置特定信号の第２のセットに関する伝送パラメータを示す。行２および６は、アンカを識別する。行３および７は、伝送搬送周波数を識別する。行４および８は、プリアンブルコードを示す。行５および９は、伝送電力を示す。故に、スケジュール２９００は、これがアンカ伝送順序のみを規定するだけではなく、また、これが搬送周波数、プリアンブルコード、および伝送電力等の付加的伝送パラメータを規定するという点において、先の例示的スケジュールとは異なる。スケジュール２９００の目標は、低性能領域に対して殆ど性能影響を伴うことなく、高性能領域において高性能を達成することである。
【０２３３】
スケジュール２９００は、時間同期される２つのサブスケジュールを有すると見なされることができる。行１は、サブスケジュールが編成されるタイムスロットを示す。行２−５は、第１のサブスケジュールを構成すると見なされることができ、これは、図２５に関して上記に議論される最適化されたシーケンスである。行６−９は、第２のサブスケジュールを構成すると見なされることができ、これは、高性能領域を囲繞するアンカに関する付加的伝送を定義する。本構成では、第１のサブスケジュールは、空間全体における均一なカバレッジを達成し、第２のサブスケジュールは、高性能領域における測位性能を増加させる。
【０２３４】
タイムスロットＴ１中、アンカＡは、アンカＥと同時に信号を伝送する。２つのアンカは、異なる周波数上で伝送するため、自己位置特定装置は、その位置に基づいて、アンカＡまたはアンカＥのいずれかから受信するように選択し、その位置特定性能を最適化することができる。これは、自己位置特定装置に、そのタイムスロットにおいて伝送するアンカの可能な選択肢を表すデータを受信させることによって達成されることができる。データは、遠隔の場所から（例えば、先の位置特定信号のペイロードの一部として）、または前もって把握される伝送シーケンスを使用し、データをメモリから読み出すことによって受信され得る。選択は、（例えば、いずれかの信号を受信することによって達成され得る、精度の希釈の予測される低減を算出することによって）リアルタイムで行われる、または事前算出されることができる（例えば、現在の位置に基づいて、好ましい送受信機のマップとしてメモリ内に記憶される）。類似する選択が、２つの異なるアンカが異なる周波数上で位置特定信号を伝送する、タイムスロットＴ５およびＴ１０中に実施されることができる。
【０２３５】
タイムスロットＴ６中、アンカＨは、２つの信号を同時に伝送する。第２の信号は、第１のものとは異なる周波数上で送信され、より長いプリアンブルを含み、これは、より長い距離における本第２の信号の受信ならびにより精密なタイムスタンピングを可能にする。第２の信号のより長いプリアンブルは、図示されるように、これが１つを上回るタイムスロット中に伝送されるようにし得る。自己位置特定装置は、したがって、周波数１上でタイムスロットＴ６ならびにＴ７中に伝送されるアンカＨおよびＥから信号を受信する、または周波数２上で両方のタイムスロットＴ６およびＴ７中に伝送されるアンカＨからより精密にタイムスタンプ可能な信号を受信するように選択することができる。本実施例では、アンカＨは、送受信機の対を備える。送受信機の対を有するアンカの必要性を伴わない類似する原理が、タイムスロットＴ１１およびＴ１２において使用される。
【０２３６】
タイムスロットＴ８中、アンカＧは、アンカＣと同時に、同一の周波数上で伝送する。本場合では、アンカＣのパラメータは、干渉を回避するために、これがより低い伝送電力において伝送し、アンカＧの範囲外のデバイス（自己位置特定装置および他のアンカを含む）によってのみ受信され得るように調節される。
【０２３７】
図２９に描写されるスケジュールは、単に、例証的であり、他の変形例も、使用され得ることを理解されたい。一変形例では、第１のスケジュール（すなわち、行２−５）は、全ての伝送がより長いプリアンブル長を使用し、プリアンブルの伝送を予期するように変更されることができる。例えば、タイムスロットＴＫ中に伝送するように構成されるアンカは、タイムスロットＴＫ−１の最後の部分中にプリアンブルの伝送を開始し得る。自己位置特定装置は、したがって、タイムスロットＴＫ中に伝送される、プリアンブル全体を受信する、またはプリアンブルの一部のみを受信するように選択することができる。第１の選択肢は、タイムスロットＴＫ中に伝送される位置特定信号のより精密なタイムスタンピングを可能にする一方、第２の選択肢は、自己位置特定装置が両方の位置特定信号を受信することを可能にする。
【０２３８】
図３０は、本開示のいくつかの実施形態による、位置特定信号の別の例証的伝送スケジュール３０００を示す。スケジュール３０００は、別の高度な伝送スケジュールを表す。スケジュール３０００は、スケジュール２９００に記載されるよりもさらに多くの構成パラメータを規定する。スケジュール３０００は、伝送時間、アンカモード（すなわち、受信または伝送）、搬送周波数、プリアンブルコード、プリアンブル長、伝送電力、および受信または伝送するために使用されるアンテナを規定する。スケジュール３０００は、３つの送受信機（Ａ、Ｂ、およびＣ）の構成パラメータを規定し、タイムスロット（Ｔ１、Ｔ２、Ｔ３、Ｔ４、およびＴ５）において編成される。
【０２３９】
アンカＡは、タイムスロットＴ１およびＴ４中に伝送する。アンカＢは、タイムスロットＴ２およびＴ５中に伝送する。アンカＣは、タイムスロットＴ３中に伝送する。アンカが伝送していないとき、それらは、他のアンカによって伝送される位置特定信号を受信するように構成される。
【０２４０】
アンカＡは、常時、周波数Ｆ１上で動作する。アンカＢは、タイムスロットＴ２、Ｔ３、およびＴ５中に周波数Ｆ１上で動作する一方、これは、残りのタイムスロット中に周波数Ｆ２上で動作する。アンカＣは、タイムスロットＴ１およびＴ２中に周波数Ｆ１上で動作する一方、これは、残りのタイムスロット中に周波数Ｆ２上で動作する。異なる周波数を使用することは、同時に複数の伝送を可能にする（スケジュール３０００に表されない）。
【０２４１】
アンカＡは、常時、プリアンブルコード１を使用する。アンカＢは、タイムスロットＴ１およびＴ５中にプリアンブルコード５を使用する一方、これは、残りのタイムスロット中にプリアンブルコード１を使用する。アンカＣは、常時、プリアンブルコード５を使用する。異なるプリアンブルコードを使用することは、同時に複数の伝送を可能にする（スケジュール３０００に表されない）。
【０２４２】
アンカＡおよびＣは、常時、２５０マイクロ秒のプリアンブル長を伴う位置特定信号を伝送する。アンカＢは、常時、５００マイクロ秒のプリアンブル長を伴う位置特定信号を伝送する。上記に言及されるように、より長いプリアンブル長は、より長い距離における位置特定信号の受信ならびにより精密なタイムスタンピングを可能にする。
【０２４３】
アンカＡは、常時、５ｄＢｍに等しい伝送電力を用いて位置特定信号を伝送する。アンカＢおよびＣは、常時、０．５ｄＢｍに等しい伝送電力を用いて位置特定信号を伝送する。異なる伝送電力を使用することは、より長い、またはより短いカバレッジを伴う伝送を可能にする。これは、同一の周波数および同一のプリアンブルコードを使用する異なるアンカから、同時であるが、干渉しない伝送を有するために使用されることができる。
【０２４４】
アンカＡは、常時、アンテナ１を使用して位置特定信号を受信および伝送する。アンカＢは、常時、アンテナ１を使用して伝送し、常時、アンテナ２を使用して受信する。アンカＣは、最初の３つのタイムスロット中にアンテナ２を使用し、最後の２つのタイムスロット中にアンテナ１を使用する。異なるアンテナを使用することは、異なる放射パターンを有する（すなわち、異なる信号品質を用いて異なる空間の領域に到達し得る）伝送およびより良好な受信を可能にする。
【０２４５】
自己位置特定装置は、スケジュール内にエンコードされる知識を使用し、具体的送信機からデータを受信するようにその独自の受信パラメータを構成することができる。自己位置特定装置は、例えば、その位置に基づいて、その位置特定性能を最適化するために、具体的信号を受信するように選択することができる。
【０２４６】
いくつかの実施形態では、アンカは、具体的信号を受信し、ネットワーククロック同期またはネットワークにわたる情報の伝搬を改良するように（スケジュール３０００の一部として）構成されることができる。
【０２４７】
図３１は、本開示のいくつかの実施形態による、将来の伝送を識別する受信されたペイロードに基づいて、その受信機を構成するために自己位置特定装置上に実装され得る、論理の例証的フローチャート３１００を示す。
【０２４８】
ステップ３１０２において、自己位置特定装置は、位置特定信号の受信に応じて、デジタル受信電子機器から受信された未加工データを読み取り得る。そのような読取プロセスは、デジタル伝送プロトコル、例えば、ＳＰＩ、Ｉ２Ｃ、ＵＡＲＴ、または並列デジタルプロトコルを使用して実装され得る。
【０２４９】
ステップ３１０４において、データを読み取った後、自己位置特定装置は、受信されたペイロードをデコードし得る。デコードは、いくつかの処理ステップ（図示せず）を含み得る。例えば、そのような処理は、データのデシリアル化、ペイロードサイズを表すデータを解析するステップ、ペイロードタイプを表すデータを解析するステップ、任意の他の処理ステップ、またはそれらの任意の組み合わせを含み得る。
【０２５０】
決定３１０６において、データ完全性チェックが、実施され得る。例えば、ＣＲＣチェックサムが、検証され得る。データ完全性チェックが失敗する場合（例えば、ＣＲＣチェックサムが正しくない場合）、自己位置特定装置は、ステップ３１０８において、受信されたデータを破棄し得、本プロセスは、ステップ３１０２に戻り得る。完全性チェックが成功する場合、本プロセスは、決定３１１０に進み得る。
【０２５１】
決定３１１０において、ペイロードのコンテンツは、これが測位アンカによる将来の伝送を識別するペイロードを含有するかどうかを決定するために検査され得る。いくつかの実施形態では、ステップ３１１０は、ペイロードを事前処理する最終ステップであり得る。ペイロードが、将来の伝送を識別しないと見出される場合、本プロセスは、ステップ３１１２において終了され、ステップ３１０２に戻り得る。ペイロードが、測位アンカによる将来の伝送を識別すると見出される場合、本プロセスは、決定３１１４に進み得る。
【０２５２】
この時点で、自己位置特定装置は、利用可能な位置特定信号のうちのどれを受信することが好ましいかを決定するためのステップを実行し得る。例えば、本決定は、位置特定装置によって提供されるステータス情報に基づいて実行され得る。
【０２５３】
決定３１１４において、自己位置特定装置は、位置特定装置が正常に初期化されたかどうか（すなわち、位置特定装置が現在の推定される位置を有するかどうか）を決定し得る。自己位置特定装置が、位置特定装置が正常に初期化されていないと決定する場合、本プロセスは、ステップ３１２０に進み得る。自己位置特定装置が、位置特定装置が正常に初期化されたと決定する場合、本プロセスは、ステップ３１１６に進み得る。
【０２５４】
ステップ３１２０において、位置特定装置が初期化されていないとき、自己位置特定装置は、バックアップの発見的問題解決法に基づいて、どの信号を受信するかに関する決定を行い得る。例えば、自己位置特定装置は、初期位置推定値を決定するために、最も広いカバレッジを提供する信号を受信するように決定し得る。本プロセスは、次いで、ステップ３１２２に進み得る。
【０２５５】
ステップ３１１６において、位置特定装置が初期化されているとき、自己位置特定装置は、自己位置特定装置の推定される位置に基づいて、第１のチェックを実施し得る。位置は、将来のタイムスロットにおいて信号を伝送するであろう測位アンカの位置と比較され得る。これらのアンカのいくつかに関して、自己位置特定装置の場所における良好な受信が、不可能であろう場合、それらは、好ましくない信号としてマーキングされる。いくつかの実施形態では、本チェックは、加えて、受信品質をより正確に推定するために、アンカアンテナおよび自己位置特定装置アンテナの両方の配向を考慮し得る。いくつかの実施形態では、どの推定された受信品質が許容可能と見なされるかに関するメトリックはまた、例えば、信号が位置推定値の品質にとってどの程度重要であろうかを捕捉する、他のメトリックに基づいて調節され得る。
【０２５６】
ステップ３１１８において、位置特定装置の位置推定値品質が、検査され得る。品質は、例えば、現在の精度の希釈として、または位置推定値の分散として表され得る。自己位置特定装置の可能性が高い位置の範囲に基づいて、候補位置特定信号毎の不確定性の低減が、算出され得る。例えば、シミュレートされたバージョンの将来の位置特定信号が、分散の変化を評価するために、位置特定装置に提供され得る。これらの評価は、候補位置特定信号毎に実行され得、メトリックが、次いで、好ましい位置特定信号を決定するために適用され得る。いくつかの実施形態では、そのようなメトリックは、全位置分散、平面内の全分散、または特に重要な方向に沿った分散の二乗平均平方根であり得る。本プロセスは、次いで、ステップ３１２２に進み得る。
【０２５７】
前述のステップが実行された後、受信されるべき好ましい位置特定信号が、決定される。ステップ３１２２において、受信機設定が、決定される。ペイロードは、将来の位置特定信号の構成についての高レベル情報を提供し得るが、より低レベルの受信機設定が、典型的には、受信電子機器を設定するために要求され得る。いくつかの実施形態では、これらの低レベル受信機設定は、ハードウェア依存性設定であり得る。例えば、ハードウェア依存性設定は、受信電子機器における位相固定ループの構成、受信中に走査するためのプリアンブルコード、ＲＦスイッチの位置、他のハードウェア設定、またはそれらの任意の組み合わせのうちの少なくとも１つを含み得る。いくつかの実施形態では、受信機設定は、ルックアップテープルの形態においてメモリ内に記憶され、自己位置特定装置が、受信された高レベル情報から正しい低レベル構成を決定することを可能にし得る。
【０２５８】
ステップ３１２４において、低レベル受信機構成は、受信機に適用され得る。いくつかの実施形態では、本構成を適用することは、ＳＰＩ、Ｉ２Ｃ、またはＵＡＲＴ等のプロトコルを通して受信電子機器のレジスタに構成パラメータを書き込むことによって実施され得る。いくつかの実施形態では、本構成を適用することは、例えば、マイクロコントローラの出力ピンの状態を変更することによって、伝送電子機器のデジタルまたはアナログ入力ピンの値を変更することによって実施され得る。
【０２５９】
いくつかの実施形態では、位置特定装置からのステータス情報は、どの位置特定信号を受信するかを決定するために使用され得る。いくつかの実施形態では、多くの他の決定基準が、同一の目的のために使用され得る。例えば、決定は、自己位置特定装置の既知の計画された運動に基づいて、受信された位置特定信号の信号強度に基づいて、記憶された位置特定信号優先順位リストに基づいて、他の基準に基づいて、またはそれらの任意の組み合わせに基づいて行われ得る。
【０２６０】
フローチャート３１００のステップおよび決定要素は、単に、例証的であり、種々の修正が、本開示の範囲内で成され得ることを理解されたい。例えば、いくつかの実施形態では、フローチャート３１００の上側部分は、下側部分から独立して実施され得る。例えば、論理要素３１０２−３１１２は、各受信された信号に対して実施され得る一方、論理要素３１１４−２１２４は、どの信号を受信するかを別個に、かつ繰り返し選択し得る。別の実施例として、いくつかの実施形態では、論理要素３１０２−３１１２は、自己位置特定装置が、どの時間にどのアンカが位置特定信号を伝送するようにスケジューリングされるかのスケジュールを記憶しているとき、実施される必要がない場合がある。
【０２６１】
図３２は、本開示のいくつかの実施形態による、飛行機械が動作する屋内および屋外環境３２００への性能マップの例証的適用を示す。環境は、それを通して飛行機械３２３０が進入し、屋外エリアから離れ得るアクセスエリア３２２０を伴う、建物３２１０（例えば、倉庫）内の屋内エリアを含む。本実施例では、２つの位置特定システムが、設置されている。１つは、屋外に設置される一方、第２のものは、屋内に設置される。
【０２６２】
要求される測位性能は、本環境の異なるエリア内で識別される。着陸エリア３２４０が、飛行機械３２３０の着陸エリアを囲繞する。着陸中に要求され得る厳密な飛行公差に起因して、本エリアは、特に高い測位性能を要求するものとしてマーキングされる。第２のエリア３２５０が、残りの屋内空間の大部分を網羅し、通常の安全飛行のために十分なレベルの位置特定性能を要求する。残りの屋内空間は、飛行機械がそれらの空間内で動作しないため、いかなる位置特定性能要件も有していない。
【０２６３】
特に高い位置特定性能を要求する第２のエリアは、飛行操縦空間が本エリア内で縮小されるため、屋内および屋外エリアを接続するアクセスエリア３２２０を囲繞する。残りの屋外エリアは、アクセスエリアへのアプローチエリア内で通常の位置特定性能を要求し、他のエリア内でいかなる位置特定性能も要求しない。
【０２６４】
加えて、図３２は、他の位置特定機構（本場合では、ＧＰＳ）の可用性を示す。そのような機構の可用性もまた、スケジューラに提供され得る。自己位置特定装置が、異なる位置特定システム（本明細書に開示されるシステムおよびＧＰＳ等）を融合し、性能を強化するように構成される場合、スケジューラは、これを考慮し、その位置特定性能要件を調節し、他の位置特定機構がサポートツールとして使用され得るという仮定の下で、要求される全体測位性能を達成することができる。例えば、ＧＰＳは、飛行機械３２３０が建物の上方で動作するとき、本明細書に説明される位置特定システムを伴わずに十分な測位性能を提供し得、スケジュールは、したがって、そのエリア内のカバレッジを考慮する必要がない。
【０２６５】
図３２はまた、飛行機械が、屋内位置特定システムと屋外位置特定システムとの間でシームレスに遷移することを可能にするためにここで使用される、ブリッジアンカの適用を示す。
【０２６６】
図３３はまた、本開示のいくつかの実施形態による、２つの例証的位置特定ネットワーク３３１０、３３２０を示す。位置特定ネットワーク３３１０は、位置特定ネットワーク３３２０と部分的に重複する。いくつかの実施形態では、位置特定ネットワーク３３１０は、複数の同期されたアンカを備え、位置特定ネットワーク３３２０は、複数の同期されたアンカを備える。しかしながら、位置特定ネットワーク３３１０、３３２０は、異なるネットワークであるため、それらは、相互に対して同期されない場合がある。したがって、自己位置特定装置は、位置特定ネットワーク３３１０、３３２０間を移動する際に困難を有し得る。本問題に対処するために、１つまたはそれを上回るブリッジアンカが、自己位置特定装置が一方のネットワークから他方に切り替えることを可能にするために使用され得る。図示されるように、２つのブリッジアンカ３３３０が、２つのネットワーク間の重複エリア内に位置する。
【０２６７】
図３４は、本開示のいくつかの実施形態による、２つの位置特定システム（例えば、位置特定ネットワーク３３１０、３３２０）の同期を可能にするように構成される、例証的ブリッジアンカのブロック図である。２つの別個の位置特定システムが相互の近傍において使用されるとき、第１のシステムの信号を受信することから第２のシステムの信号を受信することに切り替える（例えば、それらは、第１のシステムがより良好な性能を提供する場所から、第２のシステムがより良好な性能を提供する場所に移動したため）自己位置特定装置は、通常、その位置特定ユニットを再初期化し、第２の位置特定システムのタイミング情報を識別し、次いで、その位置を再び決定するように要求されるであろう。これは、自己位置特定装置が１つのネットワークから次のネットワークに切り替える際、いかなる位置特定も利用可能ではない（または劣化した位置特定のみが利用可能である）ブラックアウト周期を生産するであろう。図３４に示されるブリッジ送受信機は、２つの近傍のネットワーク間のタイミング情報の同期を可能にし、したがって、自己位置特定装置は、これが第１のネットワークから位置特定信号を依然として受信しているかのように、そのローカルタイミング情報を保ちながらネットワーク間で切り替えることが可能である。
【０２６８】
本明細書に開示されるアンカのいくつかのように、本ブリッジアンカは、クロック２１０と、スケジューリングユニット２１８ａと、デジタル伝送電子機器２１６ａと、アナログ伝送電子機器２１４ａと、アンテナ２１２ａと、アナログ受信電子機器２２０ａと、デジタル受信電子機器２２２ａとを含有する。これらのコンポーネントは、ブリッジアンカが第１の位置特定システムと通信し、それに位置特定信号を提供するために使用される。
【０２６９】
ブリッジ機能性を可能にするために、本実施形態におけるブリッジアンカは、第１の位置特定システムのために使用されるコンポーネントのいくつかの第２のセットを含む。具体的には、ブリッジアンカは、ここでは、加えて、スケジューリングユニット２１８ｂと、デジタル伝送電子機器２１６ｂと、アナログ伝送電子機器２１４ｂと、アンテナ２１２ｂと、アナログ受信電子機器２２０ｂと、デジタル受信電子機器２２４ｂとを含む。これらの付加的コンポーネントは、第２の位置特定システムの信号を受信および伝送するように構成される。
【０２７０】
本実施形態におけるブリッジアンカはまた、デジタル受信電子機器２２２ａに結合される同期ユニット２２４ａと、クロック２１０とを含む。同期ユニット２２４ａは、第１の位置特定システムのタイミング情報を決定する。ブリッジアンカはまた、ここでは、第２の位置特定システムのタイミング情報を同様に決定するために、同期ユニット２２４ｂを含む。加えて、同期ユニット２２４ｂは、２つの位置特定システムからのタイミング情報を比較するために、同期ユニット２２４ａのタイミング情報を受信する。同期ユニット２２４ｂは、スケジューリングユニット２１８ｂに結合され、（１）第２の位置特定システムのスケジューリングが、第１の位置特定システムのスケジューリングと同期するように導かれるようにそれを調節すること、および（２）第２の位置特定システム内のアンカに、そのタイミングを第１の位置特定システムに調節させる情報を伝送ペイロード内に含めることのうちの少なくとも１つによって、第２の位置特定システムのスケジューリング動作を調節することができる。本文脈において言及されるタイミング情報は、例えば、位置特定システムの見掛けのクロックレート、見掛けのクロックオフセット、または見掛けのクロックスキューであり得る。
【０２７１】
図３５は、本開示のいくつかの実施形態による、１つの位置特定システムから別のものへの自己位置特定装置のシームレスな遷移を可能にするように構成される、別の例証的ブリッジアンカのブロック図である。図３４のブリッジアンカとは異なり、図３５のブリッジアンカは、それらを相互に同期させるために、２つの位置特定システム間で共通タイミング情報を共有しない。したがって、図３５のブリッジアンカは、２つの同期されない位置特定システム間のシームレスな遷移を可能にするように要求される。自己位置特定装置に、一時的に利用不可能な（または低減された性能の）位置特定を引き起こすことの困難は、有意義な位置特定データを提供するために、位置特定装置が再初期化されると、自己位置特定装置が第２の位置特定システムのタイミングを識別する必要があることである。図３５に示されるブリッジ送受信機は、第２の位置特定システムからの付加的タイミング情報を使用して、再初期化後にその位置特定装置をホットスタートすることによって、自己位置特定装置が、第１から第２の位置特定システムに迅速に切り替えることを可能にする。
【０２７２】
これを達成するために、図３５のブリッジ送受信機は、第２の位置特定システムから信号を受信する、アンテナ２１２に結合される、アナログ受信電子機器２２０およびデジタル受信電子機器２２２を含む。デジタル伝送電子機器２１６およびアナログ伝送電子機器２１４は、第１の位置特定システムの構成を用いて信号を伝送するように構成される。受信および伝送電子機器は、クロック２１０を共有する。デジタル受信電子機器２２２から受信された信号は、同期ユニット２２４に提供され、これは、受信された信号（これは、第２の位置特定システムからの信号である）のタイミング情報を識別する。識別されたタイミング情報は、スケジューリングユニット２１８に送信され、これは、第１の位置特定システム上で伝送されるペイロード内に識別されたタイミング情報を含むことができる。第１の位置特定システムから信号を受信する自己位置特定装置は、本タイミング情報をデコードすることができ、これが第１の位置特定システムから第２の位置特定システムに切り替えると、タイミング情報を使用し、第２の位置特定システムのための位置特定装置をホットスタートし得る。
【０２７３】
本開示の一側面によると、位置特定信号を無線で伝送するように構成される複数の測位アンカを備える位置特定システムが、提供される。位置特定信号は、位置情報を決定するために、ある領域内の自己位置特定装置によって使用されることが可能であり得る。例えば、自己位置特定装置は、位置特定信号を使用し、定義された３次元領域内のその独自の位置を決定し得る。
【０２７４】
いくつかの実施形態では、複数の測位アンカは、第１の測位アンカと、第２の測位アンカと、第３の測位アンカとを備え得る。第１の測位アンカは、第１の位置特定信号を無線で伝送するように構成され得る。第２の測位アンカは、第２の位置特定信号を無線で伝送するように構成され得る。第３の測位アンカは、第３の位置特定信号を無線で伝送するように構成され得る。
【０２７５】
いくつかの実施形態では、複数の測位アンカはそれぞれ、スケジューリングユニットに通信可能に結合され得る。いくつかの実施形態では、スケジューリングユニットは、位置特定信号の伝送をスケジューリングするように構成され得る。例えば、スケジューリングユニットは、第１の位置特定信号、第２の位置特定信号、および第３の位置特定信号の伝送をスケジューリングし得る。いくつかの実施形態では、スケジューリングユニットは、測位性能を制御するように位置特定信号の伝送をスケジューリングし得る。例えば、スケジューリングユニットは、第１の位置特定信号を第１の伝送レートで伝送するように第１の測位アンカをスケジューリングし、第２の位置特定信号を第２の伝送レートで伝送するように第２の測位アンカをスケジューリングし、第３の位置特定信号を第３の伝送レートで伝送するように第３の測位アンカをスケジューリングし得る。いくつかの実施形態では、第１の伝送レートは、第２の伝送レートを上回り得る。いくつかの実施形態では、第１の伝送レート、第２の伝送レート、および第３の伝送レートは、領域の一部内でさらなる測位性能を提供するように選択され得る。
【０２７６】
いくつかの実施形態では、スケジューリングユニットは、動作中に領域内の測位性能を変更するために、第１、第２、および第３の位置特定信号のいずれかまたはそれらの任意の組み合わせの伝送レートを調節するように構成され得る。いくつかの実施形態では、スケジューリングユニットは、自己位置特定装置の場所および／または自己位置特定装置の飛行パターンを受信するように構成され得る。いくつかの実施形態では、スケジューリングユニットは、自己位置特定装置の既知の場所に基づいて、伝送レートを調節するように構成され得る。いくつかの実施形態では、スケジューリングユニットは、自己位置特定装置の既知の運動（例えば、飛行パターン）に基づいて、伝送レートを調節するように構成され得る。
【０２７７】
いくつかの実施形態では、第１、第２、および第３の位置特定信号はそれぞれ、超広帯域（ＵＷＢ）位置特定信号を含み得る。ＵＷＢ位置特定信号はそれぞれ、プリアンブルコードと、ペイロードとを備え得る。いくつかの実施形態では、ＵＷＢ位置特定信号のいくつかは、コマンドを備えるペイロードを備え得る。いくつかの実施形態では、スケジューリングユニットは、ＵＷＢ位置特定信号の伝送をスケジューリングし、自己位置特定装置および複数のアンカのうちの少なくとも１つへのコマンドの伝搬を最適化するように構成され得る。
【０２７８】
いくつかの実施形態では、複数の測位アンカはそれぞれ、クロックを備え得る。いくつかの実施形態では、ＵＷＢ位置特定信号のいくつかは、同期データを備えるペイロードを備え得る。複数の測位アンカはそれぞれ、少なくとも１つの他の測位アンカから受信されるＵＷＢ位置特定信号から同期データを受信するように構成され得る。いくつかの実施形態では、少なくとも１つのスケジューリングユニットは、ＵＷＢ位置特定信号の伝送をスケジューリングし、クロックの同期を最適化するように構成され得る。
【０２７９】
いくつかの実施形態では、クロックの同期に関する最適化は、目的関数またはクロック同期性能を表し得る制約を含めることによって実施され得る。例えば、そのような最適化は、環境影響に依存してタイムスタンピング変動を予測するモデルを組み込み、本目的は、低タイムスタンピング変動を有するアンカ間に高通信レートを達成することであり得る。
【０２８０】
いくつかの実施形態では、複数の測位アンカはそれぞれ、同期ユニットを備え得、各同期ユニットは、受信された同期データに基づいて、その個別のクロックに関するクロックオフセットおよびクロックレートのうちの少なくとも１つに関する補正値を算出するように構成され得る。
【０２８１】
いくつかの実施形態では、スケジューリングユニットは、位置特定信号の伝送をスケジューリングし、領域の１つまたはそれを上回る部分における精度、正確度、または更新レートのうちの少なくとも１つを増加させるように構成され得る。いくつかの実施形態では、スケジューリングユニットは、スケジュール内のタイムスロットに基づいて、位置特定信号の伝送をスケジューリングするように構成され得る。いくつかの実施形態では、第１の測位アンカは、第２の測位アンカよりもスケジュール内で多くのタイムスロットを割り当てられ得る。
【０２８２】
いくつかの実施形態では、スケジューリングユニットは、第１のスケジューリングユニットと、第２のスケジューリングユニットと、第３のスケジューリングユニットとを備え得る。第１のスケジューリングユニットは、第１の測位アンカに物理的に結合され得、第１の位置特定信号の伝送をスケジューリングするように構成され得る。第２のスケジューリングユニットは、第２の測位アンカに物理的に結合され得、第２の位置特定信号の伝送をスケジューリングするように構成され得る。第３のスケジューリングユニットは、第３の測位アンカに物理的に結合され得、第３の位置特定信号の伝送をスケジューリングするように構成され得る。
【０２８３】
いくつかの実施形態では、位置特定システムにおいて位置特定信号を伝送するための方法が、提供される。いくつかの実施形態では、位置特定システムは、複数の測位アンカを備え得る。
【０２８４】
いくつかの実施形態では、本方法は、伝送スケジュールの２つまたはそれを上回るタイムスロット中に第１の位置特定信号を無線で伝送する、複数の測位アンカの第１の測位アンカを備え得る。本方法はさらに、伝送スケジュールの１つまたはそれを上回るタイムスロット中に第２の位置特定信号を無線で伝送する、複数の測位アンカの第２の測位アンカを備え得る。本方法はさらに、伝送スケジュールの１つまたはそれを上回るタイムスロット中に第３の位置特定信号を無線で伝送する、複数の測位アンカの第３の測位アンカを備え得る。
【０２８５】
いくつかの実施形態では、第１の位置特定信号、第２の位置特定信号、および第３の位置特定信号は、位置情報を決定するために、ある領域内の自己位置特定装置によって使用されることが可能であり得る。第１の測位アンカは、領域の一部内にさらなる測位性能を提供するために、第２の測位アンカよりも伝送スケジュール内で多くのタイムスロットを割り当てられ得る。
【０２８６】
いくつかの実施形態では、本方法は、動作中に第１の測位アンカ、第２の測位アンカ、および第３の測位アンカが伝送スケジュール内で割り当てられるタイムスロットの数を調節する、１つまたはそれを上回るスケジューリングユニットを備え得る。いくつかの実施形態では、本方法は、自己位置特定装置の既知の場所を無線で受信するステップを含み得る。いくつかの実施形態では、タイムスロットの数は、自己位置特定装置の既知の場所に基づいて調節され得る。
【０２８７】
いくつかの実施形態では、伝送スケジュールのタイムスロットは、自己位置特定装置の既知の場所、第１、第２、および第３の位置特定信号の少なくともいくつかの一部として含まれるコマンドの伝搬の最適化、第１、第２、および第３の測位アンカと関連付けられるクロックの同期の最適化、ならびに領域の１つまたはそれを上回る部分における改良された精度、正確度、もしくは更新レートのうちの少なくとも１つのうちの１つもしくはそれを上回るものに基づいて割り当てられ得る。
【０２８８】
いくつかの実施形態では、本方法はさらに、第１のクロックを使用して、第１の測位アンカが第１の位置特定信号を無線で伝送すると、これを決定するために使用される第１のタイミング信号を生成するステップを含み得る。本方法はさらに、第２のクロックを使用して、第２の測位アンカが第２の位置特定信号を無線で伝送すると、これを決定するために使用される第２のタイミング信号を生成するステップを含み得る。本方法はさらに、第３のクロックを使用して、第３の測位アンカが第３の位置特定信号を無線で伝送すると、これを決定するために使用される第３のタイミング信号を生成するステップを含み得、第１、第２、および第３のクロックは、同期される。
【０２８９】
本開示の別の側面によると、位置情報を決定するために、ある領域内の自己位置特定装置によって使用されることが可能な位置特定信号を無線で伝送するように構成され得る、複数の測位アンカを備える位置特定システムが、提供される。いくつかの実施形態では、領域は、３次元領域を含み得る。
【０２９０】
いくつかの実施形態では、位置特定システムはさらに、少なくとも１つのスケジューリングユニットを備え得る。少なくとも１つのスケジューリングユニットは、複数の測位アンカに通信可能に結合され得る。いくつかの実施形態では、少なくとも１つのスケジューリングユニットは、第１の伝送スケジュールに従って位置特定信号の伝送をスケジューリングするように構成され得る。第１の伝送スケジュールは、複数の測位アンカのそれぞれが位置特定信号を伝送する第１の時間順序を定義し得る。いくつかの実施形態では、位置特定信号は、超広帯域（ＵＷＢ）位置特定信号を含み得る。いくつかの実施形態では、位置特定信号はそれぞれ、プリアンブルコードと、ペイロードとを備え得る。
【０２９１】
いくつかの実施形態では、少なくとも１つのスケジューリングユニットは、いつ第１の伝送スケジュールから第２の伝送スケジュールに変更するかを決定するように構成され得る。第２の伝送スケジュールは、複数の測位アンカのそれぞれが位置特定信号を伝送する第２の時間順序を定義し得る。第２の伝送スケジュールは、複数の測位アンカ毎に第２の送信機（ＴＸ）または受信機（ＲＸ）モードを定義し得る。いくつかの実施形態では、第２の時間順序は、第１の時間順序とは異なり得る。いくつかの実施形態では、第２の時間順序は、第１の時間順序と同じであり得る。
【０２９２】
いくつかの実施形態では、少なくとも１つのスケジューリングユニットは、いつ伝送スケジュールを再開するかを決定するように構成され得る。いくつかの実施形態では、少なくとも１つのスケジューリングユニットは、具体的時間から伝送スケジュールを開始または再開するように構成され得る（すなわち、スケジュールは、スケジュールの始めから開始または再開しない）。いくつかの実施形態では、第１の伝送スケジュールおよび第２の伝送スケジュールは、領域の異なる部分における増加された精度、正確度、および更新レートのうちの少なくとも１つを提供し得る。
【０２９３】
いくつかの実施形態では、少なくとも１つのスケジューリングユニットは、第１の伝送スケジュールから第２の伝送スケジュールに変更する決定に応答して、第２の伝送スケジュールに従って位置特定信号の伝送をスケジューリングするように構成され得る。いくつかの実施形態では、第１の伝送スケジュールから第２の伝送スケジュールへの変更は、領域内の測位性能を変更し得る。
【０２９４】
いくつかの実施形態では、少なくとも１つのスケジューリングユニットは、自己位置特定装置の既知の場所および／または自己位置特定装置の飛行パターンを受信するように構成され得る。いくつかの実施形態では、少なくとも１つのスケジューリングユニットは、自己位置特定装置の既知の場所に基づいて、いつ第１の伝送スケジュールから第２の伝送スケジュールに変更するかを決定するように構成され得る。いくつかの実施形態では、少なくとも１つのスケジューリングユニットは、ユーザ入力に基づいて、いつ第１の伝送スケジュールから第２の伝送スケジュールに変更するかを決定するように構成され得る。いくつかの実施形態では、少なくとも１つのスケジューリングユニットは、自己位置特定装置の既知の運動に基づいて、いつ第１の伝送スケジュールから第２の伝送スケジュールに変更するかを決定するように構成され得る。
【０２９５】
いくつかの実施形態では、ＵＷＢ位置特定信号の少なくともいくつかのペイロードは、コマンドを備え得る。いくつかの実施形態では、少なくとも１つのスケジューリングユニットは、第１の伝送スケジュールから第２の伝送スケジュールに変更し、自己位置特定装置および複数のアンカのうちの少なくとも１つへのコマンドの伝搬を最適化するように構成され得る。
【０２９６】
いくつかの実施形態では、複数の測位アンカはそれぞれ、クロックを備え得る。いくつかの実施形態では、ＵＷＢ位置特定信号の少なくともいくつかのペイロードは、同期データを備え得る。複数の測位アンカはそれぞれ、少なくとも１つの他の測位アンカから受信されるＵＷＢ位置特定信号から同期データを受信するように構成され得る。少なくとも１つのスケジューリングユニットは、第１の伝送スケジュールから第２の伝送スケジュールに変更し、クロックの同期に関して最適化するように構成され得る。
【０２９７】
いくつかの実施形態では、複数の測位アンカはそれぞれ、同期ユニットを備え得る。各同期ユニットは、受信された同期データに基づいて、その個別のクロックに関するクロックオフセットおよびクロックレートのうちの少なくとも１つに関する補正値を算出するように構成され得る。
【０２９８】
いくつかの実施形態では、第１の伝送スケジュールおよび第２の伝送スケジュールは、それぞれ、複数のタイムスロットを備え得る。いくつかの実施形態では、複数の測位アンカの少なくとも１つの測位アンカは、第１の伝送スケジュールおよび第２の伝送スケジュール内で異なる数のタイムスロットを割り当てられ得る。いくつかの実施形態では、複数の測位アンカの少なくとも１つの測位アンカは、異なる送信機（ＴＸ）モードまたは受信機（ＲＸ）モードを割り当てられ得る。いくつかの実施形態では、複数の測位アンカの少なくとも１つの測位アンカは、第１の伝送スケジュールおよび第２の伝送スケジュール内で異なる送信機（ＴＸ）モードまたは受信機（ＲＸ）モードを割り当てられ得る。
【０２９９】
いくつかの実施形態では、少なくとも１つのスケジューリングユニットは、複数のスケジューリングユニットを含み得る。いくつかの実施形態では、複数のスケジューリングユニットはそれぞれ、複数の測位アンカのうちの個別の１つに物理的に結合され得る。いくつかの実施形態では、複数のスケジューリングユニットはそれぞれ、その個別の測位アンカに割り当てられたタイムスロットに従って、その個別の測位アンカに関する位置特定信号の伝送をスケジューリングするように構成され得る。
【０３００】
いくつかの実施形態では、位置特定システムにおいて位置特定信号を伝送するための方法が、提供される。いくつかの実施形態では、位置特定システムは、複数の測位アンカを備え得る。
【０３０１】
いくつかの実施形態では、本方法は、複数の測位アンカを使用して、位置情報を決定するために、ある領域内の自己位置特定装置によって使用されることが可能な位置特定信号を無線で伝送するステップを含み得る。いくつかの実施形態では、本方法はさらに、複数の測位アンカに通信可能に結合される少なくとも１つのスケジューリングユニットを使用して、第１の伝送スケジュールに従って位置特定信号の伝送をスケジューリングするステップを含み得る。いくつかの実施形態では、第１の伝送スケジュールは、複数の測位アンカのそれぞれが位置特定信号を伝送する第１の時間順序を定義し得る。
【０３０２】
いくつかの実施形態では、本方法はさらに、少なくとも１つのスケジューリングユニットを使用して、いつ第１の伝送スケジュールから第２の伝送スケジュールに変更するかを決定するステップを含み得る。いくつかの実施形態では、第２の伝送スケジュールは、複数の測位アンカのそれぞれが位置特定信号を伝送する第２の時間順序を定義し得る。第２の伝送スケジュールは、複数の測位アンカ毎に第２の送信機（ＴＸ）または受信機（ＲＸ）モードを定義し得る。いくつかの実施形態では、第２の時間順序は、第１の時間順序とは異なり得る。
【０３０３】
いくつかの実施形態では、本方法はさらに、少なくとも１つのスケジューリングユニットを使用して、第１の伝送スケジュールから第２の伝送スケジュールに変更する決定に応答して、第２の伝送スケジュールに従って位置特定信号の伝送をスケジューリングするステップを含み得る。いくつかの実施形態では、そのようなスケジューリングは、領域内の測位性能を変更し得る。
【０３０４】
いくつかの実施形態では、位置特定信号は、超広帯域（ＵＷＢ）位置特定信号を含み得る。いくつかの実施形態では、各位置特定信号は、プリアンブルコードと、ペイロードとを備え得る。いくつかの実施形態では、ＵＷＢ位置特定信号の少なくともいくつかのペイロードは、コマンドを備え得る。いくつかの実施形態では、本方法はさらに、自己位置特定装置および複数のアンカのうちの少なくとも１つへのコマンドの伝搬を最適化するために、少なくとも１つのスケジューリングユニットを第１の伝送スケジュールから第２の伝送スケジュールに変更するステップを含み得る。
【０３０５】
いくつかの実施形態では、複数の測位アンカはそれぞれ、クロックを備え得る。いくつかの実施形態では、ＵＷＢ位置特定信号の少なくともいくつかのペイロードは、同期データを備え得る。いくつかの実施形態では、本方法はさらに、複数の測位アンカのそれぞれを使用して、少なくとも１つの他の測位アンカからのＵＷＢ位置特定信号から同期データを受信するステップを含み得る。いくつかの実施形態では、本方法はさらに、クロックの同期に関して最適化するために、少なくとも１つのスケジューリングユニットを第１の伝送スケジュールから第２の伝送スケジュールに変更するステップを含み得る。
【０３０６】
いくつかの実施形態では、複数の測位アンカはそれぞれ、同期ユニットを備え得る。いくつかの実施形態では、本方法はさらに、各同期ユニットを使用して、受信された同期データに基づいて、その個別のクロックに関するクロックオフセットおよびクロックレートのうちの少なくとも１つに関する補正値を算出するステップを含み得る。
【０３０７】
いくつかの実施形態では、第１の伝送スケジュールおよび第２の伝送スケジュールは、領域の異なる部分における増加された精度、正確度、および更新レートのうちの少なくとも１つを提供し得る。
【０３０８】
いくつかの実施形態では、第１の伝送スケジュールおよび第２の伝送スケジュールは、それぞれ、複数のタイムスロットを備え得る。いくつかの実施形態では、本方法はさらに、第１の伝送スケジュールおよび第２の伝送スケジュール内で異なる数のタイムスロットを複数の測位アンカの少なくとも１つの位置付けアンカに割り当てるステップを含み得る。
【０３０９】
いくつかの実施形態では、第１の伝送スケジュールおよび第２の伝送スケジュールは、それぞれ、複数のタイムスロットを備え得る。いくつかの実施形態では、少なくとも１つのスケジューリングユニットは、複数のスケジューリングユニットを含み得る。いくつかの実施形態では、複数のスケジュールユニットはそれぞれ、複数の測位アンカのうちの個別の１つに物理的に結合され得る。いくつかの実施形態では、本方法はさらに、複数のスケジューリングユニットのそれぞれを使用して、その個別の測位アンカに割り当てられたタイムスロットに従って、その個別の測位アンカに関する位置特定信号の伝送をスケジューリングするステップを含み得る。
【０３１０】
本開示の別の側面によると、位置特定システムに関する伝送スケジュールを決定するためのシステムが、提供される。いくつかの実施形態では、位置特定システムは、位置特定信号を無線で伝送するように構成される、複数の測位アンカを備え得る。複数の測位アンカは、ある領域内の位置情報を決定するために使用され得る。
【０３１１】
いくつかの実施形態では、本システムは、入力を備え得る。入力は、複数の測位アンカの場所、複数の測位アンカの少なくとも１つのアンカプロパティ、および領域内の少なくとも１つの区域内の所望の測位性能を受信するように動作可能であり得る。
【０３１２】
いくつかの実施形態では、本システムは、少なくとも１つのプロセッサを備え得る。少なくとも１つのプロセッサは、（ａ）複数の測位アンカの場所、（ｂ）複数の測位アンカの少なくとも１つのアンカプロパティ、および（ｃ）少なくとも１つの区域内の所望の測位性能に基づいて、複数のアンカに関する伝送スケジュールを決定するように構成され得る。いくつかの実施形態では、複数の測位アンカは、伝送スケジュールに従って、位置特定信号を無線で伝送するように構成され得る。
【０３１３】
いくつかの実施形態では、本システムは、伝送スケジュールを複数の測位アンカに通信するように動作可能である、出力を備え得る。
【０３１４】
いくつかの実施形態では、少なくとも１つの区域の第１のものの中の所望の測位性能は、少なくとも１つの区域の第２のものの中の所望の測位性能を上回り得る。いくつかの実施形態では、決定された伝送スケジュールは、第１の区域内にさらなる測位性能を提供するように決定され得る。いくつかの実施形態では、少なくとも１つの区域は、領域を網羅し得る。
【０３１５】
いくつかの実施形態では、少なくとも１つのプロセッサは、複数の測位アンカの場所および複数の測位アンカの少なくとも１つのアンカプロパティに基づいて、少なくとも１つの区域内の測位性能を予測し、予測された測位性能を少なくとも１つの区域内の所望の測位性能と比較することによって、伝送スケジュールを決定するように構成され得る。
【０３１６】
いくつかの実施形態では、少なくとも１つのアンカプロパティは、伝送電力レベルを含み得る。いくつかの実施形態では、少なくとも１つのプロセッサはさらに、伝送スケジュールに関する伝送電力レベルを決定するように構成され得る。いくつかの実施形態では、伝送スケジュールは、各測位アンカがその位置特定信号を伝送するために使用するようにスケジューリングされ得る、電力レベルを示し得る。
【０３１７】
いくつかの実施形態では、少なくとも１つのアンカプロパティは、伝送中心周波数を含み得る。いくつかの実施形態では、少なくとも１つのプロセッサはさらに、伝送スケジュールに関する伝送中心周波数を決定するように構成され得る。いくつかの実施形態では、伝送スケジュールは、各測位アンカがその位置特定信号を伝送するために使用するようにスケジューリングされ得る、伝送中心周波数を示し得る。
【０３１８】
いくつかの実施形態では、少なくとも１つのアンカプロパティは、伝送周波数帯域幅を含み得る。いくつかの実施形態では、少なくとも１つのプロセッサはさらに、伝送スケジュールに関する伝送周波数帯域幅を決定するように構成され得る。いくつかの実施形態では、伝送スケジュールは、各測位アンカがその位置特定信号を伝送するために使用するようにスケジューリングされ得る、伝送周波数帯域幅を示し得る。
【０３１９】
いくつかの実施形態では、少なくとも１つのアンカプロパティは、プリアンブルコードを含み得る。いくつかの実施形態では、少なくとも１つのプロセッサはさらに、伝送スケジュールに関するプリアンブルコードを決定するように構成され得る。いくつかの実施形態では、伝送スケジュールは、各位置特定信号と併用されるようにスケジューリングされるプリアンブルコードを示し得る。
【０３２０】
いくつかの実施形態では、少なくとも１つのアンカプロパティは、プリアンブル変調スキームを含み得る。いくつかの実施形態では、少なくとも１つのプロセッサはさらに、伝送スケジュールに関するプリアンブル変調スキームを決定するように構成され得る。いくつかの実施形態では、伝送スケジュールは、各位置特定信号と併用されるようにスケジューリングされるプリアンブル変調スキームを示し得る。
【０３２１】
いくつかの実施形態では、少なくとも１つのアンカプロパティは、プリアンブル長を含み得る。いくつかの実施形態では、少なくとも１つのプロセッサはさらに、伝送スケジュールに関するプリアンブル長を決定するように構成され得る。いくつかの実施形態では、伝送スケジュールは、各位置特定信号と併用されるようにスケジューリングされるプリアンブル長を示し得る。
【０３２２】
いくつかの実施形態では、伝送スケジュールは、複数のタイムスロットを備え得る。いくつかの実施形態では、少なくとも１つのプロセッサはさらに、１つまたはそれを上回る位置特定信号を複数のタイムスロットのそれぞれに割り当てるように構成され得る。
【０３２３】
いくつかの実施形態では、少なくとも１つのプロセッサはさらに、伝送スケジュールの複数のタイムスロットの重複量を決定するように構成され得る。いくつかの実施形態では、複数のタイムスロットの重複量は、固定され得る。いくつかの実施形態では、複数のタイムスロットの重複量は、可変であり得る。いくつかの実施形態では、少なくとも１つのプロセッサは、複数の測位アンカが位置特定信号を無線で伝送する時間順序を決定することによって、伝送スケジュールを決定するように構成され得る。
【０３２４】
いくつかの実施形態では、少なくとも１つのプロセッサは、複数の測位アンカが位置特定信号を無線で伝送する伝送レートを決定することによって、伝送スケジュールを決定するように構成され得る。
【０３２５】
いくつかの実施形態では、伝送スケジュールは、複数のタイムスロットを備え得る。いくつかの実施形態では、少なくとも１つのプロセッサはさらに、より低い伝送レートを伴う測位アンカよりもより高い伝送レートを伴う測位アンカにより多くのタイムスロットを割り当てるように構成され得る。
【０３２６】
いくつかの実施形態では、少なくとも１つのプロセッサは、最適化アルゴリズムを使用することによって、伝送スケジュールを決定するように構成され得る。いくつかの実施形態では、少なくとも１つのプロセッサは、コスト関数を最小限にすることによって、伝送スケジュールを決定するように構成され得る。
【０３２７】
いくつかの実施形態では、入力はさらに、領域内の自己位置特定装置のリアルタイム測位情報を受信するように動作可能であり得る。いくつかの実施形態では、少なくとも１つのプロセッサはさらに、リアルタイム測位情報に基づいて、更新される伝送スケジュールを決定するように構成され得る。いくつかの実施形態では、リアルタイム測位情報は、本システムのメモリから受信され得る。いくつかの実施形態では、所望の測位性能は、飛行パターンを含み得る。
【０３２８】
いくつかの実施形態では、位置特定システムに関する伝送スケジュールを決定するための方法が、提供される。いくつかの実施形態では、位置特定システムは、ある領域内の位置情報を決定するために使用され得る位置特定信号を無線で伝送するように構成される、複数の測位アンカを備え得る。
【０３２９】
いくつかの実施形態では、本方法は、入力を使用して、複数の測位アンカの場所、複数の測位アンカの少なくとも１つのアンカプロパティ、および領域内の少なくとも１つの区域内の所望の測位性能を受信するステップを含み得る。
【０３３０】
いくつかの実施形態では、本方法はさらに、少なくとも１つのプロセッサを使用して、（ａ）複数の測位アンカの場所、（ｂ）複数の測位アンカの少なくとも１つのアンカプロパティ、および（ｃ）少なくとも１つの区域内の所望の測位性能に基づいて、複数のアンカに関する伝送スケジュールを決定するステップを含み得、複数の測位アンカは、伝送スケジュールに従って位置特定信号を無線で伝送するように構成される。いくつかの実施形態では、本方法はさらに、出力を使用して、伝送スケジュールを複数の測位アンカに通信するステップを含み得る。
【０３３１】
いくつかの実施形態では、本方法はさらに、少なくとも１つのプロセッサを使用して、複数の測位アンカの場所および複数の測位アンカの少なくとも１つのアンカプロパティに基づいて、少なくとも１つの区域内の測位性能を予測するステップを含み得る。本方法はさらに、少なくとも１つのプロセッサを使用して、予測された測位性能を少なくとも１つの区域内の所望の測位性能と比較するステップを含み得る。
【０３３２】
いくつかの実施形態では、少なくとも１つのアンカプロパティは、伝送電力レベルを含み得る。本方法はさらに、少なくとも１つのプロセッサを使用して、伝送スケジュールに関する伝送電力レベルを決定するステップを含み得る。いくつかの実施形態では、伝送スケジュールは、各測位アンカがその位置特定信号を伝送するために使用するようにスケジューリングされ得る、電力レベルを示し得る。
【０３３３】
本開示の別の側面によると、位置特定システムが、伝送スケジュールのタイムスロット中に位置特定信号を無線で伝送するように構成される、複数の測位アンカを備え得る。いくつかの実施形態では、各位置特定信号は、ペイロードを備え得る。いくつかの実施形態では、位置特定信号毎のペイロードは、少なくとも１つの将来のタイムスロット中に位置特定信号を伝送するように構成される、複数の測位アンカの少なくとも１つの測位アンカを識別し得る。
【０３３４】
いくつかの実施形態では、位置特定システムが、伝送スケジュールのタイムスロット中に無線信号を無線で伝送するように構成される、複数の測位アンカを備え得る。いくつかの実施形態では、各無線信号は、ペイロードを備え得る。いくつかの実施形態では、無線信号毎のペイロードは、少なくとも１つの将来のタイムスロット中に位置特定または無線信号を伝送もしくは受信するように構成される、複数の測位アンカの少なくとも１つの測位アンカの送信機（ＴＸ）モードに関する構成もしくは受信機（ＲＸ）モードに関する構成を識別し得る。いくつかの実施形態では、ペイロードは、ＴＸモードに関する構成のみを識別し得、アンカは、そのＲＸモードを決定し得る。
【０３３５】
いくつかの実施形態では、位置特定システムは、自己位置特定装置を備え得る。いくつかの実施形態では、自己位置特定装置は、受信機を備え得る。自己位置特定装置は、位置特定信号の少なくともいくつかを受信し、受信された位置特定信号のペイロードを抽出するように構成され得る。自己位置特定装置はさらに、受信された位置特定信号の抽出されたペイロードに基づいて、自己位置特定装置の測位情報を決定するためにどの位置特定信号を受信するかを決定するように構成され得る。自己位置特定装置は、決定された位置特定信号に基づいて、受信機を構成するように構成され得る。自己位置特定装置はさらに、構成された受信機を使用して、決定された位置特定信号を受信し、受信された決定された位置特定信号に基づいて、自己位置特定装置の測位情報を決定するように構成され得る。
【０３３６】
いくつかの実施形態では、各位置特定信号は、ヘッダ部分と、ペイロード部分とを備え得る。いくつかの実施形態では、ヘッダ部分は、プリアンブルであり得る。いくつかの実施形態では、位置特定信号は、第１の部分群と、第２の部分群とを備え得る。いくつかの実施形態では、第１の部分群および第２の部分群は、少なくとも１つの異なる伝送特性を備え得る。いくつかの実施形態では、少なくとも１つの異なる伝送特性は、伝送中心周波数、伝送周波数帯域幅、プリアンブルコード、およびプリアンブル変調スキームのうちの少なくとも１つを含み得る。いくつかの実施形態では、第１の部分群からの位置特定信号および第２の部分群からの位置特定信号の両方は、伝送スケジュールの同一のタイムスロット中の伝送のためにスケジューリングされ得る。
【０３３７】
いくつかの実施形態では、自己位置特定装置は、ステータス情報に基づいて、どの位置特定信号を受信するかを決定するように構成され得る。いくつかの実施形態では、ステータス情報は、自己位置特定装置の現在の位置を含み得る。いくつかの実施形態では、ステータス情報は、自己位置特定装置の位置特定推定量と関連付けられる分散情報を含み得る。
【０３３８】
いくつかの実施形態では、自己位置特定装置は、位置特定推定量と関連付けられる分散を最小限にするために、どの位置特定信号を受信するかを決定するように構成され得る。
【０３３９】
いくつかの実施形態では、位置特定信号毎のペイロードは、同一の将来のタイムスロット中に位置特定信号を伝送するように構成される、複数の測位アンカの２つの測位アンカを識別し得る。いくつかの実施形態では、位置特定信号毎のペイロードは、少なくとも２つの将来のタイムスロットのそれぞれの間に位置特定信号を伝送するように構成される、複数の測位アンカの少なくとも１つの測位アンカを識別し得る。
【０３４０】
いくつかの実施形態では、位置特定方法が、提供される。本方法は、複数の測位アンカを使用して、伝送スケジュールのタイムスロット中に位置特定信号を無線で伝送するステップを含み得る。いくつかの実施形態では、各位置特定信号は、ペイロードを備え得る。いくつかの実施形態では、位置特定信号毎のペイロードは、少なくとも１つの将来のタイムスロット中に位置特定信号を伝送するように構成される、複数の測位アンカの少なくとも１つの測位アンカを識別し得る。
【０３４１】
本方法は、自己位置特定装置を使用して、位置特定信号の少なくともいくつかを受信し、受信された位置特定信号のペイロードを抽出し、受信された位置特定信号の抽出されたペイロードに基づいて、自己位置特定装置の測位情報を決定するために、どの位置特定信号を受信するかを決定するステップを含み得る。いくつかの実施形態では、本方法は、決定された位置特定信号に基づいて、自己位置特定装置の受信機を構成するステップを含み得る。いくつかの実施形態では、本方法はさらに、構成された受信機を使用して、決定された位置特定信号を受信し、測位情報を決定するステップを含み得る。
【０３４２】
いくつかの実施形態では、位置特定信号は、第１の部分群と、第２の部分群とを備え得、第１の部分群および第２の部分群は、少なくとも１つの異なる伝送特性を備える。
【０３４３】
いくつかの実施形態では、少なくとも１つの異なる伝送特性は、伝送中心周波数、伝送周波数帯域幅、プリアンブルコード、およびプリアンブル変調スキームのうちの少なくとも１つを含む。いくつかの実施形態では、第１の部分群からの位置特定信号および第２の部分群からの位置特定信号の両方は、伝送スケジュールの同一のタイムスロット中の伝送のためにスケジューリングされ得る。
【０３４４】
いくつかの実施形態では、本方法はさらに、自己位置特定装置を使用して、ステータス情報に基づいて、どの位置特定信号を受信するかを決定するステップを含み得る。いくつかの実施形態では、ステータス情報は、自己位置特定装置の現在の位置を含み得る。いくつかの実施形態では、ステータス情報は、自己位置特定装置の位置特定推定量と関連付けられる分散情報を含み得る。
【０３４５】
いくつかの実施形態では、本方法はさらに、自己位置特定装置を使用して、位置特定推定量と関連付けられる分散を最小限にするために、どの位置特定信号を受信するかを決定するステップを含み得る。
【０３４６】
いくつかの実施形態では、位置特定信号毎のペイロードは、同一の将来のタイムスロット中に位置特定信号を伝送するように構成される、複数の測位アンカの２つの測位アンカを識別し得る。いくつかの実施形態では、位置特定信号毎のペイロードは、少なくとも２つの将来のタイムスロットのそれぞれの間に位置特定信号を伝送するように構成される、複数の測位アンカの少なくとも１つの測位アンカを識別し得る。
【０３４７】
本開示の別の側面によると、時間同期されたアンカの第１のセットを使用して、第１の位置特定信号を無線で伝送するように構成される、第１の位置特定ネットワークを備える位置特定システムが、提供される。いくつかの実施形態では、第１の位置特定信号は、第１の領域内の位置情報を決定するために使用可能であり得る。
【０３４８】
いくつかの実施形態では、位置特定システムはさらに、時間同期されたアンカの第２のセットを使用して、第２の位置特定信号を無線で伝送するように構成される、第２の位置特定ネットワークを備え得る。いくつかの実施形態では、第２の位置特定信号は、第２の領域内の位置情報を決定するために使用可能であり得る。
【０３４９】
いくつかの実施形態では、位置特定システムはさらに、ブリッジアンカを備え得る。いくつかの実施形態では、ブリッジアンカは、時間同期されたアンカの第１のセットに関連する第１の時間同期情報を受信するように構成され得る。ブリッジアンカは、時間同期されたアンカの第２のセットに関連する第２の時間同期情報を受信し、第１の時間同期情報に関連する時間同期情報を第２の位置特定ネットワークに伝送するように構成され得る。いくつかの実施形態では、時間同期情報は、第１の位置特定ネットワークのクロックオフセットおよびクロックレートのうちの少なくとも１つを含み得る。
【０３５０】
いくつかの実施形態では、第２の位置特定ネットワークは、受信された時間同期情報に基づいて、クロックオフセットおよびクロックレートのうちの少なくとも１つを調節し、第２の位置特定ネットワークを第１の位置特定ネットワークと時間同期するように構成され得る。
【０３５１】
いくつかの実施形態では、ブリッジアンカは、時間同期情報を無線で伝送するように構成され得る。いくつかの実施形態では、第２の時間同期ネットワークの少なくとも１つのアンカは、時間同期情報を無線で受信するように構成され得る。
【０３５２】
いくつかの実施形態では、ブリッジアンカはさらに、第２の時間同期情報に関連する時間同期情報を第１の位置特定ネットワークに伝送するように構成され得る。
【０３５３】
いくつかの実施形態では、ブリッジアンカは、自己位置特定装置が、第１の位置特定ネットワークおよび第２の位置特定ネットワークを使用してその位置を決定することを可能にするために、時間同期情報を第１の位置特定ネットワークの自己位置特定装置に無線で伝送するように構成され得る。
【０３５４】
いくつかの実施形態では、自己位置特定装置は、受信された時間同期情報に基づいて、第１の位置特定ネットワークから位置特定信号を受信することと、第２の位置特定ネットワークから位置特定信号を受信することとの間で切り替えるように構成され得る。いくつかの実施形態では、切替は、自己位置特定装置の受信機を再構成することによって達成され得る。いくつかの実施形態では、ブリッジアンカによって伝送される信号は、２つの位置特定ネットワークのうちの少なくとも１つに関する受信機構成を表すペイロードを備え得る。いくつかの実施形態では、自己位置特定装置は、ブリッジアンカから受信されたペイロードに基づいて、その受信機を再構成し得る。
【０３５５】
いくつかの実施形態では、ブリッジアンカはさらに、第２の位置特定信号のうちの１つまたはそれを上回るものを無線で伝送するように構成され得る。いくつかの実施形態では、第２の位置特定信号のうちの１つまたはそれを上回るものは、それぞれ、プリアンブルと、ペイロードとを備え得る。いくつかの実施形態では、第２の位置特定信号のうちの１つまたはそれを上回るもののペイロードは、時間同期情報を備え得る。
【０３５６】
いくつかの実施形態では、請求項の位置特定システムはさらに、自己位置特定装置を備え得る。いくつかの実施形態では、自己位置特定装置は、第２の位置特定信号を受信し、受信された第２の位置特定信号に基づいて、位置情報を決定するように構成され得る。いくつかの実施形態では、自己位置特定装置は、第１の位置特定信号を受信するようにその受信機を構成し、受信された第１の位置特定信号に基づいて、位置情報を決定するように構成され得る。
【０３５７】
いくつかの実施形態では、自己位置特定装置はさらに、ブリッジアンカから時間同期情報を受信するように構成され得る。いくつかの実施形態では、位置情報を決定するステップは、受信された第１の位置特定信号に基づき得、さらに、ブリッジアンカからの時間同期情報に依存して実行され得る。
【０３５８】
いくつかの実施形態では、自己位置特定装置は、第１の位置特定ネットワークから第１の位置特定信号のうちの１つまたはそれを上回るものを受信し、ブリッジアンカから第２の位置特定信号のうちの１つまたはそれを上回るものを受信し、第２の位置特定ネットワークから第２の位置特定信号のうちの１つまたはそれを上回るものを受信するように構成され得る。いくつかの実施形態では、自己位置特定装置はさらに、第１の位置特定ネットワークから受信された１つまたはそれを上回る第１の位置特定信号、第２の位置特定ネットワークから受信された第２の位置特定信号のうちの１つまたはそれを上回るもの、およびブリッジアンカから受信された時間同期情報に基づいて、位置情報を決定するように構成され得る。
【０３５９】
いくつかの実施形態では、ブリッジアンカは、第１の位置特定ネットワークおよび第２の位置特定ネットワークから位置特定信号を交互に受信するように構成され得る。いくつかの実施形態では、第１の領域および第２の領域は、少なくとも部分的に重複する。
【０３６０】
いくつかの実施形態では、ブリッジアンカは、受信された第１の時間同期情報および受信された第２の時間同期情報に基づいて、相対的時間情報を決定するように構成され得、ブリッジアンカによって伝送される時間同期情報は、相対的時間情報を含む。
【０３６１】
いくつかの実施形態では、位置特定システムは、時間同期されたアンカの第１のセットを使用して、第１の位置特定信号を伝送するように構成される、第１の位置特定ネットワークを備え得る。いくつかの実施形態では、第１の位置特定信号は、第１の領域内の位置情報を決定するために使用可能である。
【０３６２】
いくつかの実施形態では、位置特定システムは、時間同期されたアンカの第２のセットを使用して、第２の位置特定信号を伝送するように構成される、第２の位置特定ネットワークを備え得る。いくつかの実施形態では、第２の位置特定信号は、第２の領域内の位置情報を決定するために使用可能である。いくつかの実施形態では、位置特定システムは、ブリッジアンカを備え得る。
【０３６３】
いくつかの実施形態では、ブリッジアンカは、時間同期されたアンカの第１のセットに関連する第１の時間同期情報を受信し、時間同期されたアンカの第２のセットに関連する第２の時間同期情報を受信するように構成され得る。いくつかの実施形態では、ブリッジアンカは、受信された第１の時間同期情報に基づいて、第１の動作モードにおいて第１の位置特定ネットワークの一部として第１の位置特定信号を伝送し、受信された第２の時間同期情報に基づいて、第２の動作モードにおいて第２の位置特定ネットワークの一部として第２の位置特定信号を伝送するように構成され得る。
【０３６４】
いくつかの実施形態では、ブリッジアンカは、第１および第２の位置特定ネットワークのうちの少なくとも１つの所望の測位性能に基づいて、第１の動作モードと第２の動作モードとの間で切り替えるように構成され得る。
【０３６５】
いくつかの実施形態では、位置特定方法が、提供される。いくつかの実施形態では、位置特定方法は、第１の位置特定ネットワークを使用し、時間同期されたアンカの第１のセットを使用して、第１の位置特定信号を無線で伝送するステップを含み得る。第１の位置特定信号は、第１の領域内の位置情報を決定するために使用可能であり得る。
【０３６６】
いくつかの実施形態では、位置特定方法は、第２の位置特定ネットワークを使用し、時間同期されたアンカの第２のセットを使用して、第２の位置特定信号を無線で伝送するステップを含み得る。第２の位置特定信号は、第２の領域内の位置情報を決定するために使用可能であり得る。
【０３６７】
いくつかの実施形態では、位置特定方法はさらに、ブリッジアンカを使用して、時間同期されたアンカの第１のセットに関連する第１の時間同期情報を受信し、時間同期されたアンカの第２のセットに関連する第２の時間同期情報を受信するステップを含み得る。位置特定方法はさらに、ブリッジアンカを使用して、第１の時間同期情報に関連する時間同期情報を第２の位置特定ネットワークに伝送するステップを含み得る。
【０３６８】
いくつかの実施形態では、位置特定方法はさらに、ブリッジアンカを使用して、自己位置特定装置が、第１の位置特定ネットワークおよび第２の位置特定ネットワークを使用してその位置を決定することを可能にするために、時間同期情報を第１の位置特定ネットワークの自己位置特定装置に無線で伝送するステップを含み得る。
【０３６９】
いくつかの実施形態では、別の位置特定方法が、提供される。いくつかの実施形態では、位置特定方法は、第１の位置特定ネットワークを使用し、時間同期されたアンカの第１のセットを使用して、第１の位置特定信号を伝送するステップを含み得る。第１の位置特定信号は、第１の領域内の位置情報を決定するために使用可能であり得る。
【０３７０】
いくつかの実施形態では、位置特定方法はまた、第２の位置特定ネットワークを使用し、時間同期されたアンカの第２のセットを使用して、第２の位置特定信号を伝送するステップを含み得る。第２の位置特定信号は、第２の領域内の位置情報を決定するために使用可能であり得る。
【０３７１】
いくつかの実施形態では、位置特定方法はさらに、ブリッジアンカを使用して、時間同期されたアンカの第１のセットに関連する第１の時間同期情報を受信し、時間同期されたアンカの第２のセットに関連する第２の時間同期情報を受信するステップを含み得る。
【０３７２】
いくつかの実施形態では、位置特定方法はまた、ブリッジアンカを使用して、受信された第１の時間同期情報に基づいて、第１の動作モードにおいて第１の位置特定ネットワークの一部として第１の位置特定信号を無線で伝送し、受信された第２の時間同期情報に基づいて、第２の動作モードにおいて第２の位置特定ネットワークの一部として第２の位置特定信号を伝送するステップを含み得る。
【０３７３】
本開示の別の側面によると、第１のタイムスタンプ可能な位置特定信号を伝送するように構成される、第１のアンカを備える位置特定システムが、提供される。いくつかの実施形態では、第１のタイムスタンプ可能な位置特定信号は、ペイロードが続くプリアンブルを備える。
【０３７４】
位置特定システムはさらに、第２のタイムスタンプ可能な位置特定信号を伝送するように構成される、第２のアンカを備え得る。いくつかの実施形態では、第２のタイムスタンプ可能な位置特定信号は、ペイロードが続くプリアンブルを備え得る。いくつかの実施形態では、第２のタイムスタンプ可能な位置特定信号の伝送は、第２のタイムスタンプ可能な位置特定信号が第１のタイムスタンプ可能な位置特定信号のプリアンブルに重複しないように、第１のタイムスタンプ可能な位置特定信号の伝送と部分的に重複し得る。いくつかの実施形態では、第１のタイムスタンプ可能な位置特定信号および第２のタイムスタンプ可能な位置特定信号は、共通領域内で受信され得る。
【０３７５】
いくつかの実施形態では、第２のタイムスタンプ可能な位置特定信号の伝送は、第１のタイムスタンプ可能な位置特定信号の伝送が終了する前に開始し得る。いくつかの実施形態では、第２のタイムスタンプ可能な位置特定信号の伝送は、第１のタイムスタンプ可能な位置特定信号のプリアンブルの伝送が終了した後に開始し得る。いくつかの実施形態では、第２のタイムスタンプ可能な位置特定信号のプリアンブルは、第１のタイムスタンプ可能な位置特定信号のペイロードと重複し得る。
【０３７６】
いくつかの実施形態では、第１のタイムスタンプ可能な位置特定信号のプリアンブルは、第１のコード化されたプリアンブルを含み得る。いくつかの実施形態では、第２のタイムスタンプ可能な位置特定信号のプリアンブルは、第２の同じようにコード化されたプリアンブルを含み得る。
【０３７７】
いくつかの実施形態では、位置特定システムは、自己位置特定装置を備え得る。いくつかの実施形態では、自己位置特定装置は、第１のタイムスタンプ可能な位置特定信号全体および第２のタイムスタンプ可能な位置特定信号全体ではなく、第１のタイムスタンプ可能な位置特定信号全体または第２のタイムスタンプ可能な位置特定信号全体を受信するように構成され得る。いくつかの実施形態では、自己位置特定装置は、第１のタイムスタンプ可能な位置特定信号のプリアンブルおよび第２のタイムスタンプ可能な位置特定信号全体を受信するように構成され得る。
【０３７８】
いくつかの実施形態では、第１のタイムスタンプ可能な位置特定信号はさらに、プリアンブルとペイロードとの間にフレーム開始デリミタ（ＳＦＤ）を備え得る。いくつかの実施形態では、第２のタイムスタンプ可能な位置特定信号は、第１のタイムスタンプ可能な位置特定信号のＳＦＤに重複し得ない。いくつかの実施形態では、自己位置特定装置は、第１のタイムスタンプ可能な位置特定信号のプリアンブルおよびＳＦＤならびに第２のタイムスタンプ可能な位置特定信号全体を受信するように構成され得る。
【０３７９】
いくつかの実施形態では、自己位置特定装置はさらに、第１の位置特定信号のプリアンブルまたはＳＦＤの受信に対応するタイムスタンプを決定し、第１のタイムスタンプ可能な位置特定信号の既知の伝送時間およびタイムスタンプに基づいて、位置情報を決定するように構成され得る。
【０３８０】
いくつかの実施形態では、第１のタイムスタンプ可能な位置特定信号のペイロードは、第１および第２のペイロードを含み得る。いくつかの実施形態では、第２のタイムスタンプ可能な位置特定信号は、第１のタイムスタンプ可能な位置特定信号の第１のペイロードではなく、第２のペイロードと重複し得る。いくつかの実施形態では、自己位置特定装置は、第１のタイムスタンプ可能な位置特定信号の第１のペイロードおよび第２のタイムスタンプ可能な位置特定信号全体を受信するように構成され得る。
【０３８１】
いくつかの実施形態では、第１のアンカは、伝送中心周波数および伝送周波数帯域幅を使用して、第１のタイムスタンプ可能な位置特定信号を伝送するように構成され得る。いくつかの実施形態では、第２のアンカは、伝送中心周波数および伝送周波数帯域幅を使用して、第２のタイムスタンプ可能な位置特定信号を伝送するように構成され得る。
【０３８２】
いくつかの実施形態では、第１のアンカは、複数の第１のタイムスタンプ可能な位置特定信号を伝送するように構成され得る。いくつかの実施形態では、第２のアンカは、複数の第２のタイムスタンプ可能な位置特定信号を伝送するように構成され得る。いくつかの実施形態では、複数の第２のタイムスタンプ可能な位置特定信号はそれぞれ、複数の第１のタイムスタンプ可能な位置特定信号のうちの対応するものと部分的に重複し得る。
【０３８３】
いくつかの実施形態では、位置特定システムはさらに、４つまたはそれを上回るアンカを備え得る。いくつかの実施形態では、４つまたはそれを上回るアンカは、第１のアンカと、第２のアンカとを備え得る。いくつかの実施形態では、４つまたはそれを上回るアンカは、タイムスタンプ可能な位置特定信号の伝送に部分的に重複する伝送スケジュールに従ってタイムスタンプ可能な位置特定信号を伝送するように構成され、それによって、タイムスタンプ可能な位置特定システムに、タイムスタンプ可能な位置特定信号が重複しない場合よりも多くの単位時間あたりタイムスタンプ可能な信号を伝送させ得る。
【０３８４】
いくつかの実施形態では、第１および第２のタイムスタンプ可能な位置特定信号のそれぞれのペイロードは、いつアンカが将来のタイムスロット中に位置特定信号を伝送するように構成され得るかを識別する。
【０３８５】
いくつかの実施形態では、自己位置特定装置は、いつアンカが将来のタイムスロット中に位置特定信号を伝送するように構成され得るかの識別を受信し、受信された識別に基づいて、その全体においてどのタイムスタンプ可能な信号を受信するかを選択するように構成され得る。
【０３８６】
いくつかの実施形態では、位置特定のための方法が、提供される。いくつかの実施形態では、本方法は、第１のアンカを使用して、第１のタイムスタンプ可能な位置特定信号を伝送するステップを含み得る。いくつかの実施形態では、第１のタイムスタンプ可能な位置特定信号は、ペイロードが続くプリアンブルを備え得る。
【０３８７】
いくつかの実施形態では、本方法はさらに、第２のアンカを使用して、第２のタイムスタンプ可能な位置特定信号を伝送するステップを含み得る。いくつかの実施形態では、第２のタイムスタンプ可能な位置特定信号は、ペイロードが続くプリアンブルを備え得る。いくつかの実施形態では、第２のタイムスタンプ可能な位置特定信号の伝送は、第２のタイムスタンプ可能な位置特定信号が第１のタイムスタンプ可能な位置特定信号のプリアンブルに重複しないように、第１のタイムスタンプ可能な位置特定信号の伝送と部分的に重複し得る。いくつかの実施形態では、第１のタイムスタンプ可能な位置特定信号および第２のタイムスタンプ可能な位置特定信号は、共通領域内で受信され得る。
【０３８８】
いくつかの実施形態では、第１のタイムスタンプ可能な位置特定信号は、第１の超広帯域（ＵＷＢ）信号を含み得、第２のタイムスタンプ可能な位置特定信号は、第２のＵＷＢ信号を含み得る。
【０３８９】
いくつかの実施形態では、第１のタイムスタンプ可能な位置特定信号はさらに、プリアンブルとペイロードとの間にフレーム開始デリミタ（ＳＦＤ）を備え得る。いくつかの実施形態では、第２のタイムスタンプ可能な位置特定信号は、第１のタイムスタンプ可能な位置特定信号のＳＦＤに重複し得ない。いくつかの実施形態では、本方法はさらに、自己位置特定装置を使用して、第１のタイムスタンプ可能な位置特定信号のプリアンブルおよびＳＦＤならびに第２のタイムスタンプ可能な位置特定信号全体を受信するステップを含み得る。
【０３９０】
いくつかの実施形態では、本方法はさらに、自己位置特定装置を使用して、第１の位置特定信号のプリアンブルまたはＳＦＤの受信に対応するタイムスタンプを決定し、第１のタイムスタンプ可能な位置特定信号の既知の伝送時間およびタイムスタンプに基づいて、位置情報を決定するステップを含み得る。
【０３９１】
いくつかの実施形態では、第１のタイムスタンプ可能な位置特定信号のペイロードは、第１および第２のペイロードを含み得、第２のタイムスタンプ可能な位置特定信号は、第１のタイムスタンプ可能な位置特定信号の第１のペイロードではなく、第２のペイロードと重複し得る。いくつかの実施形態では、本方法はさらに、自己位置特定装置を使用して、第１のタイムスタンプ可能な位置特定信号の第１のペイロードおよび第２のタイムスタンプ可能な位置特定信号全体を受信するステップを含み得る。
【０３９２】
本開示の別の側面によると、位置特定システムを動作させるための方法が、提供される。いくつかの実施形態では、位置特定システムは、複数の測位アンカを備え得る。いくつかの実施形態では、本方法は、複数の測位アンカの第１のサブセットを第１のサブネットワークに分配するステップを含み得る。本方法はまた、第１の伝送スケジュールに従って、第１の位置特定信号を伝送するように測位アンカの第１のサブセットの第１のサブネットワークを動作させるステップを含み得る。いくつかの実施形態では、第１の位置特定信号は、自己位置特定装置によって、第１の地理的領域内の位置情報を決定するために使用され得る。
本方法はまた、複数の測位アンカの第２のサブセットが第１のサブネットワークに分配され得るように、第１のサブネットワークへの複数の測位アンカの分配を調節するステップを含み得る。いくつかの実施形態では、第１のサブセットの少なくとも１つの測位アンカは、第２のサブセット内に含まれず、第２のサブセットの少なくとも１つの測位アンカは、第１のサブセット内に含まれない。
【０３９３】
本方法はまた、第２の伝送スケジュールに従って、第２の位置特定信号を伝送するように測位アンカの第２のサブセットの第１のサブネットワークを動作させるステップを含み得る。いくつかの実施形態では、第２の位置特定信号は、自己位置特定装置によって、第２の地理的領域内の位置情報を決定するために使用され得る。いくつかの実施形態では、第１の地理的領域および第３の地理的領域は、重複しない。
【０３９４】
いくつかの実施形態では、第１の位置特定信号は、第１の超広帯域（ＵＷＢ）信号を含み得、第２の位置特定信号は、第２のＵＷＢ信号を含み得る。
【０３９５】
いくつかの実施形態では、本方法はまた、複数の測位アンカの第３のサブセットを第２のサブネットワークに分配するステップと、第３の伝送スケジュールに従って、第３の位置特定信号を伝送するように測位アンカの第３のサブセットの第２のサブネットワークを動作させるステップとを含み得る。いくつかの実施形態では、第３の位置特定信号は、自己位置特定装置によって、第３の地理的領域内の位置情報を決定するために使用され得る。
【０３９６】
いくつかの実施形態では、本方法はまた、第１のサブネットワークおよび第２のサブネットワークを同時に動作させるステップを含み得る。いくつかの実施形態では、複数の測位アンカの第３のサブセットは、複数の測位アンカの第１のサブセットの測位アンカのいずれも備え得ない。
【０３９７】
いくつかの実施形態では、本方法はまた、複数の測位アンカの第１のサブセットの第１のサブネットワークおよび第２のサブネットワークを同時に動作させるステップを含み得る。いくつかの実施形態では、複数の測位アンカの第３のサブセットは、複数の測位アンカの第１のサブセットの少なくとも１つの測位アンカを備え得る。いくつかの実施形態では、第１および第３の位置特定信号の伝送は、少なくとも１つの異なる伝送特性を使用し得る。いくつかの実施形態では、少なくとも１つの異なる伝送特性は、伝送中心周波数、伝送周波数帯域幅、プリアンブルコード、およびプリアンブル変調スキームのうちの少なくとも１つを含み得る。
【０３９８】
いくつかの実施形態では、本方法はまた、複数の測位アンカの第１のサブセットの第１のサブネットワークおよび第２のサブネットワークを同時に動作させるステップを含み得る。いくつかの実施形態では、第１のサブネットワークのアンカのうちの少なくとも１つは、第１の地理的領域のサイズを縮小させるようにより低い伝送電力を使用して動作され得、したがって、第１の地理的領域および第２の地理的領域は、重複しない。
【０３９９】
いくつかの実施形態では、第１のサブネットワークおよび第２のサブネットワークは、同一の伝送特性を使用して、第１および第２の位置特定信号を伝送し得る。いくつかの実施形態では、第１および第２の位置特定信号は、時間において重複し得る。
【０４００】
いくつかの実施形態では、本方法はまた、複数の測位アンカの第４のサブセットが第２のサブネットワークに分配され得るように、第２のサブネットワークへの複数の測位アンカの分配を調節するステップを含み得る。いくつかの実施形態では、第３のサブセットの少なくとも１つの測位アンカは、第４のサブセット内に含まれず、第４のサブセットの少なくとも１つの測位アンカは、第３のサブセット内に含まれない。
【０４０１】
いくつかの実施形態では、本方法はまた、第１のサブネットワークによってサービス提供される地理的領域を動的に変更するために、第１のサブネットワークへの複数の測位アンカの分配を付加的に調節するステップを含み得る。いくつかの実施形態では、第１のサブネットワークへの複数の測位アンカの分配は、第１のサブネットワークによってサービス提供される少なくとも１つの自己位置特定装置の既知の運動に基づいて調節され得る。いくつかの実施形態では、運動は、飛行パターンであり得る。
【０４０２】
いくつかの実施形態では、本方法はまた、少なくとも１つの自己位置特定装置の既知の場所を受信するステップを含み得る。いくつかの実施形態では、場所は、自己位置特定装置のメモリから受信され得る。いくつかの実施形態では、メモリから読み出される受信された既知の場所は、自己位置特定装置の予期される場所である。いくつかの実施形態では、予期される場所は、軌跡実行の開始から経過した時間に基づいて予測される。いくつかの実施形態では、位置特定システムにおける第１のサブネットワークの使用は、第１の地理的領域内の測位性能を増加させ得る。
【０４０３】
いくつかの実施形態では、位置特定システムが、提供される。位置特定システムは、複数の測位アンカを備え得る。いくつかの実施形態では、位置特定システムは、複数の測位アンカの第１のサブセットを第１のサブネットワークに分配するように構成され得る。位置特定システムは、第１の伝送スケジュールに従って、第１の位置特定信号を伝送するように測位アンカの第１のサブセットの第１のサブネットワークを動作させるように構成され得る。いくつかの実施形態では、第１の位置特定信号は、自己位置特定装置によって、第１の地理的領域内の位置情報を決定するために使用され得る。
位置特定システムはまた、複数の測位アンカの第２のサブセットが第１のサブネットワークに分配され得るように、第１のサブネットワークへの複数の測位アンカの分配を調節するように構成され得る。いくつかの実施形態では、第１のサブセットの少なくとも１つの測位アンカは、第２のサブセット内に含まれず、第２のサブセットの少なくとも１つの測位アンカは、第１のサブセット内に含まれない。
【０４０４】
位置特定システムはまた、第２の伝送スケジュールに従って、第２の位置特定信号を伝送するように測位アンカの第２のサブセットの第１のサブネットワークを動作させるように構成され得る。いくつかの実施形態では、第２の位置特定信号は、自己位置特定装置によって、第２の地理的領域内の位置情報を決定するために使用され得る。
【０４０５】
いくつかの実施形態では、第１の位置特定信号は、第１の超広帯域（ＵＷＢ）信号を含美恵、第２の位置特定信号は、第２のＵＷＢ信号を含み得る。
【０４０６】
いくつかの実施形態では、位置特定システムはさらに、複数の測位アンカの第３のサブセットを第２のサブネットワークに分配し、第３の伝送スケジュールに従って、第３の位置特定信号を伝送するように測位アンカの第３のサブセットの第２のサブネットワークを動作させるように構成され得る。いくつかの実施形態では、第３の位置特定信号は、自己位置特定装置によって、第３の地理的領域内の位置情報を決定するために使用され得る。
【０４０７】
いくつかの実施形態では、別の位置特定システムが、提供される。いくつかの実施形態では、位置特定システムは、複数の測位アンカを備え得る。いくつかの実施形態では、複数の測位アンカは、少なくとも第１の測位アンカ、第２の測位アンカ、および第３の測位アンカを備え得る。
【０４０８】
いくつかの実施形態では、測位アンカの第１のサブセットは、第１の伝送スケジュールに従って、第１の時間期間中に第１の位置特定信号を伝送するように構成され得る。いくつかの実施形態では、第１の位置特定信号は、自己位置特定装置によって、第１の地理的領域内の位置情報を決定するために使用され得る。いくつかの実施形態では、測位アンカの第１のサブセットは、第１の測位アンカと、第２の測位アンカとを備え得る。いくつかの実施形態では、第３の測位アンカは、第１の時間期間中に伝送しないように構成され得る。
【０４０９】
いくつかの実施形態では、測位アンカの第２のサブセットは、第２の伝送スケジュールに従って、第２の後続時間期間中に第２の位置特定信号を伝送するように構成され得る。いくつかの実施形態では、第２の位置特定信号は、自己位置特定装置によって、第２の地理的領域内の位置情報を決定するために使用され得る。いくつかの実施形態では、測位アンカの第２のサブセットは、第１の測位アンカと、第３の測位アンカとを備え得る。いくつかの実施形態では、第２の測位アンカは、第２の時間期間中に伝送しないように構成され得る。
【０４１０】
本開示の別の側面によると、位置特定システムを動作させるための方法が、提供される。いくつかの実施形態では、位置特定システムは、複数の測位アンカを備え得る。いくつかの実施形態では、本方法は、複数の測位アンカを使用して、第１の伝送スケジュールに従って、第１のタイムスタンプ可能な位置特定信号を伝送するステップを含み得る。いくつかの実施形態では、第１のタイムスタンプ可能な位置特定信号は、伝送特性の第１のセットを備え得、第１のタイムスタンプ可能な位置特定信号は、自己位置特定装置によって、第１の地理的領域内の位置情報を決定するために使用され得る。
【０４１１】
いくつかの実施形態では、本方法はさらに、複数の測位アンカを使用して、第２の伝送スケジュールに従って、第２のタイムスタンプ可能な位置特定信号を伝送するステップを含み得る。いくつかの実施形態では、第２のタイムスタンプ可能な位置特定信号は、伝送特性の第２のセットを備え得る。いくつかの実施形態では、第２のタイムスタンプ可能な位置特定信号は、自己位置特定装置によって、第２の地理的領域内の位置情報を決定するために使用され得る。
【０４１２】
いくつかの実施形態では、第１の地理的領域および第２の地理的領域は、少なくとも部分的に重複し得る。いくつかの実施形態では、第１のタイムスタンプ可能な位置特定信号および第２のタイムスタンプ可能な位置特定信号の少なくともいくつかは、それらが時間において重複するように伝送され得る。いくつかの実施形態では、少なくとも１つのタイプの伝送特性が、伝送特性の第１のセットおよび伝送特性の第２のセットにおいて異なり、重複する第１のタイムスタンプ可能な位置特定信号および第２のタイムスタンプ可能な位置特定信号の少なくともいくつかの間の干渉を低減させ得る。
【０４１３】
いくつかの実施形態では、第１のタイムスタンプ可能な位置特定信号は、第１の超広帯域（ＵＷＢ）信号を含み得、第２のタイムスタンプ可能な位置特定信号は、第２のＵＷＢ信号を含み得る。
【０４１４】
いくつかの実施形態では、少なくとも１つのタイプの伝送特性は、伝送中心周波数、伝送周波数帯域幅、プリアンブルコード、およびプリアンブル変調スキームのうちの少なくとも１つを含み得る。
【０４１５】
いくつかの実施形態では、複数の測位アンカのうちの１つは、第１および第２のアンテナを備え得、第１のアンテナを使用して、第１のタイムスタンプ可能な位置特定信号のうちの１つを伝送し、第２のアンテナを使用して、第２のタイムスタンプ可能な位置特定信号のうちの１つを伝送するように構成され得る。
【０４１６】
いくつかの実施形態では、１つの測位アンカは、それらが時間において重複するように、１つの第１のタイムスタンプ可能な位置特定信号および１つの第２のタイムスタンプ可能な位置特定信号を伝送するように構成され得る。
【０４１７】
いくつかの実施形態では、自己位置特定装置は、少なくとも１つの受信設定を備え得る。いくつかの実施形態では、本方法はさらに、第１および第２のタイムスタンプ可能な位置特定信号のうちのどちらを受信するかを選択するように、自己位置特定装置の少なくとも１つの受信設定を構成するステップを含み得る。
【０４１８】
いくつかの実施形態では、本方法はさらに、自己位置特定装置を使用して、情報に基づいて、第１のタイムスタンプ可能な位置特定信号のうちの１つを受信するか、または第２のタイムスタンプ可能な位置特定信号のうちの１つを受信するかを決定するステップを含み得る。いくつかの実施形態では、情報は、以前に受信されたタイムスタンプ可能な位置特定信号の一部として受信される構成情報を含み得る。いくつかの実施形態では、情報は、自己位置特定装置のメモリ上に記憶される情報を含み得る。いくつかの実施形態では、情報は、自己位置特定装置の内部メトリックおよび自己位置特定装置の内部状態のうちの１つを含み得る。
【０４１９】
いくつかの実施形態では、本方法はさらに、複数の測位アンカのうちの１つを使用して、複数の測位アンカのうちの少なくとも１つの他のものによって伝送された第１のタイムスタンプ可能な位置特定信号および第２のタイムスタンプ可能な位置特定信号のうちの少なくとも１つを受信するステップを含み得る。いくつかの実施形態では、本方法はさらに、１つの測位アンカを使用して、情報に基づいて、第１のタイムスタンプ可能な位置特定信号のうちの１つを受信するか、または第２のタイムスタンプ可能な位置特定信号のうちの１つを受信するかを決定するステップを含み得る。いくつかの実施形態では、情報は、以前に受信されたタイムスタンプ可能な位置特定信号の一部として受信される構成情報を含み得る。いくつかの実施形態では、情報は、１つの測位アンカのメモリ上に記憶される情報を含み得る。
【０４２０】
いくつかの実施形態では、伝送特性の第１のセットおよび伝送特性の第２のセットは、同一の中心周波数および伝送周波数帯域幅を含み得る。
【０４２１】
いくつかの実施形態では、位置特定システムが、提供される。いくつかの実施形態では、位置特定システムは、複数の測位アンカを備え得る。いくつかの実施形態では、複数の測位アンカは、第１の伝送スケジュールに従って、第１のタイムスタンプ可能な位置特定信号を伝送するように構成され得る。いくつかの実施形態では、第１のタイムスタンプ可能な位置特定信号は、伝送特性の第１のセットを備え得る。いくつかの実施形態では、第１のタイムスタンプ可能な位置特定信号は、自己位置特定装置によって、第１の地理的領域内の位置情報を決定するために使用され得る。
【０４２２】
いくつかの実施形態では、複数の測位アンカは、第２の伝送スケジュールに従って、第２のタイムスタンプ可能な位置特定信号を伝送するように構成され得る。いくつかの実施形態では、第２のタイムスタンプ可能な位置特定信号は、伝送特性の第２のセットを備え得る。いくつかの実施形態では、第２のタイムスタンプ可能な位置特定信号は、自己位置特定装置によって、第２の地理的領域内の位置情報を決定するために使用され得る。
【０４２３】
いくつかの実施形態では、第１の地理的領域および第２の地理的領域は、少なくとも部分的に重複し得る。いくつかの実施形態では、第１のタイムスタンプ可能な位置特定信号および第２のタイムスタンプ可能な位置特定信号の少なくともいくつかは、それらが時間において重複するように伝送され得る。いくつかの実施形態では、少なくとも１つのタイプの伝送特性が、伝送特性の第１のセットおよび伝送特性の第２のセットにおいて異なり、重複する第１のタイムスタンプ可能な位置特定信号および第２のタイムスタンプ可能な位置特定信号の少なくともいくつかの間の干渉を低減させ得る。
【０４２４】
いくつかの実施形態では、第１のタイムスタンプ可能な位置特定信号は、第１の超広帯域（ＵＷＢ）信号を含み得、第２のタイムスタンプ可能な位置特定信号は、第２のＵＷＢ信号を含み得る。
【０４２５】
いくつかの実施形態では、複数の測位アンカはさらに、３つの無線周波数アンカの第１および第２のセットを含み得。無線周波数アンカはそれぞれ、無線周波数信号を放出するように構成され得る。いくつかの実施形態では、無線周波数アンカはそれぞれ、アンカアンテナと、アンカクロック信号を受信するように動作可能である、アンカクロックインターフェースと、アナログ伝送電子機器とを備え得る。
【０４２６】
いくつかの実施形態では、無線周波数アンカはそれぞれ、アンカクロックインターフェースおよびアナログ伝送電子機器に動作上結合され、アンカクロック信号を基準にして、スケジューリングされた伝送時間において無線周波数信号を放出するように動作可能である、デジタル伝送電子機器を備え得る。
【０４２７】
いくつかの実施形態では、本システムはさらに、自己位置特定装置を備え得る。いくつかの実施形態では、自己位置特定装置は、無線周波数信号を受信するように構成され得る。いくつかの実施形態では、自己位置特定装置は、装置アンテナと、装置クロック信号を受信するように構成される、装置クロックインターフェースと、装置アナログ受信電子機器とを備え得る。
【０４２８】
いくつかの実施形態では、本システムはさらに、装置クロックインターフェースおよび装置アナログ受信電子機器に動作上結合され、装置クロック信号を基準にして、受信された無線周波数信号をタイムスタンピングするように構成される、装置デジタル受信電子機器を備え得る。いくつかの実施形態では、無線周波数アンカの第１および第２のセットは、重複する領域と地理的に隣接するセル内で動作し得る。いくつかの実施形態では、自己位置特定装置は、重複する領域内に位置付けられると、無線周波数アンカの第１のセットから、または無線周波数アンカの第２のセットから無線周波数信号を受信するように構成され得る。いくつかの実施形態では、複数の測位アンカは、時間における信号の分離、空間における信号の分離、または周波数における信号の分離のうちの少なくとも１つを使用し、無線周波数アンカの第１および第２のセット間の信号干渉を軽減するように構成され得る。
【０４２９】
いくつかの実施形態では、少なくとも１つのタイプの伝送特性は、伝送中心周波数、伝送周波数帯域幅、プリアンブルコード、およびプリアンブル変調スキームのうちの少なくとも１つを含み得る。
【０４３０】
いくつかの実施形態では、複数の測位アンカのうちの１つはさらに、複数の測位アンカのうちの少なくとも１つの他のものによって伝送された第１のタイムスタンプ可能な位置特定信号および第２のタイムスタンプ可能な位置特定信号のうちの少なくとも１つを受信するように構成され得る。
【０４３１】
本開示の別の側面によると、車両の位置を決定するための自己位置特定装置が、提供される。いくつかの実施形態では、自己位置特定装置は、第１のサブシステムと、第２のサブシステムとを備え得る。
【０４３２】
いくつかの実施形態では、第１のサブシステムは、第１の無線周波数信号を受信するように動作可能であり得る、第１のアンテナと、第１の無線周波数信号を増幅するように構成され得る、第１のアナログ受信電子機器とを備え得る。第１のサブシステムはまた、クロック信号を基準にして、増幅された第１の無線周波数信号をタイムスタンピングするように構成され得る、第１のデジタル受信電子機器と、増幅された第１の無線周波数信号のタイムスタンプに基づいて、座標系における自己位置特定装置の位置の第１の推定値を算出するように構成され得る、第１の位置特定ユニットとを備え得る。
【０４３３】
いくつかの実施形態では、第２のサブシステムは、第２の無線周波数信号を受信するように動作可能であり得る、第２のアンテナと、第２の無線周波数信号を増幅するように構成され得る、第２のアナログ受信電子機器とを備え得る。第２のサブシステムはまた、クロック信号を基準にして、増幅された第２の無線周波数信号をタイムスタンピングするように構成され得る、第２のデジタル受信電子機器と、増幅された第２の無線周波数信号のタイムスタンプに基づいて、座標系における自己位置特定装置の位置の第２の推定値を算出するように構成され得る、第２の位置特定ユニットとを備え得る。
【０４３４】
いくつかの実施形態では、第１のサブシステムおよび第２のサブシステムはそれぞれ、選択的に使用され、他方のサブシステムに依拠することなく車両を制御するように構成され得る。
【０４３５】
いくつかの実施形態では、第１のサブシステムおよび第２のサブシステムは、完全に冗長であり得る。例えば、いくつかの実施形態では、第１のサブシステムはさらに、第１のクロックを備え得る。いくつかの実施形態では、第１のデジタル受信電子機器は、第１のクロックによって生成される第１のクロック信号を基準にして、増幅された第１の無線周波数信号をタイムスタンピングするように構成され得る。いくつかの実施形態では、第２のサブシステムはさらに、第２のクロックを備え得る。いくつかの実施形態では、第２のデジタル受信電子機器は、第２のクロックによって生成される第２のクロック信号を基準にして、増幅された第２の無線周波数信号をタイムスタンピングするように構成され得る。
【０４３６】
いくつかの実施形態では、第１のサブシステムはさらに、第１のクロックに関するクロック補正値を算出するように構成される、第１の同期ユニットを備え得る。いくつかの実施形態では、第２のサブシステムはさらに、第２のクロックに関するクロック補正値を算出するように構成される、第２の同期ユニットを備え得る。
【０４３７】
いくつかの実施形態では、第１のサブシステムはさらに、外部基準フレームに対する自己位置特定装置の位置、配向、または速度のうちの少なくとも１つを感知するための第１のセンサを備え得る。いくつかの実施形態では、第１の位置特定ユニットは、第１のセンサによって生成される第１の信号にさらに基づいて、自己位置特定装置の位置の第１の推定値を算出するように構成され得る。いくつかの実施形態では、第２のサブシステムはさらに、外部基準フレームに対する自己位置特定装置の位置、配向、または速度のうちの少なくとも１つを感知するための第２のセンサを備え得る。いくつかの実施形態では、第２の位置特定ユニットは、第２のセンサによって生成される第２の信号にさらに基づいて、自己位置特定装置の位置の第２の推定値を算出するように構成され得る。いくつかの実施形態では、第１のセンサは、第１の大域的プロパティセンサであり得、第２のセンサは、第２の大域的プロパティセンサであり得る。
【０４３８】
いくつかの実施形態では、第１のサブシステムはさらに、第１の補償ユニットを備え得る。いくつかの実施形態では、第１の位置特定ユニットは、第１の補償ユニットによって提供されるデータにさらに基づいて、自己位置特定装置の位置の第１の推定値を算出するように構成され得る。いくつかの実施形態では、第２のサブシステムはさらに、第２の補償ユニットを備え得る。いくつかの実施形態では、第２の位置特定ユニットは、第２の補償ユニットによって提供されるデータにさらに基づいて、自己位置特定装置の位置の第２の推定値を算出するように構成され得る。
【０４３９】
いくつかの実施形態では、第１のサブシステムおよび第２のサブシステムは、部分的に冗長であり得る。例えば、いくつかの実施形態では、自己位置特定装置は、クロックを備え得る。第１のデジタル受信電子機器は、クロックによって生成される第１のクロック信号を基準にして、増幅された第１の無線周波数信号をタイムスタンピングするように構成され得る。第２のデジタル受信電子機器もまた、クロックによって生成される第１のクロック信号を基準にして、増幅された第２の無線周波数信号をタイムスタンピングするように構成され得る。いくつかの実施形態では、自己位置特定装置は、同期ユニットを備え得る。いくつかの実施形態では、同期ユニットは、クロックに関するクロック補正値を算出するように構成され得る。
【０４４０】
いくつかの実施形態では、自己位置特定装置はさらに、外部基準フレームに対する自己位置特定装置の位置、配向、または速度のうちの少なくとも１つを感知するためのセンサを備え得る。いくつかの実施形態では、第１の位置特定ユニットは、センサによって生成される第１の信号にさらに基づいて、自己位置特定装置の位置の第１の推定値を算出するように構成され得る。いくつかの実施形態では、第２の位置特定ユニットは、センサによって生成される第１の信号にさらに基づいて、自己位置特定装置の位置の第２の推定値を算出するように構成され得る。いくつかの実施形態では、センサは、大域的プロパティセンサである。
【０４４１】
いくつかの実施形態では、自己位置特定装置はさらに、補償ユニットを備え得る。いくつかの実施形態では、第１の位置特定ユニットは、補償ユニットによって提供されるデータにさらに基づいて、自己位置特定装置の位置の第１の推定値を算出するように構成され得る。いくつかの実施形態では、第２の位置特定ユニットは、補償ユニットによって提供されるデータにさらに基づいて、自己位置特定装置の位置の第２の推定値を算出するように構成され得る。
【０４４２】
いくつかの実施形態では、位置特定ネットワークにおいて使用するための自己位置特定装置が、提供される。いくつかの実施形態では、位置特定ネットワークは、無線周波数信号を伝送するように構成される、複数のアンカを備え得る。いくつかの実施形態では、自己位置特定装置は、位置特定ネットワークから無線周波数信号を受信するように動作可能であり得る、アンテナを備え得る。いくつかの実施形態では、自己位置特定装置は、アンテナによって受信された無線周波数信号を増幅するように構成され得る、アナログ受信電子機器を備え得る。
【０４４３】
いくつかの実施形態では、自己位置特定装置は、第１のクロック信号を基準にして、増幅された無線周波数信号をタイムスタンピングし、複数のタイムスタンプを生成するように構成され得る、デジタル受信電子機器を備え得る。いくつかの実施形態では、自己位置特定装置は、位置特定ユニットを備え得る。いくつかの実施形態では、位置特定ユニットは、タイムスタンプに基づいて、座標系における自己位置特定装置の位置の推定値を算出し、少なくとも２つの将来の無線周波数信号から選択された将来の無線周波数信号を受信するように決定するように構成され得る。
【０４４４】
いくつかの実施形態では、位置特定ユニットは、選択された無線周波数信号を受信するように、アンテナ、アナログ受信電子機器、およびデジタル受信電子機器のうちの少なくとも１つを構成し、受信された選択された無線周波数信号に基づいて、座標系における自己位置特定装置の位置の更新された推定値を算出するように構成され得る。
【０４４５】
いくつかの実施形態では、請求項１７０の自己位置特定装置はさらに、自己位置特定装置の位置を複数のアンカのうちの少なくとも１つに伝送するように構成され得る、デジタルおよびアナログ伝送電子機器を備え得る。
【０４４６】
いくつかの実施形態では、受信された無線周波数信号は、それぞれ、ペイロードを備え得る。いくつかの実施形態では、デジタル受信電子機器は、ペイロードを抽出するように構成され得る。いくつかの実施形態では、ペイロードは、少なくとも１つの将来のタイムスロット中に位置特定信号を伝送するように構成され得る、複数のアンカの少なくとも１つのアンカを識別し得る。
【０４４７】
いくつかの実施形態では、位置特定ユニットは、選択された将来の無線周波数信号を伝送するように構成され得るアンカの場所および自己位置特定装置の位置の算出された推定値と関連付けられる分散に基づいて、選択された将来の無線周波数信号を受信するように決定するように構成され得る。
【０４４８】
いくつかの実施形態では、少なくとも２つの将来の無線周波数信号は、時間において部分的に重複し得る。いくつかの実施形態では、位置特定ユニットは、選択された将来の無線周波数信号全体および少なくとも２つの将来の無線周波数信号の別のものの一部のみを受信するように決定するように構成され得る。いくつかの実施形態では、位置特定ユニットは、（ｉ）少なくとも２つの将来の無線周波数信号の第１のものの一部およびその第２のもの全体か、または（ｉｉ）少なくとも２つの将来の無線周波数信号の第１のもの全体およびその第２のものは含めないかのうちの１つを受信するように構成される。いくつかの実施形態では、少なくとも２つの将来の無線周波数信号は、異なるプリアンブルコードを使用し得る。いくつかの実施形態では、少なくとも２つの将来の無線周波数信号は、異なる位置特定ネットワークによって伝送され得る。
【０４４９】
いくつかの実施形態では、位置特定ユニットはさらに、アンテナによって受信される無線周波数を伝送するように構成されるアンカの既知の場所に基づいて、座標系における自己位置特定装置の位置の推定値を算出するように構成され得る。
【０４５０】
いくつかの実施形態では、自己位置特定装置を使用して、車両の位置を決定するための方法が、提供される。いくつかの実施形態では、自己位置特定装置は、第１のサブシステムと、第２のサブシステムとを備え得る。
【０４５１】
いくつかの実施形態では、本方法は、第１のサブシステムの第１のアンテナを使用して、第１の無線周波数信号を受信するステップを含み得る。本方法はさらに、第１のサブシステムの第１のアナログ受信電子機器を使用して、第１の無線周波数信号を増幅するステップを含み得る。
【０４５２】
本方法はさらに、第１のサブシステムの第１のデジタル受信電子機器を使用して、クロック信号を基準にして、増幅された第１の無線周波数信号をタイムスタンピングするステップを含み得る。本方法はさらに、第１のサブシステムの第１の位置特定ユニットを使用して、座標系における自己位置特定装置の位置の第１の推定値を算出するステップを含み得る。
【０４５３】
いくつかの実施形態では、本方法は、第２のサブシステムの第２のアンテナを使用して、第２の無線周波数信号を受信するステップを含み得る。本方法はさらに、第２のサブシステムの第２のアナログ受信電子機器を使用して、第２の無線周波数信号を増幅するステップを含み得る。
【０４５４】
本方法はさらに、第２のサブシステムの第２のデジタル受信電子機器を使用して、クロック信号を基準にして、増幅された第２の無線周波数信号をタイムスタンピングするステップを含み得る。本方法はさらに、第２のサブシステムの第２の位置特定ユニットを使用して、座標系における自己位置特定装置の位置の第２の推定値を算出するステップを含み得る。
【０４５５】
本方法はさらに、他方のサブシステムに依拠することなく、車両を制御するために、第１のサブシステムおよび第２のサブシステムのうちの１つを使用するステップを含み得る。
【０４５６】
いくつかの実施形態では、位置特定ネットワークにおける自己位置特定装置のための位置特定方法が、提供される。いくつかの実施形態では、位置特定ネットワークは、無線周波数信号を伝送するように構成される、複数のアンカを備え得る。いくつかの実施形態では、本方法は、アンテナを使用して、位置特定ネットワークから無線周波数信号を受信するステップを含み得る。本方法はまた、アナログ受信電子機器を使用して、アンテナによって受信された無線周波数信号を増幅するステップを含み得る。本方法はまた、複数のタイムスタンプを生成するために、デジタル受信電子機器を使用して、第１のクロック信号を基準にして、増幅された無線周波数信号をタイムスタンピングするステップを含み得る。
【０４５７】
本方法はまた、位置特定ユニットを使用して、タイムスタンプに基づいて、座標系における自己位置特定装置の位置の推定値を算出するステップを含み得る。本方法はまた、位置特定ユニットを使用して、少なくとも２つの将来の無線周波数信号から選択された将来の無線周波数信号を受信するように決定するステップを含み得る。本方法はまた、位置特定ユニットを使用して、選択された無線周波数信号を受信するように、アナログ受信電子機器およびデジタル受信電子機器を構成するステップを含み得る。本方法はさらに、位置特定ユニットを使用して、受信された選択された無線周波数信号に基づいて、座標系における自己位置特定装置の位置の更新された推定値を算出するステップを含み得る。
【０４５８】
本開示のある側面が、その例示的実施形態を参照して特に示され、説明されたが、形態および詳細における種々の変更が、以下の請求項によって定義されるような本開示の精神および範囲から逸脱することなく、それにおいて成され得ることが、当業者によって理解されるであろう。例えば、タイムスタンプ可能な信号に適用される本開示の具体的側面は、ＵＷＢ信号にも等しく明確に適用され得、逆もまた同様である。別の実施例として、タイムスタンプ可能な信号に適用される本開示の具体的側面は、タイムスタンプ可能ではない位置特定信号にも等しく適用され得る。
【０４５９】
また、本開示の送受信機、装置、およびコンポーネントは、ハードウェアコンポーネントまたはハードウェアおよびソフトウェアコンポーネントの組み合わせを含み得ることを理解されたい。ハードウェアコンポーネントは、本明細書に説明されるように動作するように構築または配列される任意の好適な有形コンポーネントを含み得る。ハードウェアコンポーネントのいくつか（例えば、スケジューラ、スケジューリングユニットコントローラ、スケジューリングユニット、同期ユニット、スケジューリングユニット、位置特定ユニット、補償ユニット、制御ユニット、デジタル受信電子機器、デジタル伝送電子機器等）は、本明細書に説明される動作を実施するための処理回路（例えば、プロセッサまたはプロセッサの群）を備え得る。ソフトウェアコンポーネントは、有形コンピュータ可読媒体上に記録されるコードを備え得る。処理回路は、ソフトウェアコンポーネントによって、説明される動作を実施するように構成され得る。
【０４６０】
したがって、本実施形態は、あらゆる点で例証的であって、制限的ではないと見なされることが所望される。
【０４６１】
図の番号
１００  位置特定システム
１１０  スケジューラ
１２０  スケジューリングユニットコントローラ
１３０，１３０ａ，１３０ｂ  送受信機
１４０，１４０ａ，１４０ｂ  自己位置特定装置
２０２  タイムスタンプ可能な位置特定信号
２１０  クロック
２１２，２１２ａ，２１２ｂ  アンテナ
２１４，２１４ａ，２１４ｂ  送受信機アナログ伝送電子機器
２１６，２１６ａ，２１６ｂ  送受信機デジタル伝送電子機器
２１８  スケジューリングユニット
２２０，２２０ａ，２２０ｂ  送受信機アナログ受信電子機器
２２２，２２２ａ，２２２ｂ  送受信機デジタル受信電子機器
２２４  送受信機同期ユニット
２２６  センサ
２２８  大域的プロパティセンサ
２３０  送受信機メモリ
３０２  送受信機信号
４００  構造要素
４０２ａ，４０２ｂ  クロックインターフェース
５０２，５０２ａ，５０２ｂ，５０２ｃ  自己位置特定装置アンテナ
５０４，５０４ａ，５０２ｂ  自己位置特定装置アナログ受信電子機器
５０６，５０６ａ，５０６ｂ  自己位置特定装置デジタル受信電子機器
５０８  自己位置特定装置クロック
５１０  自己位置特定装置同期ユニット
５１２，５１２ａ，５１２ｂ  自己位置特定装置位置特定ユニット
５１４，５１４ａ，５１４ｂ  自己位置特定装置オンボードセンサ
５１６  補償ユニット
５１８  自己位置特定装置メモリ
５２０  大域的プロパティセンサ
６００  自己位置特定装置Ａのクロックにおいて測定されるような時間の進行
６０２  自己位置特定装置Ａのアンテナにおける第１のメッセージの着信時間
６０４  自己位置特定装置Ａのデジタル受信電子機器による第１のメッセージのタイムスタンプと自己位置特定装置Ａのアンテナにおける第１のメッセージの着信時間との間の差異
６０６  自己位置特定装置Ａのデジタル受信電子機器による第１のメッセージのタイムスタンプ
６１２  自己位置特定装置Ａのアンテナにおける第２のメッセージの着信時間
６１４  自己位置特定装置Ａのデジタル受信電子機器による第２のメッセージのタイムスタンプと自己位置特定装置Ａのアンテナにおける第２のメッセージの着信時間との間の差異
６１６  自己位置特定装置Ａのデジタル受信電子機器による第２のメッセージのタイムスタンプ
７００  構造要素
７０２  通信経路
８００  無線周波数スイッチ
９００  受信タイムスタンプ
９０２  クロック補正値
９０４  影響補償値
９０６  補正された着信時間
９１０  遠隔の大域的プロパティ
９１２  比較
９１４  大域的プロパティモデル
９２０  拡張カルマンフィルタプロセス更新
９２２  事前
９２４  拡張カルマンフィルタ測定値更新
９２６  事後
９３０  場所
９４０  制御ユニット
１０００  移動ロボット
１００２  中央処理電子機器
１００４  アクチュエータ
１００６  加速度計
１００８  ジャイロスコープ
１０１０  プロペラ
１１０２  水平コントローラ
１１０４  ｘ方向における車両加速度を規定するコマンド
１１０６  ｙ方向における車両加速度を規定するコマンド
１１１０  垂直コントローラ
１１１２  ｚ方向における車両加速度を規定するコマンド
１１２０  低減姿勢コントローラ
１１２２  車両ピッチレートを規定するコマンド
１１２４  車両ロールレートを規定するコマンド
１１３０  ヨーコントローラ
１１３２  車両ヨーレートを規定するコマンド
１１４２  本体レートコントローラ
１１４４  アクチュエータコマンド
１１４６  移動
１２００  送受信機信号の半径方向カバレッジ
１２１０  ２つの範囲内送受信機間の無線通信
１２２０  １つのセル内の複数の送受信機によって重複する空間的カバレッジ
１２４０  複数の送受信機セルによって重複する空間的カバレッジ
１４１０  １つのセル内の複数の送受信機によって重複する空間的カバレッジ
１４２０  複数の送受信機セルによって重複する空間的カバレッジ
１６１０  性能輪郭を伴う入力パラメータマップ
１６２０  バイナリ性能を伴う入力パラメータマップ
１７１０  動的測位性能マップ
１８１０  パネル
１８２０ａ，１８２０ｂ  場所マップ
１８３０ａ，１８３０ｂ  カバレッジ要件マップ
１８４０ａ，１８４０ｂ  スケジュール
１９１０ａ，１９１０ｂ，１９１０ｃ，１９１０ｄ  場所マップ
２０１０ａ，２０１０ｂ，２０１０ｃ，２０１０ｄ  場所マップ
２１１０  位置特定信号プリアンブル
２１１２  位置特定信号フレーム開始デリミタ（ＳＦＤ）
２１１４  位置特定信号パケットヘッダ
２１１６  位置特定信号ペイロード
２１２２  位置特定信号伝送が開始する時間
２１２４  位置特定信号伝送が終了する時間
２２００  伝送スケジュール
２２０２ａ，２２０２ｂ，２２０２ｃ，２２０２ｄ  位置特定信号
２３１０  受信機アクティビティ
２４０２ａ，２４０２ｂ，２４０２ｃ  位置特定信号
２５００  位置特定システム
２５１０  性能マップ
２６１０  性能マップ
２７００  位置特定システム
２７１０  性能マップ
２８１０  性能マップ
２９００  伝送スケジュール
３０００  伝送スケジュール
３１００  フローチャート
３１０２  フローチャートステップ
３１０４  フローチャートステップ
３１０６  フローチャート決定
３１０８  フローチャートステップ
３１１０  フローチャート決定
３１１２  フローチャートステップ
３１１４  フローチャート決定
３１１６  フローチャートステップ
３１１８  フローチャートステップ
３２１０  フローチャートステップ
３２２２  フローチャートステップ
３１２４  フローチャートステップ
３２００  屋内および屋外環境
３２１０  建物
３２２０  アクセスエリア
３２３０  飛行機械
３２４０  着陸エリア
３２５０  第２のエリア
３３１０  位置特定ネットワーク
３３２０  位置特定ネットワーク
３３３０  ブリッジアンカ
【図１】
2018517139.tif 000003
【図２】
2018517139.tif 000004
【図３】
2018517139.tif 000005
【図４】
2018517139.tif 000006
【図５】
2018517139.tif 000007
【図６】
2018517139.tif 000008
【図７】
2018517139.tif 000009
【図８】
2018517139.tif 000010
【図９】
2018517139.tif 000011
【図１０】
2018517139.tif 000012
【図１１】
2018517139.tif 000013
【図１２】
2018517139.tif 000014
【図１３】
2018517139.tif 000015
【図１４】
2018517139.tif 000016
【図１５】
2018517139.tif 000017
【図１６】
2018517139.tif 000018
【図１７】
2018517139.tif 000019
【図１８】
2018517139.tif 000020
【図１９】
2018517139.tif 000021
【図２０】
2018517139.tif 000022
【図２１】
2018517139.tif 000023
【図２２】
2018517139.tif 000024
【図２３】
2018517139.tif 000025
【図２４】
2018517139.tif 000026
【図２５】
2018517139.tif 000027
【図２６】
2018517139.tif 000028
【図２７】
2018517139.tif 000029
【図２８】
2018517139.tif 000030
【図２９】
2018517139.tif 000031
【図３０】
2018517139.tif 000032
【図３１】
2018517139.tif 000033
【図３２】
2018517139.tif 000034
【図３３】
2018517139.tif 000035
【図３４】
2018517139.tif 000036
【図３５】
2018517139.tif 000037
【国際調査報告】
2018517139.tif 000038
2018517139.tif 000039
2018517139.tif 000040
2018517139.tif 000041